(57)【要約】      （修正有）【課題】光源を備える、個人的な身づくろい、めかし込み、化粧の手入れなどの間に、使用者の像を反射させるために使用されるバニティミラーを提供する。【解決手段】鏡組立体２は、筐体部８と、鏡４と、光源とを備え得る。鏡４は鏡組立体２の支持部内で回転可能である。鏡組立体２は、鏡４の周辺に沿って実質的に一定の量の光を発するように構成されるライトパイプ１０を備える。鏡組立体はセンサ組立体を備える。センサ組立体は、鏡４に対する使用者の位置に基づいて、発せられる光の量を調節するように構成され得る。【選択図】図１
2018167022.tif 000002
【特許請求の範囲】
【請求項１】
前側および後側と、
筐体部と、
前記筐体部に結合される支持部と、
第１の側および第２の側を備え、スイベルジョイントを介して前記支持部に結合される鏡ヘッドと、
を備える鏡組立体であって、
前記鏡ヘッドの前記第１の側は第１の鏡を備え、前記鏡ヘッドの前記第２の側は第２の鏡を備え、
前記支持部は前記鏡ヘッドの周辺の少なくとも一部分の周りに位置決めされ、
前記スイベルジョイントは、前記スイベルジョイントによって形成される軸周りでの前記鏡ヘッドの回転を可能にし、
前記第１の鏡および前記第２の鏡は、前記鏡ヘッドを前記スイベルジョイントの前記軸周りに回転させることによって、前記鏡組立体の前記前側から別々に見られ、
前記第１の鏡が前記鏡組立体の前記前側を向いているとき、前記第２の鏡は前記鏡組立体の前記後側の方に向けられ、
前記第２の鏡が前記鏡組立体の前記前側を向いているとき、前記第１の鏡は前記鏡組立体の前記後側の方に向けられ、
鏡組立体はさらに、
光源と、
長さを有し、前記第１の鏡が前記鏡組立体の前記前側を向いているときに前記第１の鏡の周辺の少なくとも一部分の周りに位置決めされる光路と、
を備える鏡組立体。
【請求項２】
前記第１の鏡および前記第２の鏡の少なくとも一方は拡大鏡であり、前記第１の鏡と前記第２の鏡とは異なる拡大率を有する、請求項１に記載の鏡組立体。
【請求項３】
前記第１の鏡は少なくとも５Ｘの拡大率を有する、請求項１に記載の鏡組立体。
【請求項４】
前記第２の鏡は本質的に拡大率を有していない、請求項１に記載の鏡組立体。
【請求項５】
前記鏡ヘッドの前記第２の側に配置される第３の鏡をさらに備える、請求項１に記載の鏡組立体。
【請求項６】
前記第２の鏡および前記第３の鏡は、概して一致している焦点をそれぞれ有する、請求項５に記載の鏡組立体。
【請求項７】
使用者は、身体部分に再び焦点を合わせるために身体を再位置決めする必要なく、前記第２の鏡から前記第３の鏡へと、または、前記第３の鏡から前記第２の鏡へと目を向けるだけで、前記身体部分に焦点を合わせることができる、請求項６に記載の鏡組立体。
【請求項８】
前記第２の鏡および前記第３の鏡の一方または両方は、拡大鏡であり、異なる拡大率を有する、請求項５に記載の鏡組立体。
【請求項９】
前記光路は、前記第２の鏡が前記鏡組立体の前記前側を向いているときに前記光路が前記第２の鏡の周辺の少なくとも一部の周りに位置決めされるように、前記支持部に配置される、請求項１に記載の鏡組立体。
【請求項１０】
前記鏡ヘッドは、前記鏡ヘッドを前記スイベルジョイントの前記軸周りで移動させるために使用され得るハンドルをさらに備える、請求項１に記載の鏡組立体。
【請求項１１】
前記ハンドルは、前記第１の鏡が前記鏡組立体の前記前側を向いているときに第１の区画部を介して前記支持部と係合し、前記第２の鏡が前記鏡組立体の前記前側を向いているときに第２の区画部を介して前記支持部と係合する、請求項１０に記載の鏡組立体。
【請求項１２】
前記ハンドルは前記支持部に接し、前記支持部の内部での前記スイベルジョイントの軸周りでの前記鏡ヘッドの３６０°の回転を防止する、請求項１０に記載の鏡組立体。
【請求項１３】
自然の日光および室内の光を含む複数の異なるライティング環境をシミュレーションするために、前記光源から発せられる光を調節するように構成される制御装置をさらに備える、請求項１に記載の鏡組立体。
【請求項１４】
前記制御装置は、前記光源と電子的に通信しており、使用者によって送られる情報を前記光源へと送信するように構成される容量式タッチセンサを備える、請求項１３に記載の鏡組立体。
【請求項１５】
前記容量式タッチセンサは前記鏡組立体の前記支持部の一部分に位置付けられる、請求項１４に記載の鏡組立体。
【請求項１６】
筐体部と、
前記筐体部に結合され、第１の鏡および第２の鏡を伴う第１の側を備える鏡ヘッドであって、
使用者は、身体部分に再び焦点を合わせるために身体を再位置決めする必要なく、前記第１の鏡から前記第２の鏡へと、または、前記第２の鏡から前記第１の鏡へと目を向けるだけで、前記身体部分に焦点を合わせることができる、鏡ヘッドと、
光源と、
長さを有し、前記第１の鏡の周辺の少なくとも一部分の周りに位置決めされる光路と、
を備える鏡組立体。
【請求項１７】
支持部をさらに備え、前記鏡ヘッドはスイベルジョイントを介して前記支持部に結合され、前記支持部は前記筐体部に結合され、
前記支持部は前記鏡ヘッドの周辺の少なくとも一部分の周りに位置決めされ、
前記鏡ヘッドは、第３の鏡を備える第２の側をさらに備え、
前記スイベルジョイントは、前記スイベルジョイントによって形成される軸周りでの前記鏡ヘッドの回転を可能にし、
前記第１の鏡および前記第３の鏡は、前記支持部の内部で前記鏡ヘッドを前記スイベルジョイントの前記軸周りに回転させることによって、前記鏡組立体の前側から別々に見られる、請求項１６に記載の鏡組立体。
【請求項１８】
筐体部と、
第１の側を備え、前記筐体部に結合される鏡ヘッドと、
を備える鏡組立体であって、
前記鏡ヘッドの前記第１の側は、継ぎ目によって分離される第１の鏡および第２の鏡を備え、前記第１の鏡および前記第２の鏡の少なくとも一方は拡大鏡であり、
前記第１の鏡と前記第２の鏡とは異なる拡大率を有し、
前記第１の鏡および前記第２の鏡は、移動する物体の反射像における点が、前記物体の反射が前記第１の鏡に存在する第１の位置から、前記物体の反射が前記第２の鏡に存在する第２の位置まで経路に沿って移動されていくとき、前記点が前記継ぎ目を横断する際、前記物体の前記反射像における前記点の前記経路が実質的に邪魔されないような方法で、互いに対して位置決めされ、
鏡組立体はさらに、
光源と、
長さを有し、前記第１の鏡の周辺の少なくとも一部分の周りに位置決めされる光路と、
を備える鏡組立体。
【請求項１９】
使用者は、身体部分に再び焦点を合わせるために身体を再位置決めする必要なく、前記第１の鏡から前記第２の鏡へと、または、前記第２の鏡から前記第１の鏡へと目を向けるだけで、前記身体部分に焦点を合わせることができる、請求項１８に記載の鏡組立体。
【請求項２０】
支持部をさらに備え、前記鏡ヘッドはスイベルジョイントを介して前記支持部に結合され、前記支持部は前記筐体部に結合され、
前記支持部は前記鏡ヘッドの周辺の少なくとも一部分の周りに位置決めされ、
前記鏡ヘッドは、第３の鏡を備える第２の側をさらに備え、
前記スイベルジョイントは、前記スイベルジョイントによって形成される軸周りでの前記鏡ヘッドの回転を可能にし、
前記第１の鏡および前記第３の鏡は、前記支持部の内部で前記鏡ヘッドを前記スイベルジョイントの前記軸周りに回転させることによって、前記鏡組立体の前側から別々に見られる、請求項１８に記載の鏡組立体。
【請求項２１】
支持部を筐体部に結合するステップと、
回転可能継手を前記支持部に結合するステップと、
鏡ヘッドを、前記回転可能継手を介して前記支持部に結合するステップと、
第１の鏡を前記鏡ヘッドの第１の側に結合し、第２の鏡を前記鏡ヘッドの第２の側に結合するステップと、
光源を前記支持部の内部に配置するステップと、
を含む、鏡組立体を製造する方法。
【請求項２２】
第３の鏡を前記鏡ヘッドの前記第２の側に結合するステップをさらに含む、請求項２１に記載の方法。
【請求項２３】
前記第２の鏡の焦点および前記第３の鏡の焦点を、おおまかに一致されるように調節するステップをさらに含む、請求項２２に記載の方法。
【発明の詳細な説明】
【技術分野】
【０００１】
関連出願の相互参照
本出願は、「ＶＡＮＩＴＹ  ＭＩＲＲＯＲ」という名称の２０１８年２月１４日に出願された米国仮特許出願第６２／６３０，６６０号、および「ＶＡＮＩＴＹ  ＭＩＲＲＯＲ」という名称の２０１７年３月１７日に出願された米国仮特許出願第６２／４７２，８５４号への米国特許法第１１９条（ｅ）の下での優先権の便益を主張する。これらの出願は、本明細書により、それらの全体において参照により組み込まれている。
【０００２】
本開示は、鏡などの反射装置に関する。
【背景技術】
【０００３】
バニティミラーは、個人的な身づくろい、めかし込み、化粧の手入れなどの間に、使用者の像を反射させるために典型的には使用される鏡である。バニティミラーは、独立して立つ鏡、手持ちの鏡、化粧台に連結された鏡、トイレの壁の鏡、自動車の鏡、および／ならびに、電子的なスクリーンまたは装置に取り付けられる鏡、もしくは電子的なスクリーンまたは装置によって生成される鏡など、異なる構成で利用可能である。
【先行技術文献】
【特許文献】
【０００４】
【特許文献１】米国特許出願公開第２０１３／０２３５６１０号
【特許文献２】米国特許出願公開第２０１６／０２５５９４１号
【発明の概要】
【課題を解決するための手段】
【０００５】
本明細書に開示されている一部の実施形態は、１つまたは複数の基礎、基礎と連結される反射面、センサ（例えば、近接センサまたは反射式センサ）、電子処理装置、および／または光源を備える鏡組立体に関係する。一部の実施形態では、鏡組立体の反射面は拡大を提供できる。例えば、一部の実施形態では、反射面は放物線状とすることができ、反射像を拡大できる。一部の実施形態では、鏡組立体は、鏡組立体の同じ側および／または異なる側（例えば、反対の側）に位置決めされる複数の反射面を備える。一部の実施形態では、２つ以上の反射面が存在し、少なくとも２つの反射面が、互いに異なる拡大の程度を有してもよい。一部の実施形態では、２つ以上の反射面が鏡組立体の同じ側に存在し、それら反射面が、互いに異なる拡大の程度を有してもよい。
【０００６】
前述した実施形態、または、本明細書における他の部分に記載されている実施形態のいずれも、以下の特徴のうちの１つまたは複数を含み得る。
【０００７】
一部の実施形態では、鏡組立体は、前側と、後側と、筐体部とを備える。一部の実施形態では、鏡組立体は支持部を備える。一部の実施形態では、鏡組立体は、筐体部に結合される支持部を備える。一部の実施形態では、鏡組立体は鏡ヘッドを備える。一部の実施形態では、鏡ヘッドは第１の側と第２の側とを備える。一部の実施形態では、鏡ヘッドは鏡組立体の支持部に結合される。一部の実施形態では、鏡ヘッドはスイベルジョイントを介して支持部に結合される。一部の実施形態では、支持部は鏡ヘッドの周辺の少なくとも一部分の周りに位置決めされる。一部の実施形態では、支持部は、鏡ヘッドおよび／または鏡ヘッドの反射面の外周全体の周りに（または、実質的に外周全体の周りに）位置決めされる。一部の実施形態では、スイベルジョイントは、スイベルジョイントによって形成される軸周りでの鏡ヘッドの回転を可能にする。一部の実施形態では、第１の鏡および第２の鏡（例えば、鏡の反射面）は、鏡ヘッドをスイベルジョイントの軸周りに回転させることによって、鏡組立体の前側から別々に見られ得る。一部の実施形態では、第１の鏡が鏡組立体の前側を向いているとき、第２の鏡は鏡組立体の後側の方に向けられる。一部の実施形態では、第２の鏡が鏡組立体の前側を向いているとき、第１の鏡は鏡組立体の後側の方に向けられる。
【０００８】
一部の実施形態では、鏡組立体は光源をさらに備える。一部の実施形態では、鏡組立体は、長さを有する光路をさらに備える。一部の実施形態では、光路および／または光路の長さは、第１の鏡が鏡組立体の前側を向いているときに第１の鏡の周辺の少なくとも一部分の周りに位置決めされる。一部の実施形態では、光路および／または光路の長さは、第２の鏡が鏡組立体の前側を向いているときに第２の鏡の周辺の少なくとも一部分の周りに位置決めされる。一部の実施形態では、鏡組立体の光路は、第１の鏡または第２の鏡のいずれかが鏡の前側を向いている場合、光路（または、光路の長さ）が鏡の前側を向いているときに第１の鏡または第２の鏡の周辺の少なくとも一部分の周りに位置決めされるように、支持部に配置される。
【０００９】
一部の実施形態では、第１の鏡および第２の鏡の少なくとも一方は拡大鏡である。一部の実施形態では、第１の鏡と第２の鏡とは異なる拡大率を有する。一部の実施形態では、第１の鏡は少なくとも５Ｘの拡大率を有する。一部の実施形態では、第２の鏡は本質的に拡大率を有していない。
【００１０】
一部の実施形態では、鏡組立体は、鏡ヘッドの第２の側に配置される第３の鏡をさらに備える。一部の実施形態では、第２の鏡と第３の鏡とは鏡ヘッドの面を一緒に形成する。一部の実施形態では、第２の鏡および第３の鏡の一方または両方は、拡大鏡である。一部の実施形態では、第２の鏡および第３の鏡は異なる拡大率を有する。
【００１１】
一部の実施形態では、第２の鏡および第３の鏡は、概して合致している焦点をそれぞれ有する。一部の実施形態では、使用者は、身体部分に再び焦点を合わせるために身体を再位置決めする必要なく、第２の鏡から第３の鏡へと、または、第３の鏡から第２の鏡へと目を向けるだけで、身体部分に焦点を合わせることができる。
【００１２】
一部の実施形態では、本明細書における他の部分に記載しているように、第２の鏡は部分的な形を有してもよい。一部の実施形態では、第３の鏡も、第２の鏡と一緒に置かれるとき、合致する部分的な形であり、第２の鏡および第３の鏡は完全な形を提供する。一部の実施形態では、例えば、第２の鏡と第３の鏡とは、実質的に円形の鏡面とされた鏡ヘッド面を提供するように成形される。例えば、一部の実施形態では、第２の円と第３の円とが組み合わされた後に実質的に完全な円を提供するように、第２の鏡は、鏡面とされた円の一部分（例えば、半円、円の一部分、全部または完全ではない円など）を形成し、第３の鏡は、鏡面とされた円の合致する一部分（例えば、半円、円の一部分、全部または完全ではない円など）を形成する。一部の実施形態では、第２の鏡は他の形（例えば、部分的な正方形、部分的な長方形など）であってもよく、第３の鏡は、形を完全にするために部分的な形の一部分へと嵌まることができる（例えば、結果として、正方形または実質的に正方形の鏡面、長方形または実質的に長方形の鏡面、楕円または実質的に楕円の鏡面、菱形または実質的に菱形の鏡面、三角形または実質的に三角形の鏡面などをもたらす）。
【００１３】
一部の実施形態では、鏡ヘッドは、鏡ヘッドをスイベルジョイントの軸周りで移動させるために使用され得るハンドルをさらに備える。一部の実施形態では、ハンドルは、第１の鏡が鏡組立体の前側を向いているときに第１の区画部を介して支持部と係合する。一部の実施形態では、ハンドルは、第２の鏡が鏡組立体の前側を向いているときに第２の区画部を介して支持部と係合する。一部の実施形態では、ハンドルは支持部に接し、スイベルジョイントの軸周りでの鏡ヘッドの３６０°の移動を防止する。一部の実施形態では、ハンドルはスイベルジョイントの軸周りでの鏡ヘッドの３６０°の移動を可能にする。ハンドルには、１つまたは複数の追加の方法でハンドルを作動させること（例えば、ハンドルを捩じる、押す、および／または引っ張ることなど）で、鏡によって発生される光の強度、輝度、および色、色温度、ならびに／または、本明細書で開示されている任意の他の調節可能な光の変数など、鏡組立体の１つまたは複数の電子的なパラメータまたは特徴を作動または調節するように構成される制御装置と電子的に通信している１つまたは複数の内部電子部品（例えば、１つまたは複数のスイッチまたはダイヤル）が代替または追加で設けられてもよい。一部の実施形態では、ハンドルは、鏡組立体への電源をオンまたはオフするように作動され得る。一部の実施形態では、第１のハンドルが鏡ヘッドの配向を変えるために設けられてもよく、第２のハンドルが鏡の電子的なパラメータまたは特徴のうちの１つまたは複数を作動または調節するために設けられてもよい。
【００１４】
一部の実施形態では、光源は、光路の長さに沿う概略的な方向に光を発するように配置される第１の発光ダイオードおよび第２の発光ダイオードを少なくとも備える。一部の実施形態では、鏡組立体は、自然の日光および室内の光を含む複数の異なるライティング環境をシミュレーションするために、光源から発せられる光を調節するように構成される制御装置を備える。
【００１５】
一部の実施形態では、制御装置は、光源と電子的に通信しており、使用者によって送られる情報を光源へと送信するように構成されるタッチセンサ（例えば、容量式タッチセンサ）を備える。一部の実施形態では、容量式タッチセンサは鏡組立体の支持部の一部分に位置付けられる。
【００１６】
本明細書で開示されている一部の実施形態は、鏡ヘッド、筐体、光源、および光路のうちの１つまたは複数を備える鏡組立体に関係する。一部の実施形態では、鏡ヘッドは筐体に結合される。一部の実施形態では、鏡ヘッドは、第１の鏡と第２の鏡とを備える第１の側を備える。一部の実施形態では、使用者は、身体部分に再び焦点を合わせるために身体を再位置決めする必要なく、第１の鏡から第２の鏡へと、または、第２の鏡から第１の鏡へと目を向けるだけで、身体部分に焦点を合わせることができる。一部の実施形態では、第１の鏡および第２の鏡は、概して合致している焦点をそれぞれ有する。一部の実施形態では、光路は、長さを有し、第１の鏡の周辺の少なくとも一部分の周りに位置決めされる。
【００１７】
一部の実施形態では、鏡組立体は支持部と筐体部とをさらに備える。一部の実施形態では、鏡ヘッドは、スイベルジョイントを介して支持部に結合され、支持部は筐体部に結合される。一部の実施形態では、支持部は鏡ヘッドの周辺の少なくとも一部分の周りに位置決めされる。一部の実施形態では、鏡ヘッドは、第３の鏡を備える第２の側をさらに備える。一部の実施形態では、スイベルジョイントは、スイベルジョイントによって形成される軸周りでの鏡ヘッドの回転を可能にする。一部の実施形態では、第１の鏡および第３の鏡は、支持部の内部で鏡ヘッドをスイベルジョイントの軸周りに回転させることによって、鏡組立体の前側から別々に見られる。一部の実施形態では、鏡ヘッドは、鏡ヘッドをスイベルジョイントの軸周りで移動させるために使用され得るハンドルまたは他のアクチュエータをさらに備える。一部の実施形態では、ハンドルは、第１の鏡が鏡組立体の前側を向いているときに第１の区画部を介して支持部と係合し、第３の鏡が鏡組立体の前側を向いているときに第２の区画部を介して支持部と係合する。一部の実施形態では、ハンドルは支持部に接し、支持部の内部におけるスイベルジョイントの軸周りでの鏡ヘッドの３６０°の回転を防止する。
【００１８】
本明細書で開示されている一部の実施形態は、筐体部、鏡ヘッド、光源、および光路のうちの１つまたは複数を備える鏡組立体に関係する。一部の実施形態では、鏡ヘッドは筐体に結合される。一部の実施形態では、鏡ヘッドは第１の側を備える。一部の実施形態では、鏡ヘッドの第１の側は、継ぎ目によって分離される第１の鏡および第２の鏡を備える。一部の実施形態では、第１の鏡および第２の鏡の少なくとも一方は拡大鏡であり、第１の鏡と第２の鏡とは異なる拡大率を有する。一部の実施形態では、第１の鏡および第２の鏡は、物体が、物体の反射が第１の鏡に存在する第１の位置から、物体の反射が第２の鏡に存在する第２の位置まで移動されていくとき、物体の反射が継ぎ目を横断する際、および／または、継ぎ目を横切って移行する際、物体の反射の少なくとも一部分が邪魔されないような方法で、互いに対して位置決めされる。一部の実施形態では、光路は、長さを有し、第１の鏡の周辺の少なくとも一部分の周りに、および／または、その一部分に隣接して、位置決めされる。一部の実施形態では、使用者は、身体部分に再び焦点を合わせるために身体を再位置決めする必要なく、第１の鏡から第２の鏡へと、または、第２の鏡から第１の鏡へと目を向けるだけで、身体部分に焦点を合わせることができる。
【００１９】
一部の実施形態では、鏡組立体は支持部と筐体部とをさらに備え、鏡ヘッドはスイベルジョイントを介して支持部に結合され、支持部は筐体部に結合される。一部の実施形態では、支持部は鏡ヘッドの周辺の少なくとも一部分の周りに位置決めされる。一部の実施形態では、鏡ヘッドは、第３の鏡を備える第２の側をさらに備える。一部の実施形態では、スイベルジョイントは、スイベルジョイントによって形成される軸周りでの鏡ヘッドの回転を可能にする。一部の実施形態では、第１の鏡および第３の鏡は、支持部の内部で鏡ヘッドをスイベルジョイントの軸周りに回転させることによって、鏡組立体の前側から別々に見られる。一部の実施形態では、鏡ヘッドは、鏡ヘッドをスイベルジョイントの軸周りで移動させるために使用され得るハンドルをさらに備える。一部の実施形態では、ハンドルは、第１の鏡が鏡組立体の前側を向いているときに第１の区画部を介して支持部と係合し、第３の鏡が鏡組立体の前側を向いているときに第２の区画部を介して支持部と係合する。一部の実施形態では、ハンドルは支持部に接し、支持部の内部におけるスイベルジョイントの軸周りでの鏡ヘッドの３６０°の回転を防止する。
【００２０】
一部の実施形態は、鏡組立体を製造する方法に関係する。一部の実施形態では、方法は、支持部を筐体部に結合するステップを含む。一部の実施形態では、方法は、回転可能継手を支持部に結合するステップを含む。一部の実施形態では、方法は、鏡ヘッドを、回転可能継手を介して支持部に結合するステップを含む。一部の実施形態では、方法は、第１の鏡を鏡ヘッドの第１の側に結合し、第２の鏡を鏡ヘッドの第２の側に結合するステップを含む。一部の実施形態では、方法は、光源を支持部の表面または内部に配置するステップを含む。
【００２１】
一部の実施形態では、方法は、第３の鏡を鏡ヘッドの第２の側に結合するステップをさらに含む。一部の実施形態では、方法は、第２の鏡の焦点および第３の鏡の焦点を、おおまかに、おおよそで、または実質的に一致されるように調節するステップをさらに含む。
【００２２】
一部の実施では、センサは、物体とセンサとの間の距離を検出し、その距離を指し示す信号を生成するように構成される。電子処理装置は、センサから信号を受信するように構成でき、例えば、物体とセンサとの間の検出された距離に応じて、光源によって発せられる光の量または質を変えることで、光源を制御できる。
【００２３】
一部の実施形態では、鏡組立体が、基礎と、反射面と、１つまたは複数の光源と、ライトパイプなどの光搬送経路とを備える。組み合わせで、光源とライトパイプとは、ライトパイプの長さに沿って実質的に一定の光を反射する。例えば、特定の実施形態では、光搬送経路は、反射面の周辺の一部、実質的に全部、または全部の周りに概して配置される。
【００２４】
本開示の特定の態様は、鏡組立体に向けられている。鏡組立体は、筐体部と結合される鏡と、鏡の周辺に配置される光源とを備えてもよい。鏡組立体は、長さを有し、鏡の周辺の少なくとも一部分の周りに位置決めされる、ライトパイプなどの光路を備えてもよい。鏡組立体は、ライトパイプの長さに沿って配置される複数の光散乱要素など、光散乱領域を備えてもよい。光散乱要素は、光源からの光路に沿っての距離に少なくとも一部応じて変わるパターン密度を有してもよい。光散乱要素は、光散乱要素に影響を与える光の一部分が光路の長さの望ましい部分に沿って光路から発せられるように仕向けるように構成されてもよい。光路における光散乱要素の量は、光源からの光路に沿っての距離に少なくとも一部応じて変わってもよい。特定の実施形態では、パターン密度は、光源に概して隣接する領域ではより小さい密度とすることができ、鏡の周辺に沿って、光源から離間された領域、または、光源と概して反対の領域ではより大きい密度とすることができ、それによって、光の強度が光源からより遠くにおいて弱まるにつれて、光をより大きな度合いまで散乱させ、ライトパイプの長さに沿って発せられる実質的に一定の量の光を促進する。
【００２５】
本明細書で開示されているバニティミラーの特徴、構造、ステップ、または工程のいずれも、任意の実施形態に含まれ得る。光源に概して隣接する領域における光散乱要素は、光源から離された領域、光源と概して反対の領域、または、光源から概して最も遠い領域における光散乱要素と比較して小さくてもよい。光源は鏡の上方部の近くに位置決めされ得る。ライトパイプは鏡の周辺の実質的にすべてに沿って配置され得る。光源は、鏡の標準的な見る方向に対して概して直交する方向で光を発することができる。ライトパイプは概して円形とすることができ、第１の端と第２の端とを備えてもよい。光源は光を第１の端へと発することができ、別の光源は光を第２の端へと発することができる。一部の実施形態では、光散乱要素は、ライトパイプの少なくとも一部分に沿って概して一様に分配される。
【００２６】
本開示の特定の態様は、筐体部と結合される鏡と、鏡の周辺に配置される１つまたは複数の光源とを備える鏡組立体に向けられている。１つまたは複数の光源は、鏡の基本的な見る方向に対して概して直交する方向で光を発するように構成され得る。ライトパイプは、長さを有してもよく、鏡の周辺の実質的にすべてに沿って配置され得る。ライトパイプは、１つまたは複数の光源から光を受け、長さに沿って概して一貫して光を分配するように構成でき、それによって、概して一定のレベルの照明を、鏡の周辺に、および／または、鏡に反射される物体に提供する。
【００２７】
本明細書で開示されているバニティミラーの特徴、構造、ステップ、または工程のいずれも、任意の実施形態に含まれ得る。１つまたは複数の光源は、光を鏡の周辺の周りで第１の方向に投射するように構成される第１の光源と、光を鏡の周辺の周りで第２の方向に投射するように構成される第２の光源とを備え得る。１つまたは複数の光源は２つの光源であり得る。光源の各々は約３ワット以下の電力を使用し得る。１つまたは複数の光源は、少なくとも約９０の演色評価数を有することができる。１つまたは複数の光源は発光ダイオードを備えてもよい。ライトパイプは、１つまたは複数の光源から発せられる光の少なくとも約９５％を伝送するように構成され得る。
【００２８】
本開示の特定の態様は、本明細書で開示されている鏡組立体のいずれかなどの鏡組立体を製造する方法に向けられている。方法は、鏡と筐体部とを結合するステップを含み得る。方法は、光源を鏡の周辺に配置するステップを含み得る。方法は、ライトパイプを鏡の周辺の少なくとも一部分の周りに位置決めするステップを含み得る。方法は、複数の光散乱要素をライトパイプの長さに沿って配置するステップを含み得る。特定の実施形態では、複数の光散乱要素はパターン密度を有してもよい。光散乱要素は、光散乱要素に影響を与える光の一部分がライトパイプから発せられるように仕向けるように構成されてもよい。パターン密度は、光源に概して隣接する領域ではより小さい密度とすることができ、鏡の周辺に沿って、光源と概して反対の領域、光源から離された領域、または、光源から最も遠い領域ではより大きい密度とすることができ、それによって、ライトパイプの長さに沿って発せられる実質的に一定の量の光を促進する。特定の実施形態では、方法は、鏡の上方部分の近くで光源を位置決めするステップを含み得る。特定の実施形態では、方法は、ライトパイプを鏡の周辺の実質的にすべての周りに配置するステップを含み得る。特定の実施形態では、方法は、鏡の基本的な見る方向に対して概して直交する方向で光を発するように光源を位置決めするステップを含み得る。特定の実施形態では、方法は、光をライトパイプの第１の端へと発するために光源を位置決めし、光をライトパイプの第２の端へと発するために別の光源を位置決めするステップを含み得る。特定の実施形態では、方法は、光散乱要素をライトパイプの少なくとも一部分に沿う概して一様のパターンで配置するステップを含み得る。
【００２９】
本開示の特定の態様は、筐体部と、鏡と、１つまたは複数の光源と、近接センサと、電子処理装置とを有する鏡組立体に向けられている。鏡は筐体部と結合されてもよい。１つまたは複数の光源は鏡の周辺に配置されてもよい。近接センサは感知領域内で物体を検出するように構成され得る。近接センサは、物体と近接センサとの間の距離を指し示す信号を生成するように構成され得る。電子処理装置は、物体とセンサとの間の距離に応じて変わるレベルの光を発するための１つまたは複数の光源に電子信号を生成するように構成され得る。
【００３０】
本明細書で開示されているバニティミラーの特徴、構造、ステップ、または工程のいずれも、任意の実施形態に含まれ得る。近接センサは概して鏡の上領域の近くに位置決めされ得る。電子処理装置は、近接センサが所定の期間の時間にわたって物体の存在および／または移動を検出しない場合に作動停止するために、１つまたは複数の光源への電子信号を生成するように構成され得る。近接センサは、物体を検出した後に感度を増加させるように構成され得る（例えば、始動領域距離を増加させることで、始動領域内の移動への感度を増加させることで、および／または、作動停止までの時間間隔を増加させることで）。鏡組立体は、周囲光のレベルを検出するように構成される周囲光センサを備えてもよい。一部の実施形態では、感知領域は、近接センサから延びる軸に対して約０度から約４５度までで下向きに延び得る。近接センサは、鏡の見る面に対してある角度で搭載されてもよい。鏡組立体は、近接センサの近くに位置決めされるレンズカバーを備えてもよい。特定の実施形態では、レンズカバーの前面は近接センサに対してある角度で位置決めされてもよい。鏡組立体は、長さを有し、鏡の周辺の実質的にすべてに沿って配置されるライトパイプを備えてもよい。ライトパイプは、１つまたは複数の光源から光を受け、長さに沿って概して一貫して光を分配するように構成でき、それによって、実質的に一定のレベルの照明を鏡の周辺に提供する。
【００３１】
本開示の特定の態様は、鏡組立体を製造する方法に向けられている。方法は、鏡を筐体部と結合するステップを含み得る。方法は、１つまたは複数の光源を鏡の周辺に配置するステップを含み得る。方法は、物体と近接センサとの間の距離を指し示す信号を生成するように近接センサを構成するステップを含み得る。方法は、物体とセンサとの間の距離に応じて変わるレベルの光を発するための１つまたは複数の光源に電子信号を生成するように電子処理装置を構成するステップを含み得る。
【００３２】
本明細書で開示されているバニティミラーの特徴、構造、ステップ、または工程のいずれも、任意の実施形態に含まれ得る。鏡組立体を製造する方法は、近接センサを概して鏡の上領域の近くに位置決めするステップを含み得る。方法は、近接センサがある期間の時間にわたって物体を検出しない場合に作動停止するために、１つまたは複数の光源への電子信号を生成するように電子処理装置を構成するステップを含み得る。方法は、近接センサが物体を検出した後に感度を増加させるように近接センサを構成するステップを含み得る。方法は、周囲光のレベルを検出するように周囲光センサを構成するステップを含み得る。方法は、近接センサから延びる軸に対して約０度から約４５度までで下向きに延びる感知領域内で物体を検出するように近接センサを構成するステップを含み得る。方法は、近接センサを鏡の見る面に対してある角度で搭載するステップを含み得る。方法は、レンズカバーを近接センサの近くに位置決めするステップを含み得る。特定の実施形態では、方法は、レンズカバーの前面を近接センサに対してある角度で位置決めするステップを含み得る。方法は、ライトパイプを鏡の周辺の実質的にすべてに沿って配置するステップを含み得る。ライトパイプは、１つまたは複数の光源から光を受け、長さに沿って概して一貫して光を分配するように構成でき、それによって、実質的に一定のレベルの照明を鏡の周辺に提供する。
【００３３】
本開示を手短に述べる目的のために、本発明の特定の態様、利点、および特徴が本明細書に記載されている。このような利点のいずれもまたはすべてが、本明細書に開示されている本発明の任意の具体的な実施形態によって必ずしも達成されないことは、理解されるものである。本開示の態様は、必須のものまたは不可欠のものではない。
【００３４】
本明細書に開示されている鏡組立体の前述の特徴および他の特徴は、特定の実施形態の図面を参照して以下に記載されている。例示した実施形態は、本開示を例示するように意図されており、本開示を限定するように意図されていない。図面は以下の図を含んでいる。
【図面の簡単な説明】
【００３５】
【図１】鏡組立体の実施形態の斜視図である。
【図２】図１の実施形態の側面図である。
【図３】図１の実施形態の上面図である。
【図４】図１の実施形態の下面図である。
【図５】図１の実施形態の後面図である。
【図６】ライトパイプカバーが取り外された状態でセンサ組立体を示している、図１の実施形態の一部分の拡大図である。
【図７】後カバー部が取り外された状態の図１の実施形態の一部分の拡大図である。
【図８Ａ】図１に示した実施形態の光搬送経路を示す図である。
【図８Ｂ】図８Ａに示した光搬送経路の一部分の拡大図である。
【図８Ｃ】図８Ａに示した光搬送経路の一部分の拡大図である。
【図９】鏡組立体の実施形態の斜視図である。
【図１０】図９の実施形態の底の斜視図である。
【図１１】図９の実施形態の前面図である。
【図１２】図９の実施形態の後面図である。
【図１３】図９の実施形態の上面図である。
【図１４】図９の実施形態の下面図である。
【図１５】後鏡を示す、図９の実施形態の一部分の拡大後面図である。
【図１６】前鏡が取り外され、ライトパイプカバーが取り外された状態でセンサ組立体を示している、図９の実施形態の一部分の拡大図である。
【図１７】前鏡が取り外され、ライトパイプが引き離された状態での図９の実施形態の一部分の拡大図である。
【図１８】図９の実施形態の一部分の部分的な分解図である。
【図１９】図９の実施形態の第１の側面図である。
【図２０】図９の実施形態の第２の側面図である。
【図２１】図９の実施形態の分解図である。
【図２２】図９の実施形態の一部分の分解図である。
【図２３】図９の実施形態の底の斜視図である。
【図２４Ａ】図９の鏡組立体における自身の反射を見る人を示す図である。
【図２４Ｂ】凹面鏡の反射パターンを示す概略図である。
【図２４Ｃ】図９の鏡の分割側を示す図である。
【図２４Ｄ】鏡面の実施形態の分割側を示す図である。
【図２５】図１および図９の鏡組立体の構成部品によって実施され得るアルゴリズムの実施形態のブロック図である。
【発明を実施するための形態】
【００３６】
鏡組立体の特定の実施形態が、特有の実用性を有するため、携帯用の独立して立つバニティミラーの文脈において開示されている。しかしながら、本開示の様々な態様が、壁に備え付けられた鏡、家具に備え付けられた鏡、自動車のバニティミラー（例えば、サンバイザーに配置される鏡）、およびその他など、多くの他の文脈において同様に用いられてもよい。本明細書に記載した特徴のいずれも必須のものまたは不可欠のものではない。本明細書に開示されているあらゆる特徴、構造、またはステップは、本明細書に開示されている任意の他の特徴、構造、またはステップと置き換えられ得る、もしくは、組み合わせられ得る、または、省略され得る。本明細書に記載されている一部の実施は単一の鏡の様々な寸法および品質を提供するが、様々な寸法および品質は、（例えば、複数の鏡を有する鏡組立体において）鏡組立体における他の鏡および／または鏡組立体の複数の鏡に適用され得ることは、理解されるものである。さらに、本明細書における他の部分に記載されているように、異なる鏡が、組立体の異なる鏡における複数の異なる鏡の品質を鏡組立体に提供するために組み合わされてもよい。例えば、一部の実施形態では、複数の鏡面が鏡組立体に存在する場合、１つの形を有する鏡が、鏡組立体における異なる形を有する鏡と組み合わされる。一部の実施形態では、ある色合いを有する鏡が、鏡組立体における異なる色合いを有する鏡と組み合わされる。一部の実施形態では、ある拡大の率を有する鏡は、異なる拡大を有する別の鏡と組み合わされる。一部の実施形態では、ある大きさを有する鏡は、異なる大きさを有する別の鏡と組み合わされる。異なる鏡の特徴を組み合わせるこの能力は、鏡組立体の使用者に複数の使用の選択肢を提供するのを助けることができる。
【００３７】
図１〜図５に示しているように、鏡組立体２は、筐体部８と、鏡４などの視覚的な像反射面とを備え得る。筐体部８は、支持部２０と、シャフト部１２、および／または基礎部１４を備え得る。筐体部８は、支持部２０とシャフト部１２とを連結する旋回部１６も備える。旋回部１６は、１つまたは複数の玉継手（例えば、または複数方向の移動を可能にする別の継手）、１つまたは複数のヒンジ、または他のものを備え得る。筐体部８の特定の構成要素は、筐体部８を形成するために、一体に形成され得る、または、別々に形成されて一体に連結され得る。筐体８は、その外面の少なくとも一部分において、プラスチック、ステンレス鋼、アルミニウム、もしくは他の適切な材料、ならびに／または、ゴム、ナイロン、および／もしくはプラスチックなどの１つもしくは複数の圧縮可能な材料を含み得る。
【００３８】
鏡組立体２は、図６〜図８Ｃとの関連で記載されている構成部品のうちの１つまたは複数を備え得る。図９は、鏡組立体２の構成部品と同様の多くの構成部品を備える別の鏡組立体１０２を示している。本開示を通じて、異なる実施形態（例えば、符号２および１０２などの異なる鏡組立体）は、１つまたは複数の対応する特徴を備え得る。ある実施形態で例示または記載されている任意の構造、特徴、材料、またはステップは、省略され得る、または、別の実施形態で例示もしくは記載されている任意の構造、特徴、材料、もしくはステップと共に使用され得る、または、それら任意の構造、特徴、材料、もしくはステップで代替され得る。ある実施形態の特徴が他の実施形態の特徴と対応する場合（例えば、同じ場合、実質的に同じ場合、同じまたは同様の目的を達成する場合など）、それらの特徴は、１００だけ符号がずらされている（一の位と十の位とは同じ値を有する）。図示のように、鏡組立体２の特徴部１０は、鏡組立体１０２の特徴１１０に対応し得る。例えば、図１の鏡組立体２は、鏡４などの視覚的な像反射面を備え、図９の鏡組立体１０２は、鏡１０４などの視覚的な像反射面を備える。
【００３９】
一部の実施形態では、鏡組立体１０２は筐体部１０８を備える。一部の実施形態では、筐体部１０８は、シャフト部１１２および／または基礎部１１４の１つまたは複数を備え得る。筐体部１０８は、支持部１２０を筐体１０８に連結するための旋回部１１６も備え得る。一部の実施形態では、鏡組立体１０２は鏡ヘッド１０３を備える。一部の実施形態では、鏡組立体１０２の鏡ヘッド１０３は、支持部１２０および腕部１１３を介して旋回部１１６およびシャフト部１１２に連結される。一部の実施形態では、図９および図１０に示しているように、シャフト部１１２および／または腕部１１３は、鏡ヘッド１０３またはそのある一部分を、鏡ヘッド１０３を貫いて横断する軸周りに幅広い角度で回転させることができるように、鏡ヘッド１０３または支持部１２０の複数の一部分のうちの１つに、その側方において連結され得る、および／または、その内部もしくは中央の領域には連結され得ず、そのため、鏡ヘッド１０３の前面および後面はそれぞれ鏡組立体１０２における位置を選択的に切り替えるようにさせられ得る。
【００４０】
一部の実施形態では、本明細書における他の部分に記載されているように、複数の鏡（例えば、２つ、３つ、４つなど）が、使用者への異なる拡大のレベルなど、複数の異なる光学的な能力または特徴を提供するために、単一の鏡組立体１０２に設けられる。同じ鏡組立体１０２において異なる鏡で設けられ得る１つまたは複数の他の光学的な能力は、異なるライティング強度、異なる色温度、異なる色合い、異なる鏡の反射性などである。例えば、一部の実施形態では、図９および図１０で示しているように、第１の鏡１０４、第２の鏡１０４’、および第３の鏡１０４”が設けられ得る。図９〜図１２に示しているように、複数の異なる光学的能力または特徴を伴う２つ以上の鏡とされた表面（例えば、２つ、３つなど）が、鏡ヘッド１０３の側方（例えば、後面１０３”）に設けられてもよい。一部の実施形態では、鏡ヘッド１０３の前面１０３’は第１の鏡１０４を備える。一部の実施形態では、後面１０３”は第２の鏡１０４’と第３の鏡１０４”とを備える。一部の実施では、鏡ヘッドの後面は１つの鏡を備える。一部の変形では、２つ以上の鏡が鏡ヘッドの前面に設けられる。
【００４１】
一部の実施形態では、鏡４、１０４、１０４’、１０４”は、概して平坦な面、または、凸状もしくは凹状の概して球状の面を備えてもよい。曲率半径は所望の屈折力に依存し得る。一部の実施形態では、曲率半径は、少なくとも約１５インチであり得る、および／または、約３０インチ以下であり得る。焦点距離は曲率半径の半分であり得る。例えば、焦点距離は、少なくとも約７．５インチであり得る、および／または、約１５インチ以下であり得る。一部の実施形態では、曲率半径は、少なくとも約１８インチであり得る、および／または、約２４インチ以下であり得る。一部の実施形態では、鏡は、約２０インチの曲率半径と、約１０インチの焦点距離とを備え得る。一部の実施形態では、鏡は、焦点のカスタマイズを容易にする非球面である。
【００４２】
図１および図９に示しているように、鏡組立体４、１０４の鏡のうちの１つまたは複数は、概して円の形を有し得る。他の実施形態では、鏡のうちの１つまたは複数は、概して楕円形、概して正方形、概して長方形、または任意の他の形であり得る全体の形を有し得る。一部の実施形態では、図１０および図１２に示しているように、鏡のうちの１つまたは複数は、円形（例えば、符号１０４”）、楕円形、正方形、長方形、菱形、三角形、または任意の他の形などの標準的な形の一部を形成する部分的な形を有してもよい。一部の実施形態では、鏡は、組み合わされるときに円形を形成する、満ちゆくもしくは欠けるギボス状もしくは三日月の形とすることができ、および／または、鏡は、一緒に置かれるときに実質的に完全な円形、正方形、長方形などの実質的に完全な形を形成する別々の対応する部品または相補的な部品の形で各々あり得る。一部の実施形態では、鏡組立体の鏡のうちの１つまたは複数は、少なくとも約８インチの直径、および／または、約１２インチ以下の直径を有し得る。一部の実施形態では、鏡のうちの１つまたは複数は約８インチの直径を有し得る。特定の実施形態では、鏡組立体の鏡のうちの１つまたは複数は、少なくとも約１２インチの直径、および／または、約１６インチ以下の直径を有し得る。一部の実施形態では、複数の鏡が単一の鏡組立体に存在する場合、異なる直径を有する鏡面が単一の組立体で使用され得る。
【００４３】
一部の実施形態では、鏡４、１０４、１０４’、１０４”の曲率半径は、物体の拡大（屈折力）が変えられるように制御される。一部の実施形態では、反射される物体の像は拡大されない（例えば、１Ｘの拡大を有する）。一部の実施形態では、拡大は、少なくとも約２倍以上（例えば、２Ｘ）であり、および／または、約１０倍以下（例えば、１０Ｘ）である。例えば、鏡の焦点において、物体の像は、拡大されていない像の少なくとも約２倍以上（例えば、２Ｘ）および／または約１０倍以下（例えば、１０Ｘ）で現れる。特定の実施形態では、物体の像の拡大は、物体の少なくとも約５倍以上（例えば、５Ｘ）である。
【００４４】
一部の実施形態では、複数の鏡が提供される場合、鏡は、異なる拡大のもの、または、同じ拡大のものであり得る。例えば、一部の実施形態では、図９および図１０に示しているように、第１の鏡１０４は５Ｘの鏡であり、第２の鏡１０４’は１Ｘの鏡であり、第３の鏡１０４”は１０Ｘの鏡である。一部の実施形態では、第１の鏡１０４は２Ｘの鏡であり、第２の鏡１０４’は１Ｘの鏡であり、第３の鏡１０４”は１０Ｘの鏡である。一部の実施形態では、第１の鏡１０４は５Ｘの鏡であり、第２の鏡１０４’は２Ｘの鏡であり、第３の鏡１０４”は１０Ｘの鏡である。拡大レベルの他の構成、変形、および組み合わせが使用されてもよい。例えば、鏡１０４、１０４’、１０４”のうちの任意の１つまたは複数は、約０．２５Ｘ以下、約０．５Ｘ以下、約１Ｘ以下、約２Ｘ以下、約５Ｘ以下、約１０Ｘ以下、または、前述の値を含む範囲および／もしくは前述の値に及ぶ範囲の拡大を有し得る。一部の実施形態では、これらの異なる鏡の拡大は、使用者が身体の位置を変える、または、鏡を移動もしくは再配向させることを必要とせずに、使用者の目を移動させることによって、異なる拡大で使用者が顔または身体の一部分を素早くおよび／または容易に見ることを可能にする。
【００４５】
一部の実施形態では、２つの鏡（または、３つ、４つなど）が鏡ヘッドの同じ面（例えば、後面または前面）に存在する場合、同じ面における鏡の焦点は、三次元の空間において大体同じ場所に位置決めされ得る。例えば、鏡とされた表面の湾曲および／または形に基づいて、その焦点および拡大の度合いは調節および操作され得る。一部の実施形態では、鏡ヘッド１０３の１つの面における２つの鏡１０４’、１０４”は、異なる拡大レベルを有するように成形されるが、各々の鏡のそれぞれの焦点（例えば、鏡像が使用者に焦点を合わされて現れる点）が、一致するように、および／または、実質的に一致もしくはおおよそ一致するように、成形および／または配向される。
【００４６】
一部の実施形態では、例えば、鏡組立体１０２の２つの鏡１０４’、１０４”のそれぞれの像を見るとき、使用者は、使用者が自身の頭もしくは身体を移動させる必要なく、および／または、鏡を移動もしくは調節することなく、鏡組立体１０２の同じ側において、一方の鏡（例えば、鏡１０４’）から他方の鏡（例えば、鏡１０４”）へと目を向ける（例えば使用者の目を移す）だけで、または、その逆をするだけで、異なる拡大レベルで身体部分の一部分に焦点を合わせることができる。例えば、使用者は、目を一方の鏡から他方の鏡へと移動させるだけで、２つの拡大レベルで１つの顔の特徴または身体部分（例えば、目、眉、頬、鼻、額、首、肩など）に焦点を合わせることが、反射像に焦点を合わせるために任意の他の身体部分を感知できるほどに移動させずに（例えば、頭または首などを感知できるほどに移動させずに）可能である。一部の実施形態では、鏡のそれぞれの焦点は、同一である、実質的に同一である、または、少なくとも互いの近くに位置付けられ、そのため、見る人は、目を移動させることで、複数の異なる拡大レベルで１つの身体部分を見られる。例えば、一部の実施形態では、鏡組立体１０２の顔の同じ側における複数の鏡のそれぞれの焦点の間の距離は、鏡が作られる目標母集団における人の目の大体の平均的な焦点距離以下であり得る。一部の実施形態では、鏡のそれぞれの焦点は、概して一致する、および／または、概して同一線上にある、および／または、概して同じ焦点深度内にある。１Ｘの鏡は、無限である焦点距離を有する。一部の実施形態では、１Ｘの鏡によって作り出された像は、どこでも焦点が合うことになり、そのため、特定の焦点において異なる拡大のレベルを有する他の鏡によって作り出される像を見るために、使用者が自身の顔を位置決めした場所でぼやけることはない。したがって、使用者は、例えば、鏡から大体同じ距離にある鏡組立体の同じ側における拡大鏡と１Ｘの鏡とにおいて、自身の凝視を一方の鏡から他方の鏡へと移すときに身体部分を移動させる必要なく、身体部分（例えば、顔の特徴）に焦点を合わせることができる。
【００４７】
一部の実施形態では、使用者は、実質的に同時に２つの拡大で顔または身体部分に焦点を合わせることができる。同様に、単一の鏡の側（例えば、鏡面）における２つの鏡の焦点はおおよそ一致している一部の実施形態では、使用者は、鏡に反射される顔の特徴および／または身体部分の像の大きさを、目を一方の鏡から他方の鏡へと（例えば、１Ｘから１０Ｘへなど）移すだけで縮小（例えば、収縮、低減など）できる。使用者が、身体部分を拡大または縮小するために、自身の目を一方の鏡から他方の鏡へと移すことだけを必要とするため、使用者は、例えば、同じ顔の特徴のより大きい拡大またはより小さい拡大を達成するために、身体または鏡を再位置決めする必要なく、メーキャップをより素早くより簡単に適用することができる。
【００４８】
図２４Ａでは、使用者の反射された目が、鏡１０４’、１０４”の間における一方の鏡１０４’から隣の鏡１０４”への継ぎ目１０４ａ（例えば、境界面）を横切る移行領域において見られる。一部の実施形態では、図２４Ａに示しているように、一方の鏡面１０３”の鏡１０４’、１０４”は、移動する物体が一方の鏡から隣の鏡へと（例えば、鏡１０４’から鏡１０４”へと、または、その逆へと）通過するときにその物体の反射像１０４ｄ、１０４ｅにおける点によって横断される少なくとも１つの経路において、または、その経路に沿って、途切れ、中断、および／または遅れが実質的にないように位置決めされ得る（例えば、角度付けされ得る、配向され得る、凹まされ得る、および／または一列にされ得る）。一部の実施形態では、鏡１０４’、１０４”は、移動する物体が一方の鏡から隣の鏡へと通過するときにその物体の反射像１０４ｄ、１０４ｅにおける点によって横断される少なくとも１つの経路において、または、その経路に沿って、検出できる飛びが実質的にないように位置決めされ得る（例えば、角度付けされ得る、配向され得る、凹まされ得る、および／または一列にされ得る）。一部の実施形態では、図示しているように、点が鏡１０４’、１０４”の間の継ぎ目１０４ａを跨ぐときに反射像１０４ｄ、１０４ｅにおける点によって横断される少なくとも１つの経路において、途切れ、中断、および／または遅れが実質的にない。一部の実施形態では、図示しているように、この滑らかな移行は、鏡１０４’、１０４”が異なる拡大レベルを有するときであっても生じることができる。図２４Ａにおいて示しているように、より小さい鏡１０４”は、より大きい鏡１０４’より大きい拡大率のものである。
【００４９】
一部の実施形態では、点もしくは像（例えば、完全なままの像、中断されていない像など）のこの実質的に途切れていない経路、ならびに／または、滑らかな移行は、第１の鏡１０４’と第２の鏡１０４”との間での移行１０４ａに沿う特定の領域１０４ｂ（中断されていない移行の点および／もしくは位置）において起こる。一部の実施形態では、鏡は、実質的に途切れていない像および／または滑らかな移行が、第１の鏡と第２の鏡との境界面に沿う複数の位置および／またはすべての位置において起こるように位置決めされる。一部の実施形態では、図２４Ａに示しているように、鏡１０４’、１０４”の中断されていない移行の位置は、鏡１０４’、１０４”の間の境界面１０４ｂの中央もしくは中間点の近くにある領域、または、その中央もしくは中間点に実質的にある領域にある。一部の実施形態では、反射像の移行は、反射像が滑らかな移行領域１０４ｂから遠くに離れた位置（例えば、鏡１０４’、１０４”の境界面の始まりの近くの点１０４ｃ）で見られるとき、より滑らかでなくなる（例えば、より途切れることになる）。本明細書における他の部分で詳述しているように、この途切れた像は、鏡１０４’、１０４”の表面が滑らかな移行領域１０４ｂからより遠くの位置で平行な平面でなくなるために起こり得る。一部の実施形態では、滑らかな移行領域１０４ｂから離れると、像における途切れが生じ、反射された物体の少なくとも一部分が鏡同士の間の継ぎ目において消える（および／または、反射が一方の鏡から他方の鏡へと飛ぶ）。一部の実施形態では、鏡は、滑らかな移行が鏡同士の間の境界面に沿ういずれの場所（例えば、継ぎ目の周辺またはその周辺の近くで、継ぎ目の始まりまたはその始まりの近くで、継ぎ目の終わりまたはその終わりの近くで、継ぎ目の中間点またはその中間点の近くでなど）でも達成されるように位置決めされる。
【００５０】
図２４Ｂは、凹面鏡１９０（例えば、球形の一部分に実質的に一致する鏡、放物面の一部分に実質的に一致する鏡、非球面鏡など）の特定の性質の例示のために提供されている。図示しているように、一部の実施形態では、凹面鏡１９０は、凹面鏡１９０の中心に対して垂直で、その焦点１９２を通過する主軸１９１を有する。鏡１９０の主軸に沿って鏡１９０に対して垂直に進む入射光は、焦点１９２を通って進み、主軸１９１に沿って焦点１９２を通って戻るように真っ直ぐ後ろ向きに反射する。主軸または光学軸１９１に沿って凹面鏡に向かって進む入射光も、入ってくる入射光線（図示していない）の経路に沿って真っ直ぐ後ろ向きに反射される。図２４Ｂに示しているように、鏡への道筋において主軸１９１と平行に進む入射光線１９０ｂ’は、焦点を通って戻るように進む光線１９０ｂ”として、ある角度で反射される。鏡１９０への道筋において焦点１９２を通過する入射光線１９０ａ’は、主軸１９１と平行に進む光線１９０ａ”として反射される。
【００５１】
一部の実施形態では、中断されていない移行は、継ぎ目に隣接する鏡１０４’、１０４”の縁における視線１８２および１８３が、鏡１０４”の主軸または光学軸と、概して平行もしくは実質的に平行であること、または、実質的に同一線上もしくは概して同一線上であることの結果として起こる。一部の実施形態では、中断されていない移行は、平面状の鏡１０４’の表面の少なくとも一部分が、鏡面１０３”の前で通常の見る角度で継ぎ目１０４ａを横切って見られるときに湾曲した鏡１０４”（図２４Ｃに示されている）の接平面１８１に対しておおよそ平行な平面または実質的に平行な平面にあることの結果として起こる。一部の実施形態では、中断されていない移行は、平面状の鏡１０４’の表面の少なくとも一部分が、鏡面１０３”の前で通常の見る角度で継ぎ目１０４ａを横切って見られるときに湾曲した鏡１０４”（図２４Ｄに示されている）の接平面とおおよそ同じ平面または実質的に同じ平面にあることの結果として起こる。図２４Ｃおよび図２４Ｄは、凹面鏡１０４”、２０４”の接平面１８１、２８１の側面図を示している。凹面鏡１０４”が、平面状の鏡１０４”の平面１８０とおおよそ平行である接平面１８１を有する場合、滑らかな移行は、物体が継ぎ目を横切って移動され、鏡１０４’、１０４”の継ぎ目１０４ａを横断する異なる視線１８２、１８３に沿って見られるときに達成され得る。この効果は、凹面鏡２０４”が、同じ平面２８０におおよそまたは実質的にある接平面２８１を有する場合にも達成され得る。一部の実施形態では、凸状の鏡１０４”の湾曲半径は、滑らかな移行が起こる視線１８３にある。一部の実施形態では、視線１８３は、凹面鏡１０４”の接平面１８１と垂直である。
【００５２】
他の実施形態では、平面状の鏡と湾曲した鏡との間での異なる配向および／または角度の任意の適切な組み合わせが、鏡同士の間での像の飛びを排除するために用いられ得る。例えば、一部の実施形態では、ある鏡の反射面に対して垂直な線の、別の鏡の反射面に対して垂直な線に向けての傾き、斜め、または収束は、像の飛びを回避または防止できる。鏡の他の光学的性質が、視線１８２と１８３との間の平行な配向、ならびに、平面状の鏡の平面および湾曲した鏡の接平面の主軸もしくは光学軸、または、それぞれの鏡の反射面に対して垂直な線によって形成される角度の代替または追加で、滑らかな移行に関与する可能性がある。
【００５３】
一部の実施形態では、図１２および図２４Ｃに示しているように、滑らかな移行が起こるのに横切る位置において、鏡１０４’、１０４”は同じ平面にない。一部の実施形態では、図示しているように、段差１０４ｆが、滑らかな移行領域１０４ｂにおいて２つの鏡１０４’、１０４”の間に存在する。図２４Ａに示しているように、この段差は、鏡面１０３’が通常の見る角度で見られるとき、本質的に「視認不可能」であり得る（例えば、鏡とされた表面１０４’の後に位置決めされる）。一部の実施形態では、通常の見る角度で見られるとき、非常に小さい、または、本質的に気をそらさない視認可能な中断が鏡１０４’、１０４”の間に起こる。一部の実施形態では、この段差は、鏡ヘッドの周辺に向かって徐々に小さくなる。一部の実施形態では、図２４Ｃに示した鏡ヘッドの周辺において、鏡１０４’、１０４”は実質的に面一１９５またはおおよそ面一１９５である。
【００５４】
一部の実施形態では、２つの鏡が鏡ヘッドの単一の面１０３”に存在する場合、鏡のうちの一方１０４’が平面状で、他方の鏡１０４”が非平面状である。一部の実施形態では、鏡のうちの一方１０４’が平面状で、他方の鏡１０４”が拡大するもの（例えば、凹面）である。一部の実施形態では、一方の鏡１０４”は、他方の鏡１０４’内で凹まされる、および／または、他方の鏡１０４’内に嵌め込まれる。一部の実施形態では、一方の鏡１０４”が凹まされる、および／または、他方の鏡１０４’内に嵌め込まれる場合、嵌め込まれた鏡１０４”の外周の少なくとも一部分は、他方の鏡１０４’と同一面である、および／または、他方の鏡１０４’から嵌め込まれない。一部の実施形態では、そられ鏡は、それらの外周および／または他の境界の少なくとも一部分を共にする。一部の実施形態では、鏡の組み合わされた外側外周は、完全または実質的に完全な形（例えば、円形、正方形、長方形など）を形成する。一部の実施形態では、各々の鏡１０４’、１０４”は、完全または実質的に完全な形（例えば、円形、正方形、長方形など）の外周の一部分を形成する。一部の実施形態では、鏡１０４’、１０４”は、工具なしで、または、損傷の危険性なしで、使用者によって取り外しできないように、鏡ヘッド１０３に永久的に取り付けられる（例えば、磁性によって取り付けられていない）。一部の実施形態では、鏡１０４’、１０４”は、鏡組立体１０２の見る領域内で少なくとも焦点を共にするために、鏡面１０３”において配向される。一部の実施形態では、鏡１０４’、１０４”は異なるように成形される（例えば、異なる周囲の形および／もしくは大きさを有する、ならびに／または、異なるように成形および／もしくは大きさとされた外周を有する）。一部の実施形態では、鏡のうちの一方１０４”の上に形成され、鏡１０４”の最上部の点のうちの少なくとも３つに圧し掛かる仮想平面が、他方の鏡１０４’の上に形成され、他方の鏡１０４’の少なくとも３つの最上部の点に圧し掛かる仮想平面と平行または同一平面ではない。一部の実施形態では、これらの仮想平面は、１つの方向に進むときに互いに向かって収束し、異なる方向に進むときに互いに発散する。
【００５５】
一部の実施形態では、腕部１１３、支持部１２０、および鏡ヘッド１０３の１つまたは複数は、鏡組立体１０２の基礎部１１４に対して複数の鏡の角度を提供するために、回転可能である、または、捩じることができる。したがって、使用者は、使用者の身長、体位（例えば、座っている、または、立っている）などに基づいて鏡像を再位置決めすることができる。例えば図１０および図１２に示しているように、一部の実施形態では、鏡組立体１０２の支持部１２０は、ヒンジ１１３’を介して腕部１１３に取り付けられる。一部の実施形態では、ヒンジ１１３’は、支持部１２０の軸方向の移動を可能にし、結果として、ヒンジ１１３’の軸周りでの鏡ヘッド１０３の移動を可能にする。一部の実施形態では、ヒンジ１１３’は、１つまたは複数の玉継手、１つまたは複数のヒンジ、または他のものを備え得る。特定の実施形態では、ヒンジ１１３’は、鏡ヘッドを１つまたは複数の方向（例えば、上、下、右、左、時計回り、反時計回りなど）において旋回させることができる。図１０に示しているように、ヒンジ１１３’は、鉛直方向のスイベルジョイント（上下の移動を可能にする）を備え得る。一部の実施形態では、ヒンジ１１３’は、鏡を異なる上向きまたは下向きの見る角度で見させることができる。例えば、一部の実施形態では、ヒンジ１１３’の周りでの回転によって、前鏡面１０３’および支持部材１２０は、（鏡面１０３’が上向き、前向き、または下向きに方向付けられるように）実質的に鉛直の位置から実質的に水平の位置まで移動され得る。一部の実施形態では、ヒンジ１１３’は、様々な異なる角度で支持部１２０の位置決め（結果として、鏡面の位置決め）を可能にし、ここで、おおよそ０°の角度は、支持構造１２０が実質的に鉛直であることを示しており、９０°は、支持構造が実質的に水平である（および、上向きに方向付けられる）ことを示している。例えば、一部の実施形態では、ヒンジ１１３’は、約０°に等しい角度、約４５°以下の角度、約９０°以下の角度、または、前述の値を含む範囲および／もしくは前述の値に及ぶ範囲の角度で、支持部１２０の位置決めを可能にする。一部の実施形態では、腕部１１３および支持部１２０におけるヒンジ１１３’は、腕部に対して静止している、および／または、所定位置で固定され、静止した位置で保持され得る（例えば、固定継手を用いることによる）。一部の実施形態では、支持部１２０は腕部１１３に対して回転せず、支持部は、約０°に等しい角度、約１５°以下の角度、約４０°以下の角度、または、前述の値を含む範囲および／もしくは前述の値に及ぶ範囲で固定される。
【００５６】
一部の実施形態では、旋回部１１６は、約１０°、約２０°、約４５°に等しい角度、少なくとも約１０°、約２０°、約４５°の角度、または前述の値に及ぶ範囲を含む、中心位置に対して異なる左右の角度での鏡ヘッド１０３および支持部１２０の位置決めを可能にする。一部の実施形態では、旋回部１１６は側方のスイベルジョイント（右から左への移動を可能にする）を備える。一部の実施形態では、旋回部１１６は動かない、ならびに／または、中立および／もしくは中心の位置で固定され得る。一部の実施形態では、ヒンジ１１３’と旋回部１１６との両方が動く場合、使用者は鏡面を、前述の上下角度と左右角度とのいずれか一方においていくつかの角度で同時に位置決めできる。この可動性は、鏡１０４、１０４’、１０４”が所望の身体部分（例えば、顔の特徴）を容易に見ることを提供するために方向付けられ得るという容易性を高める。
【００５７】
一部の実施形態では、鏡ヘッド１０３および支持部１２０は、鏡１０４が取り外された状態で、鏡組立体１０３’の前面から図１６〜図１８に示したヒンジ組立体１１１（ヒンジ、スイベル、玉継手など）を介して互いに取り付けられる。一部の実施形態では、鏡ヘッド１０３は、支持部１２０内でヒンジ組立体１１１の軸周りに回転させられ得る。一部の実施形態では、この回転によって、使用者は、支持部１２０を移動させることなく支持部１２０内で鏡ヘッド１０３をひっくり返す（例えば、軸において回転させる）ことで（例えば、鏡ヘッド１０３を後方または前方に移動させる）、前面１０３’（例えば、鏡１０４）から後面１０３”（例えば、鏡１０４’、１０４”）へと移行することができる。例えば、一部の実施形態では、支持部１２０が所定位置で留まる間および／または静止して留まる間（例えば、ヒンジ１１３’または旋回部１１６を介しての移動なし）、鏡ヘッド１０３は、ヒンジ組立体１１１によって作り出される軸周りで軸方向に移動する。一部の実施形態では、ヒンジ組立体１１１を使用することで、鏡ヘッド１０３は支持部１２０内で開始位置（例えば、図１９に示される約０°の角度α）から終了位置（例えば、約１８０°の角度α）まで移動され得る。そのため、鏡ヘッド１０３は、それを終了位置（例えば、約１８０°の角度α）から開始位置（例えば、約０°の角度α）まで戻すように移動させることで、戻すように回転させられ得る。
【００５８】
一部の実施形態では、図９〜図１９に示しているように、鏡組立体はハンドル１６０（例えば、ノブ、レバー、飛び出しピンなど）を備える。一部の実施形態では、ハンドル１６０は、鏡ヘッド１０３と固定される、連結される、一体である、または取り付けられる。一部の実施形態では、ハンドル１６０は、前述したような鏡ヘッド１０３の支持部１２０内の軸周りで（図１６〜図１８に示しているように）、ハンドル１６０を介して鏡ヘッド１０３を回転させる、ひっくり返す、回すことだけによって、前鏡面１０３’から後鏡面１０３”まで（または、その反対）の移動を容易にする。一部の実施形態では、ハンドル１６０は、支持部１２０が所定位置に（例えば、静止して）留まる間、使用者が鏡面または鏡の側部に触れる必要がなく、そのため鏡面に汚れまたは指紋を付けることなく、鏡ヘッド１０３をヒンジ組立体１１１の軸周りに回転させるために使用され得る。例えば、一部の実施形態では、使用者が鏡組立体１０２の前１０５’に位置決めされ（図１９に示されている）、前面１０３’の鏡１０４を見ている場合、使用者は、後面１０３”の鏡１０４’、１０４”を見るために、支持部１２０内で鏡ヘッド１０３を回転させることができる。この移動は、例えば、使用者がハンドル１６０を円弧状の動作を通じて自身から離すように押すまたは押し込むとき、成し遂げられ得る。別の言い方をすれば、使用者は、約９０°の角度αを達成するために、円弧に沿う後ろ向きの方向で（約０°の角度αから）ハンドル１６０を移動し、約９０°の角度αを通過した後、約１８０°の角度αを達成するためにハンドル１６０を下向きに支持部１２０に向けて引っ張る。同様に、鏡組立体の前面１０３’は、鏡ヘッド１０３を第２の位置（例えば、約１８０°の角度α）から回転させて約９０°の角度αを達成するために、ハンドル１６０を後上方に押すことで、再び見られる。約９０°の角度αが達成されると、使用者は、約０°の角度αを達成するために、ハンドル１６０を円弧に沿って上向きに使用者に向けて引っ張ることができる。一部の実施形態では、ハンドルの代替または追加で、鏡組立体は、作動すると（例えば、ボタンを押すこと、指をセンサの一部分を横切ってスワイプさせること、センサを押すことなどによって）鏡ヘッドを約０°の角度αから約１８０°まで、または、その反対に移動させるアクチュエータ（ボタン、スイッチ、センサ、または容量式タッチセンサモジュール）を備える。
【００５９】
一部の実施形態では、ヒンジ組立体１１１はバネ荷重が掛けられる。一部の実施形態では、方向性の抵抗（例えば、磁石、摩擦パッド、カムなど）を引き起こすバネ（図示していない）または別の同様の特徴が、鏡ヘッド１０３に重みの付けられた感覚を与えることができる。例えば、一部の実施形態では、鏡ヘッド１０３をその開始位置（図１９および図２０に示した０°の角度α）から移動するとき、初期抵抗が使用者によって感じられ、続いて、鏡ヘッド１０３がその終了位置（１８０°の角度α）またはある中間位置に到達するまで移動が続くとき、より小さい抵抗が感じられる。同様に、一部の実施形態では、鏡ヘッド１０３をその終了位置（１８０°の角度α）から移動するとき、初期抵抗が使用者によって感じられ、続いて、鏡ヘッド１０３が開始位置（図１９および図２０に示した０°の角度α）またはある他の位置に到達するまで移動が続くとき、より小さい抵抗が感じられる。一部の実施形態では、鏡ヘッド１０３が開始位置から移動されると、使用者はハンドル１６０から手を放すことができ、ヒンジ組立体１１１は、生成された勢いで鏡ヘッド１０３を終了位置（１８０°の角度α）まで持って行かせることができる。一部の実施形態では、鏡ヘッド１０３が使用者によって終了位置から移動されると、使用者はハンドル１６０から手を放すことができ、ヒンジ組立体１１１は、生成された勢いで鏡ヘッド１０３を開始位置まで持って行かせることができる。
【００６０】
一部の実施形態では、ハンドル１６０は、支持部１２０における区画部１６１’（例えば、溝、開口、スロットなど）などの第１の保持位置から、支持部１２０における第２の区画部１６１”（例えば、溝、開口、スロットなど）まで移動するように構成される（例えば、図１５に示されている）。一部の実施形態では、第１の区画部１６１’は、第２の区画部１６１”の上方に位置付けられる支持部１２０における上方のスロットである。一部の実施形態では、第２の区画部は、第１の区画部１６１’の下に位置付けられる、支持構造１２０における下方のスロットである（図１２に示されている）。一部の実施形態では、支持部１２０の区画部１６１’、１６１”は、使用者が鏡ヘッド１０３を区画部１６１’、１６１”から移動させるために十分な力を加えるまで（例えば、ハンドル１６０を介して）、ハンドル１６０を区画部１６１’、１６１”において保持するためにハンドル１６０と係合する（例えば、摩擦で、磁性で、または他の方法で）。一部の実施形態では、図１５に示しているように、区画部１６１’、１６１”は、ハンドル１６０と係合する、ハンドル１６０を引き寄せる、および／またはハンドル１６０を保持するために磁石１６２’、１６２”を備える。
【００６１】
一部の実施形態では、ハンドル１６０は摩擦要素（例えば、刻み付け、粗化、畝、ゴム）を備える、および／または、区画部は、柄部を区画部において保持するために、摩擦要素（例えば、刻み付け、粗化、畝、ゴム）を有する。一部の実施形態では、ハンドル１６０は磁石を備え（または、磁性である）、区画部１６１’、１６１”は逆の極性とされた磁石（または、ハンドルによって引き寄せされる磁性挿入体）を備える。一部の実施形態では、区画部は、ハンドルが区画部における所定位置へと移動されるときに区画部の壁が柄部と係合するように、柄部より若干小さい大きさとされる。一部の実施形態では、区画部は、１つまたは複数の弾性の材料であるが若干変形可能な材料（例えば、プラスチック、ゴム、テフロン（登録商標）など）を備える入口（例えば、口部）を有し、そのため、ハンドルを区画部の入口を越えて区画部へと移動させるためには、小さい大きさの力がハンドルに加えられなければならない。一部の実施形態では、区画部の口部の向こうに、区画部の壁が柄部またはハンドルに接触しない開いた区域を区画部は備える。一部の実施形態では、ハンドルは、区画部の口部を越えて再び移動されるまで、区画部の開放区域で保持される。
【００６２】
一部の実施形態では、ハンドル１６０は、捕獲機構１７３（例えば、図１６〜図１８に示されている）を介して、（例えば、区画部において、または、支持部１２０における孔を介して）鏡組立体１０２の支持部１２０と係合する固定部材（例えば、飛び出しピンなど）を備える。一部の実施形態では、固定部材は、捕獲機構１７３の支持部１２０における開口を通じて跳ね返る。一部の実施形態では、ハンドル１６０は、開始位置（約０°のα）または終了位置（約１８０°のα）において所定位置に嵌まる。一部の実施形態では、固定部材は、バネ荷重の掛けられた飛び出しピンを備える。一部の実施形態では、飛び出しピンの設計を用いて、固定部材は、物理的に搭載され得る（例えば、所定位置に溶接もしくはネジ留めされ得る）、または、鏡ヘッド１０３の一部分と一体であり得る。一部の実施形態では、飛び出しピンを支持部１２０から引っ張り離すことで、ハンドル１６０は解放され、鏡ヘッド１０３は支持部１２０に対して自由に移動する。一部の実施形態では、ハンドル１６０は、飛び出しピンのピン部が開口（例えば、区画部における開口）を出た後に解放され、ピンは、開始位置（約０°のα）または終了位置（約１８０°のα）に到達するとき、自動的に飛び出す、および／または、所定位置へと戻って嵌まることになる。別の言い方をすれば、飛び出しピンは、手放された後であっても、ある位置から次の位置までの鏡ヘッドの移動を可能にするために、引っ張り出され得る。一部の実施形態では、飛び出しピンは、それを押し下げること（例えば、ハンドルを鏡組立体の中へと押すこと、または、鏡組立体に向けて押すこと）によってなど、それを作動させることで区画部から解放され得る。一部の実施形態では、飛び出しピンの設計は、本明細書における他の部分に記載されている鏡ヘッドの移動に関連する他の設計の特徴を伴って、または、そのような特徴を伴わずに、使用され得る。例えば、一部の実施形態では、鏡ヘッド１０３は、飛び出しピンを有するが、移動の間に鏡ヘッド１０３に重みの付けられた感覚を与える１つもしくは複数の要素、ならびに／または、初期の抵抗を提供し、次に、鏡ヘッドがその次の位置に到達するまで移動が続くときにより小さい抵抗を提供する１つもしくは複数の特徴部も有する。
【００６３】
ハンドルには、鏡組立体の１つまたは複数の電子パラメータまたは特徴を作動または調節するように構成される制御装置と電子的に通信している１つまたは複数の内部電子部品（例えば、１つまたは複数のスイッチまたはダイヤル）が代替または追加で設けられてもよい。一部の実施形態では、ハンドルは、鏡によって発せられる光の強度、輝度、色、および／または温度を作動または調節するように構成される制御装置と相互作用する。一部の実施形態では、ハンドルは、本明細書で開示されている任意の他の調節可能な光の変数を作動または調節するように構成される制御装置と電子的に通信している。一部の実施形態では、ハンドルは、鏡組立体への電源をオンまたはオフするように作動され得る。一部の実施形態では、ハンドルの作動は、本明細書における他の部分に記載されているように、表示装置（例えば、仮想表示装置、ＬＣＤ、ＯＬＥＤ、ＬＥＤなど）を作動させる。一部の実施形態では、表示装置が作動されると、ハンドルは、表示装置から設定を選択するために使用され得る。一部の実施形態では、ハンドルは、本明細書における他の部分に記載されているように、ダウンロードされた光の設定を選択するために使用され得る。一部の実施形態では、ハンドルは１つまたは複数の方法（例えば、ハンドルを捩じる、押す、および／または引っ張ることなど）で作動される。一部の実施形態では、複数のハンドル（２つ、３つ、４つ、またはさらに多く）が提供される。一部の実施形態では、例えば、第１のハンドルが鏡ヘッドの配向を変えるために設けられてもよく、第２のハンドルが鏡の電子的なパラメータまたは特徴のうちの１つまたは複数を作動または調節するために設けられてもよい。
【００６４】
一部の実施形態では、支持部１２０は区画部を備えない。一部の実施形態では、区画部の代わりに、パッドまたは平坦面などの異なる保持部が、鏡ヘッド１０３を所定位置で保持または隔離するために使用される。一部の実施形態では、パッドは、磁性または接着性であり、ハンドルを引き寄せる、または、ハンドルに付着する材料または他の特徴（例えば、窪み、突起など）であり得る（図示していない）。一部の実施形態では、パッドは実質的に平坦であり得る。一部の実施形態では、前述したように、支持部１２０における開口が、鏡ヘッド１０３を所定位置で固定するために（例えば、飛び出しピンによって）、使用され得る。
【００６５】
一部の実施形態では、ハンドル１６０は、使用者が鏡１０４、１０４’、１０４”と直接的な物理的接触をすることを回避することを有利に可能にする。使用者は、鏡が１つの面１０３’から次の面１０３”への間で移行されるとき、鏡面のうちのいずれかに指紋または汚れを付けることを回避できる。したがって、使用者は、鏡面のうちの１つを洗浄する必要なく、１つの鏡面から次の鏡面へと移行できる。一部の実施形態では、汚れを回避することは、（例えば、鏡面を摩耗させる布またはティッシュペーパーで）鏡面が洗浄される必要がないため、時間に伴う鏡における摩耗を少なくすることになる。鏡面の洗浄は、表面の曇りおよび像の輝きの損失を最終的にもたらす可能性がある。鏡ヘッドを洗浄する必要がないことで、鏡組立体１０２の電子部品が水、洗浄液などによって損傷される危険性が低減または最小化される。
【００６６】
図１２に示し、本明細書における他の部分で詳述しているように、一部の実施形態では、ハンドル１６０は柄部１６０”を備える。図１５は、鏡のヘッド１０３（示されている）から取り外されているハンドルを、腕部１１３、シャフト部１１２、および基礎１１４が取り外された状態で示している。一部の実施形態では、図１２〜図１７に示しているように、例えば、ハンドル１６０は把持部１６０’を備える。一部の実施形態では、柄部１６０”は、把持部１６０’の直径以下である直径を有する。一部の実施形態では、把持部の直径は柄部の直径より約２倍大きい（例えば、約２倍である）。一部の実施形態では、示されているように、把持部１６０’は、鏡ヘッド１０３の移動を容易にするために、使用者によって容易に把持されるようにする摩擦要素（例えば、刻み付け、粗化、畝、ゴムなど）を有する。
【００６７】
一部の実施形態では、ハンドル１６０は、鏡ヘッド１０３の周りの様々な位置に位置付けられ得る。一部の実施形態では、位置決めの目的のために、鏡組立体１０２を前１０５’から見たとき（図１１に示しているように）、鏡の「１２時」の位置が、０°／３６０°の位置（例えば、３６０°の分度器の０°／３６０°の印）として見られる。図示のために、これらの度の印は、「°β」の値として示されてもよい。例えば、前から鏡を見たときに０°βの位置から時計回りに移動するとき、「３時」の位置は９０°βの印に一致し、６時の位置は１８０°βの印に一致し、９時の位置は２７０°βの印に一致するなどとなる。一部の実施形態では、図１２（後から鏡ヘッド１０３を見ている）、図１３（上から鏡ヘッドを見ている）、および図１４（下から鏡ヘッドを見ている）に示しているように、上の区画部１６１’は約３４０°βと約２９０°βとの間に位置決めされており、下の区画部１６１”は約２００°βと約２５０°βとの間に位置決めされている。一部の実施形態では、図１５に示しているように、上の区画部１６１’は約３１５°βに位置決めされており、下の区画部１６１”は約２２５°βに位置決めされている。一部の実施形態では、区画部およびハンドルは鏡ヘッド１０３の他方の側に位置付けられる。例えば、一部の実施形態では、上の区画部は約２０°βと約７０°βとの間で位置決めされ、下の区画部は約１１０°βと約１６０°βとの間で位置決めされる。一部の実施形態では、上の区画部は４５°βまたは約４５°βに位置決めされ、下の区画部は１３５°βまたは約１３５°βに位置決めされる。一部の実施形態では、腕部は鏡の両側にあってもよい。
【００６８】
一部の実施形態では、鏡組立体１０２の１つまたは複数の鏡１０４、１０４’、１０４”が少なくとも約２ｍｍおよび／または約３ｍｍ以下の厚さを有し得る。一部の実施形態では、厚さは、鏡の所望の性質（例えば、低減された重量または増加された強度）に依存して、約２ミリメートル以下および／または約３ミリメートル以上である。一部の実施形態では、図９に示しているように、鏡組立体の鏡１０４の面積は基礎１１４の面積より実質的に大きくてもよい。別の実施形態では、鏡の像反射面の面積は基礎の面積以上である。
【００６９】
多くのバニティミラーは、例えば、品質の悪い反射面、強すぎる光源、および／または光の不均一な分配のため、反射像を誤り伝えてしまう。また、従来のバニティミラーの光源は、典型的にはエネルギー効率が悪い。さらに、従来のバニティミラーの光源は、調節可能ではない、または、効果的に調節するのが難しい。本明細書で開示されている特定の実施形態は、高度に調節可能な可変の光源および／または高品質の鏡面を提供することで、これらの問題を解決する。
【００７０】
一部の実施形態では、鏡のうちの１つまたは複数は高度に反射性であり得る（例えば、少なくとも約９０％の反射性を有し得る）。例えば、一部の実施形態では、鏡のうちの１つまたは複数は、約７０％超の反射性および／または約９０％以下の反射性を有する。他の実施形態では、１つまたは複数の鏡は、少なくとも約８０％の反射性および／または約１００％以下の反射性を有する。特定の実施形態では、１つまたは複数の鏡は約８７％の反射性を有する。一部の実施形態では、鏡のうちの１つまたは複数は、鏡の縁の歪みが低減または排除されるように、より大きい鏡ブランク材から切断または研削され得る。一部の実施形態では、１つまたは複数のフィルタが、反射された光の１つまたは複数のパラメータを調節するために、鏡のうちの１つまたは複数に設けられ得る。一部の実施形態では、フィルタは、特定の帯域幅の電磁エネルギーの反射を吸収または促進する膜および／または被覆を備える。一部の実施形態では、マクロロンフィルタ（Ｍａｋｒｏｌｏｎ  ｆｉｌｔｅｒ）など、１つまたは複数の色調節フィルタが、可視スペクトルにおける光の所望の波長を軽減するために１つまたは複数の鏡に適用され得る。
【００７１】
一部の実施形態では、鏡のうちの１つまたは複数は高度に透過性であり得る（例えば、ほとんど１００％の透過であり得る）。一部の実施形態では、透過は少なくとも約９０％であり得る。一部の実施形態では、透過は少なくとも約９５％であり得る。一部の実施形態では、透過は少なくとも約９９％であり得る。一部の実施形態では、１つまたは複数の鏡は、光学等級であり得る、および／または、ガラスを備える。例えば、鏡のうちの１つまたは複数は超透明のガラスを備え得る。代替で、鏡のうちの１つまたは複数は、プラスチック、ナイロン、アクリル、または他の適切な材料など、他の半透明の材料を備え得る。一部の実施形態では、鏡のうちの１つまたは複数は、アルミニウムまたは銀を含む裏地も備え得る。一部の実施形態では、裏地は、若干青みがかった色調など、若干色の付けられた色調を鏡に付与してもよい。一部の実施形態では、アルミニウムの裏地は、錆の形成を防止でき、均一な色調を提供する。１つまたは複数の鏡は、成型、機械加工、研削、研磨、または他の技術を用いて製造され得る。
【００７２】
鏡組立体２、１０２は、光を伝送するように構成される１つまたは複数の光源を備え得る。例えば、図７および図１６に示しているように、鏡組立体２、１０２は、複数（例えば、２つ、３つ、４つ、５つ、６つ、７つ、８つ、またはそれ以上）の光源３０ａ、３０ｂ、１３０ａ’、１３０ａ”、１３０ｂ’、１３０ｂ”を備え得る。様々な光源が使用でき、カバー部材６、１０６の後で収容され得る。一部の実施形態では、光源は発光ダイオード（ＬＥＤ）を備え得る。一部の実施形態では、他の発光器が使用され得る（例えば、蛍光光源、白熱光源、ハロゲン光源など）。一部の実施形態では、ＬＥＤは、より長い耐用期間、および、より高い演色評価数を含め、他の発光器に対して利点を提供できる。
【００７３】
一部の実施形態では、図１６および図１７に示しているように、各々の光源は複数（例えば、１つ、２つ、３つ、４つ、５つ、またはそれ以上）のＬＥＤ（または、他の発光器）を備え得る。一部の実施形態では、例えば、左の光源１３０ｂ’、１３０ｂ”は、図１６に示しているような２つ（または４つ）のＬＥＤを備え、右の光源は、２つ（１３０ａ’、１３０ａ”）または４つのＬＥＤを備え得る。一部の実施形態では、単一の光源内の１つまたは複数のＬＥＤは、同じであり得る、または、異なり得る（例えば、同じまたは異なる色または色温度を有し得る）。例えば、特定の変形では、４つのＬＥＤを備える光源は、対における各々のＬＥＤが同一である２対の２つのＬＥＤを備え得る（例えば、２つの赤色のＬＥＤの対と２つの青色のＬＥＤの対）。他の実施形態では、単一の光源における各々のＬＥＤは異なる。一部の実施形態では、光源は、同じであるＬＥＤ（例えば、各々の光源におけるＬＥＤの同じ色、温度、および数を有する）、または、異なるＬＥＤ（例えば、別の光源のＬＥＤと異なる１つまたは複数のＬＥＤを有する）を備え得る。一部の実施形態では、鏡組立体の異なる光源は、望ましい任意のライティング環境を成し遂げるために、独立して調節可能である。一部の実施形態では、ＬＥＤは、より低い色温度、または、より高い色温度の他のＬＥＤと対とされ得る。特定の実施では、ＬＥＤは、より低い波長、または、より高い波長を有する色の他のＬＥＤと対とされ得る。
【００７４】
光源は、隣り合って、背面合わせで、または他の方法でなど、互いに対して様々な配向で位置決めされ得る。特定の実施形態では、光源は反対の方向に光を発するように位置決めされ得る（図６および図１６に示されている）。例えば、図６に示しているように、第１の光源３０ａが、光を鏡４の周辺の周りで第１の方向（例えば、時計回り）に投射し、第２の光源３０ｂが、光を鏡４の周辺の周りで第２の方向（例えば、反時計回り）に投射する。図示しているように、光源３０ａは、鏡組立体２のライトパイプ１０（図示していない）を保持する通路４８に向かって光を投射できる。図１５に示しているように、一部の実施形態では、複数の光源が、ライトパイプを収容する通路１４８へと光を方向付けるために位置決めされ得る。図示しているように、第１の光源１３０ａ’、１３０ａ”が、光を鏡１０４（図示していない）の周辺の周りで第１の方向（例えば、反時計回り）に投射し、第２の光源１３０ｂ’、１３０ｂ”が、光を鏡１０４の周辺の周りで第２の方向（例えば、時計回り）に投射する。特定の実施形態では、光源は、鏡組立体２、１０２の見る面に対して概しておよび／または実質的に直交に光を発するように位置決めされ得る。特定の実施形態では、光源は、鏡４、１０４、１０４’、１０４”の周辺に対して接線方向に光を発するように位置決めされ得る。
【００７５】
一部の実施形態では、光源は、光の複数の色を提供するように、および／または、光の変わる色を提供するように構成される。例えば、光源は、赤色の光および黄色の光など、２つ以上の識別可能な色の光を提供できる、または、並んだ色（例えば、赤色、緑色、青色、紫色、橙色、黄色、および他の色）を提供できる。特定の実施形態では、光源は、条件が満たされるとき、または、条件が満たされようとするとき、色または光の存在を変えるように構成される。例えば、特定の実施形態は、光が作動停止されようとしていることを使用者に通知するために、発光の色を瞬間的に変える。
【００７６】
一部の実施では、鏡組立体２、１０２から発せられる光の色および色温度のいずれかまたは両方が、独立して調節可能である。この調節能力を用いて、光源から発せられる光は、１つまたは複数の異なる自然的または非自然的な光の環境で遭遇される光を模倣または密に近似するように構成され得る。例えば、一部の変形では、鏡から発せられる光は自然な光（例えば、太陽、月、稲光などからの周囲光）を模倣できる。特定の実施では、レストラン（例えば、白熱球の光、蝋燭の光など）、オフィス（例えば、蛍光灯の光、白熱球の光、およびそれらの組み合わせ）、一日のうちの異なる時間における屋外の場所（夜明け、午前、正午、午後、夕方、夕暮れなど）、異なる季節における屋外の場所（春、夏、秋、冬）、異なる気象条件を有する屋外の場所（晴れ、どんよりとした曇り、曇りがち、曇り、月夜、星空など）、スポーツアリーナ、オペラハウス、ダンス場、クラブ、講堂、バー、博物館、劇場などに合致する（または、密に近似する）ライティング条件が、鏡組立体を用いて達成され得る。一部の変形では、鏡から発せられる光は、実質的に完全な光のスペクトルを視認可能な範囲で備える。鏡組立体は、鏡組立体もしくは遠隔の発生源からのいずれかにおいて、使用者に、１つまたは複数の光源から発せられる異なる種類の光（例えば、色、温度、強度など）から選択をさせることができるように構成され得る、または、鏡組立体は、１つまたは複数の光源から発せられる異なる種類の光から自動的に選択するように構成され得る。
【００７７】
一部の変形では、個々の光源（例えば、ＬＥＤまたはＬＥＤの組み合わせ）の強度は、独立して調節可能である。特定の実施では、色温度における変化が、１つの色温度を有する１つまたは複数のＬＥＤを、異なる色温度を有する１つまたは複数の他のＬＥＤと対にすることおよび／または混ぜることによって達成され得る。したがって、それらのＬＥＤからの光の相対的な強度は、色温度を増加または低下させるために個別に調節され得る（例えば、１つまたは複数のＬＥＤの輝度を調節することによって）。一部の実施形態では、色における変化（例えば、色相、濃淡、色合い、色調、気味など）が、１つの色を有する１つまたは複数のＬＥＤを、他の色を有する１つまたは複数のＬＥＤと対にすることで達成され得る。一部の実施形態では、前述したように、異なる色とされたＬＥＤから発せられる光の強度は、（例えば、個別のＬＥＤの色へと、または、ＬＥＤから発せられる光の組み合わせを通じて達成される色、つまり、色混合へと）色変化を引き起こすために個別に調節され得る。異なるＬＥＤの相対的な強度を調節することで、使用者は、光源によって発せられる光の色、光源によって発せられる光の色温度、光源によって発せられる光の輝度、またはそれらの組み合わせを調節することができる。一部の実施形態では、個々のＬＥＤの強度は、自動で調節され得る（例えば、あらかじめ設定された光構成、ダウンロードされた光構成、もしくはアップロードされた構成を選択することで）、または、手動で調節され得る（例えば、手動の使用者の調節で色、色合い、輝度、強度、温度、もしくは他のものを調節することで）。一部の実施形態では、これらの調節は、任意の光の環境を模倣する光条件を使用者に選択させることができる。
【００７８】
一部の実施形態では、光源は、約４５００Ｋ以上および／または約６５００Ｋ以下の色温度を有する。一部の実施形態では、光源の色温度は、少なくとも約５５００Ｋである、および／または、約６０００Ｋ以下である。特定の実施形態では、光源の色温度は約５７００Ｋである。例として、および、本明細書における他の部分で詳述しているように、一部の実施形態では、発光器は、所望の色および色温度を与えるために、他の発光器と対にされてもよい。例えば、一部の実施形態では、１つの色温度（例えば、２７００Ｋ）を有するＬＥＤ（例えば、１つ、２つ、３つ、４つ、またはそれ以上）が、単一の光源を形成するために、異なる色温度（例えば、６５００Ｋ）を有するＬＥＤ（例えば、１つ、２つ、３つ、４つ、またはそれ以上）と対にされ得る、および／または、混ぜられ得る。一部の変形では、第１の色（例えば、赤色、橙色、黄色、緑色、青色、藍色、紫色など）を有する１つまたは複数のＬＥＤ（例えば、１つ、２つ、３つ、４つ、またはそれ以上）が、異なる色を有する１つまたは複数のＬＥＤ（例えば、１つ、２つ、３つ、４つ、またはそれ以上）と対にされ得る。特定の変形では、光源は、白熱球の光の色温度を発するＬＥＤ（例えば、１つまたは複数のＬＥＤ）と、太陽光の色温度を発するＬＥＤ（例えば、１つまたは複数のＬＥＤ）とを用いて形成され得る。特定の変形では、暖色（例えば、黄色−橙色）の色温度を発する一対のＬＥＤと、白色光（例えば、冷たい白色光）を発する一対のＬＥＤとが使用される。
【００７９】
一部の実施形態では、少なくとも約１７００Ｋ、約１８００Ｋ、約１９００Ｋ、約２０００Ｋ、約２２００Ｋ、約２４００Ｋ、約２６００Ｋ、約２８００Ｋ、約３０００Ｋ、約３２００Ｋ、約３４００Ｋ、約３６００Ｋ、約３８００Ｋ、約４０００Ｋ、約４２００Ｋ、約４４００Ｋ、約４６００Ｋ、約４８００Ｋ、約５０００Ｋ、約５２００Ｋ、約５４００Ｋ、約５６００Ｋ、約５８００Ｋ、約６０００Ｋ、約６２００Ｋ、約６４００Ｋ、約６６００Ｋ、約６８００Ｋ、約７０００Ｋ、前述の値のうちのいずれか２つに及ぶ範囲、前述の値を超える値、または他の値の色温度を有するＬＥＤが、鏡組立体２、１０２における使用のために選択され得る。一部の実施形態では、約１７００Ｋから約２５００Ｋまで、約２５００Ｋから約３５００Ｋまで、約３５００Ｋから約４５００Ｋまで、約４５００Ｋから約５５００Ｋまで、約５５００Ｋから約６５００Ｋまで、または、約６５００Ｋから約７０００Ｋまでの範囲における色温度を有するＬＥＤが、同じ範囲内または異なる範囲内の色温度を有するＬＥＤと独立して対にされ得る。一部の実施形態では、少なくとも約１７００Ｋ、約１８００Ｋ、約１９００Ｋ、約２０００Ｋ、約２２００Ｋ、約２４００Ｋ、約２６００Ｋ、約２８００Ｋ、約３０００Ｋ、約３２００Ｋ、約３４００Ｋ、約３６００Ｋ、約３８００Ｋ、約４０００Ｋ、約４２００Ｋ、約４４００Ｋ、約４６００Ｋ、約４８００Ｋ、約５０００Ｋ、約５２００Ｋ、約５４００Ｋ、約５６００Ｋ、約５８００Ｋ、約６０００Ｋ、約６２００Ｋ、約６４００Ｋ、約６６００Ｋ、約６８００Ｋ、約７０００Ｋ、前述の値のうちのいずれか２つに及ぶ範囲、前述の値を超える値、または他の値の色温度で発せられた光が、鏡組立体を用いて達成され得る。一部の実施形態では、光源は、約１７００Ｋから約６５００Ｋまで、約４５００Ｋから約６５００Ｋまでの範囲における色温度を有するように調節され得る。一部の実施形態では、光源は、約２４００Ｋ以上および／または約６８００Ｋ以下の色温度を有する。一部の実施形態では、光源の色温度は、少なくとも約５５００Ｋおよび／または約３０００Ｋ以下である。特定の実施形態では、光源の色温度は約２７００Ｋまたは約６５００Ｋである。
【００８０】
色温度および強度は、メーキャップの色の嗜好の選択を向上させるために、メーキャップを最適な構成およびパターンで適用するために、ならびに、身づくろいおよびメーキャップの適用の結果を最適化するために、具体的な光の環境を複製または再現するように使用者によって選択され得る。例えば、蝋燭の光に照らされたレストランで身に付けられるメーキャップを適用する人は、メーキャップを適用するとき、その環境の色温度および光の強度に合わせようとしたい可能性がある。太陽光に照らされたピクニックで身に付けられるメーキャップを適用する人は、メーキャップを適用するとき、その環境の色温度および光の強度に合わせようとしたい可能性がある。したがって、使用者は、ライティング条件を再現するために、具体的な光の温度を選択できる。
【００８１】
特定の実施形態では、異なる発光器（例えば、ＬＥＤ）が、達成され得る色、色温度、輝度の設定などの数を増加させるために、ライトパイプの各々の端に位置決めされ得る。
【００８２】
特定の変形では、発光器は、並んだ強度、色温度、および色の嗜好を提供するために、個々の発光器の強度を選択するアルゴリズムによって制御される。
【００８３】
一部の実施形態では、光源は、少なくとも約７０および／または約９０以下の演色評価数を有する。１つまたは複数の光源の特定の実施形態は、少なくとも約８０および／または約１００以下の演色評価数（ＣＲＩ：Ｃｏｌｏｒ  Ｒｅｎｄｅｒｉｎｇ  Ｉｎｄｅｘ）を有する。一部の実施形態では、演色評価数は高く、少なくとも約８７および／または約９２以下である。一部の実施形態では、演色評価数は少なくとも約９０である。一部の実施形態では、演色評価数は少なくとも約８５であり得る。一部の実施形態では、光源は、少なくとも約４５および／または約９５以下の演色評価数を有する。１つまたは複数の発光器６４の特定の実施形態は、少なくとも約５０および／または約１００以下の演色評価数を有する。一部の実施形態では、発光器は、少なくとも約８７および／または約９２以下の演色評価数を有する。一部の実施形態では、発光器は、少なくとも約８０および／または約８５以下の演色評価数を有する。一部の実施形態では、発光器は、少なくとも約７０および／または約７５以下の演色評価数を有する。一部の実施形態では、発光器は、少なくとも約４５および／または約５５以下の演色評価数を有する。
【００８４】
一部の実施形態では、光束が約１ｌｍから約１１０ｌｍまでの範囲であり得る。一部の実施形態では、光束は、約１ｌｍ以下、約１０ｌｍ以下、約２０ｌｍ以下、約３０ｌｍ以下、約４０ｌｍ以下、約５０ｌｍ以下、約６０ｌｍ以下、約７０ｌｍ以下、約８０ｌｍ以下、約９０ｌｍ以下、約１００ｌｍ以下、約１１０ｌｍ以下、約１４０ｌｍ以下、約１６０ｌｍ以下、約１７０ｌｍ以下、約１８０ｌｍ以下、前述の値同士の間の値、前述の値に及ぶ範囲、または他の値に調節され得る。一部の実施形態では、光束は少なくとも約８０ｌｍおよび／また約１１０ｌｍ以下であり得る。一部の実施形態では、光束は少なくとも約９０ｌｍおよび／また約１００ｌｍ以下であり得る。一部の実施形態では、光束は約９５ｌｍであり得る。
【００８５】
一部の実施形態では、各々の光源は、少なくとも約２ワットの電力および／または約３ワット以下の電力を消費する。特定の実施形態では、各々の光源は約２ワットの電力を消費する。一部の実施形態では、各々の光源の順電圧は少なくとも約２．４Ｖおよび／または約８．０Ｖ以下であり得る。一部の実施形態では、順電圧は少なくとも約２．８Ｖおよび／または約３．２Ｖ以下であり得る。一部の実施形態では、順電圧は少なくとも約３．０Ｖである。一部の実施形態では、順電圧は少なくとも約５．５Ｖおよび／または約７．５Ｖ以下であり得る。一部の実施形態では、順電圧は約２．５Ｖから約３．５Ｖまでである。
【００８６】
特定の実施形態では、各々のライトパイプ１０、１１０の幅（鏡４、１０４の中心から概して径方向に測定される）は、約３０ｍｍ以下、約２０ｍｍ以下、約１０ｍｍ以下、約７．５ｍｍ以下、約６．５ｍｍ以下、約５．０ｍｍ以下、約４．０ｍｍ以下、前述の値同士の間の値、または他の値であり得る。
【００８７】
鏡組立体２はセンサ組立体を備え得る。一部の実施形態では、図１に示しているように、センサ組立体は、カバー部材６の後で鏡組立体２の下方領域の近くに位置決めされ得る。一部の実施形態では、図９に示しているように、センサ組立体は、カバー部材１０６の後で鏡組立体１０２の上方領域の近く、または、他の場所（例えば、底、側方、または他の場所）に位置決めされ得る。代替で、センサ組立体は、鏡組立体２、１０２の任意の他の部分に沿って配置される、または、鏡組立体２、１０２に位置決めされ得ない。例えば、センサ組立体は、鏡組立体２、１０２が位置する部屋における任意の場所に位置決めされ得る。一部の実施形態では、センサ組立体は、使用者が鏡組立体２に近接しているとき、鏡組立体２を作動させる電話機または他の携帯用装置に位置付けられ得る。
【００８８】
一部の実施形態では、図６および図１６に示しているように、センサ組立体２８、１２８は、１つまたは複数の送信機３６ａ、３６ｂ、１３６と受信機３８、１３８とを備え得る。特定の実施形態では、図６に示しているように、センサ組立体２８、１２８は、カバー部材６、１０６の後に設けられ得る１つまたは複数の光送信機と１つまたは複数の光受信機とを支持する筐体２８’を備える。一部の実施では、筐体は、硬いまたは剛体のプラスチック（例えば、射出成型品もしくは他のもの）、ゴム、合成高分子、金属、複合材料、または他の同様の材料を備える。一部の実施形態では、筐体は、センサ組立体２８、１２８の主本体から突出する突出部（例えば、段差、唇部、持ち上げられたプラットフォームなどであり、図示していない）を備える。一部の実施形態では、センサ組立体８０はガスケットをさらに備える。特定の変形では、センサ組立体はカバースリップ（図示していない）をさらに備える。一部の実施形態では、カバースリップは、筐体と接触して、または、筐体内で、ガスケットに嵌まる、および／または、ガスケットを保持し、ガスケットは、突出部を介して筐体によって所定位置で保持される。一部の変形では、カバースリップは、留め具（例えば、留め金、クリップ、ネジなど）を用いて筐体に留め付けられる。特定の実施形態では、カバースリップはガスケットに一定の分配された圧力を与え、ガスケットを部分的に圧縮する、および／または、突出部を介して筐体と面一にガスケットを部分的に保持する。一部の変形では、カバースリップ、ガスケット、筐体組立体は、送信機３６ａ、３６ｂ、１３６の信号および受信機３８、１３８の信号からの信号の分離を再現可能に提供する。
【００８９】
一部の実施形態では、センサ組立体２８、１２８の筐体は、送信機３６ａ、３６ｂ、１３６から送信機３８、１３８への信号のブリード（例えば、横方向に漏れる、または、センサ組立体の一部分を通じて送信機から受信機へと拡散する）を都合よく低減および／または最小化する。一部の実施形態では、この構成は、鏡組立体２、１０２におけるセンサ組立体の交換および固定を容易にすることができる。
【００９０】
一部の実施形態では、ガスケットは、以下のもの、すなわち、シリコン、ＰＴＦＥ、ゴム、ポリエチレン、ナイロン、ポリプロピレン、複合材料などのうちの１つまたは複数から選択される材料など、柔らかい、弾性のある、および／または可撓性の材料から成る。
【００９１】
センサ組立体は近接センサまたは反射式センサを備え得る。例えば、センサは、物体（例えば、身体部分）が、感知領域へと移動されるとき、および／または、感知領域内で移動を作り出すとき、作動され得る。送信機は、信号（例えば、赤外線などの電磁エネルギー）を生成するように構成でき、受信機は、その信号（例えば、赤外線などの電磁エネルギー）を受信するように構成され得る。一部の実施形態では、カバー部材６、１０６はマジックミラーである（例えば、鏡の一方の側が照らされ、他方の側が暗いとき、暗い方の側から鏡を通じて見ること、すなわち透過を可能にするが、照らされた側からは可能にしない、鏡の部分的に透明で部分的に反射性の部分）。一部の実施形態では、カバー部材６、１０６は、鏡とされた表面として現れるが、送信機から発せられる信号がそれを通過できることを可能にする。一部の実施形態では、送信機３６ａ、３６ｂ、１３６から発する光線は、感知領域を定め得る。特定の変形では、送信機は、音波、電波、または任意の他の信号など、他の種類のエネルギーを発し得る。送信機および受信機は、同じセンサに組み込まれてもよい、または、別の構成部品として構成されてもよい。
【００９２】
一部の実施形態では、送信機３６ａ、３６ｂ、１３６は、鏡組立体の前面から概して垂直の方向に光を発することができる。一部の実施形態では、送信機３６ａ、３６ｂ、１３６は、少なくとも約５度および／または約４５度以下で、鏡組立体の前面に対する垂線からある角度で光を発する。一部の実施形態では、送信機３６ａ、３６ｂ、１３６は、少なくとも約１５度および／または約６０度以下で、鏡組立体の前面に対する垂線からある角度で光を発する。特定の実施形態では、送信機３６ａ、３６ｂ、１３６は、約１５度の下向きの角度で光を発する。
【００９３】
一部の実施形態では、センサ組立体２８、１２８は感知領域内の物体を検出できる。特定の実施形態では、感知領域は、センサ組立体８０から延びる軸に対して、および／または、センサ組立体の前面に対して概して垂直に延びる線に対して、および／または、鏡の前面に対して概して垂直に、鏡組立体の上部から使用者に向かって概して外向きに延びる線に対して下向きおよび／または上向きに、少なくとも約０度から約４５度以下までの範囲を有し得る。特定の実施形態では、感知領域は、これらの軸または線のいずれかに対して下向きおよび／または上向きに、少なくとも約０度から約２５度以下までの範囲を有し得る。特定の実施形態では、感知領域は、これらの軸または線のいずれかに対して下向きに、少なくとも約０度から約１５度以下までの範囲を有し得る。一部の実施形態では、感知領域は、鏡システムの鏡とされた表面から離れるように特定の距離で延び、そのため、このような距離内で検出されるあらゆる物体は、センサ組立体２８、１２８を始動させ、１つまたは複数の鏡ライト、または、鏡システムのある他の機能を作動させる。１つまたは複数の機能を作動させることを支援するために近接を感知することについて、または、センサ組立体の感度を増加させることについて特許文献１および特許文献２に記載および／または例示されているあらゆる特徴、構造、材料、またはステップは、すべての他の開示と同様に、本明細書の残りの部分に記載および／または例示されているあらゆる特徴、構造、材料、またはステップと共に、または、それらの代わりに用いられ得る。
【００９４】
一部の実施形態では、感知領域は、カバー部材６、１０６の１つまたは複数の特徴を変更することで調節され得る。特定の実施形態では、カバー部材６、１０６はレンズ材料を備え得る。特定の実施形態では、カバー部材６、１０６は概して長方形の断面を備え得る。特定の実施形態では、カバー部材６、１０６は概して三角形の断面を備え得る。特定の実施形態では、カバー部材６、１０６は、鏡４、１０４、１０４’の前面と概して平行または同一平面上の前面を備え得る。特定の実施形態では、カバー部材６、１０６は、鏡４、１０４、１０４’の前面に対してある角度で前面を備え得る。特定の実施形態では、カバー部材６、１０６の前面はセンサ組立体２８に対してある角度で位置決めされ得る。
【００９５】
一部の実施形態では、感知領域は、カバー部材６、１０６の前面が鏡４、１０４、１０４’の前面と概して平行または同一平面上の構成から鏡４、１０４、１０４’の前面に対してある角度にある構成へと移動するにつれて、概して拡大する。特定の実施形態では、カバー部材６、１０６の前面が鏡の前面と概して平行または同一平面上であるとき、感知領域は、センサ組立体から概して延び、および／または、センサ組立体の前面に対して概して垂直である軸に対して下向きに、約０度から約１５度までの範囲を有し得る。特定の実施形態では、カバー部材６、１０６の前面が鏡の前面に対してある角度であるとき、感知領域は、センサ組立体から概して延び、および／または、センサ組立体の前面に対して概して垂直である軸に対して下向きに、約０度から約２５度までの範囲を有し得る。
【００９６】
センサ組立体２８、１２８は、人の目で視認可能である、または、視認可能ではない可能性がある小さい出力の光線を生成するだけの電力を必要とするだけであり得る。また、センサ組立体は脈動するモードで動作してもよい。例えば、送信機は、例えば、任意の所望の頻度（例えば、０．５秒当たりで１回、１秒当たりで１回、１０秒当たりで１回）で所望の時間の期間（例えば、約０．０１秒以下、約０．１秒以下、または約１秒以下）にわたって続く短い放出など、周期的に電源オンおよび電源オフされてもよい。周期的であることは、センサ組立体に電力供給するための電力要求を大幅に低減できる。動作中、周期的であることは、使用者が、検出信号が生成されるだけの長い光線の経路に概して留まるため、一部の実施形態では性能を悪化させることにはならない。
【００９７】
一部の実施形態では、受信部３８、１３８が、送信機から発せられる光線内の物体からの反射（例えば、閾レベルを超える）を検出する場合、センサ組立体２８、１２８は、光源を作動させるために信号を制御装置に送ることができる。一部の実施形態では、制御装置組立体は、制御ルーチンを記憶および実施するための有線のフィードバック制御回路、処理装置、およびメモリ装置、または任意の他の種類の制御装置を提供できる１つまたは複数のプリント回路基板（ＰＣＢ）に動作可能に接続される（電線またはコンジットを介して）。
【００９８】
一部の実施形態では、センサ組立体２８、１２８は、受信機に向かって戻されるように反射される光の量に基づいて、制御装置（描写されていない）に異なる信号を送ることができる。例えば、一部の実施形態では、センサ組立体は、光源によって発せられる光の量が、鏡と使用者との間の距離を指示し得る反射される光の量と比例となるように構成される。特定の変形では、使用者が第１の感知領域にいる場合、制御装置は、１つまたは複数の光源に、オフ状態から作動をさせる、または、第１の量の光を発せさせる。使用者が第２の感知領域にいる場合（例えば、第１の感知領域よりセンサ組立体から離れてさらに遠い場合）、制御装置は、１つまたは複数の光源３０ａ、３０ｂ、１３０ａ’、１３０ａ”、１３０ｂ’、１３０ｂ”に第２の量の光（例えば、第１の量の光より少ない）を発せさせる。
【００９９】
一部の実施形態では、制御装置は、光源から、より明るい光またはより薄暗い光など、少なくとも２つの異なる輝度のレベルをもたらすことができる。例えば、使用者が第１の感知領域のどこかにいる場合、制御装置は、明るい光が発せられるように信号を送り、使用者が第２の感知領域のどこかにいる場合、制御装置は、薄暗い光が発せられるように信号を送る。
【０１００】
一部の実施形態では、制御装置は３つ以上の輝度レベルをもたらしてもよい。特定の実施では、発光のレベルは、センサから使用者までの距離に、（例えば、線形で、指数関数的に、または他の方法で）関連付けられる。例えば、使用者がセンサ組立体により近づくにつれて、１つまたは複数の光源は、より多くの光を発する。代替で、鏡組立体２、１０２は、使用者がセンサ組立体２８、１２８からより遠くに離れるときにより多くの光を発し、使用者がセンサ組立体のより近くに移動するにつれてより少ない光を発するように構成されてもよい（使用者の設定を用いて構成されてもよい）。一部の実施形態では、鏡組立体２、１０２は、使用者がセンサ組立体２８、１２８の鏡の焦点により近いときにより多くの光を発し、使用者がセンサ組立体の鏡の焦点からより遠くに移動するにつれてより少ない光を発するように構成されてもよい（使用者の設定を用いて構成されてもよい）。一部の実施形態では、複数の感知領域は、鏡組立体に、鏡からの物体の距離を計算させることができ、それに応じてライティング設定を調節させることができる。例えば、特定の実施では、鏡組立体からの物体の距離に基づいて、アルゴリズムが、物体を照らすのに必要な照明の量を計算できる。その距離に基づいて、より多くの光またはより少ない光が、物体を照らすために光源から発せられ得る。
【０１０１】
一部の実施形態では、センサの各々の送信機は、送信機における適切な遮蔽または案内で、センサの検出領域（センサの名目上の範囲の影響下にある）を定める円錐形の光を発する。２つの円錐形が重なる領域は、一次感知領域を作り出し、２つの円錐形が光を発するが重ならない領域は、二次感知領域を作り出す。使用者が一次感知領域で検出される場合、センサ組立体は、適切な信号を制御装置に送り、これは光源からの第１のレベルの光をもたらす。使用者が二次感知領域で検出される場合、センサ組立体は、適切な信号を制御装置に送り、これは光源からの第２のレベルの光を作動させる。一部の実施形態では、第１のレベルの光は第２のレベルの光より明るい。他の実施形態では、第２のレベルの光は第１のレベルの光より明るい。一部の実施形態では、センサ組立体は、３つ以上の感知領域を定め、３つ以上のレベルの光をもたらす。
【０１０２】
図６に示しているように、発光部３８は、（例えば、地面に対して）同じ水平面に沿って概して位置決めされ得る。センサ組立体２８は、使用者がセンサ組立体２８のすぐ前で第１の感知領域内にいるときにより明るい光をもたらし得る適切な信号を制御装置に出すことができる。センサ組立体は、使用者が鏡組立体２、１０２の周辺における第２の感知領域内にいるとき、より薄暗い光をもたらすことができる。
【０１０３】
センサ組立体２８、１２８は、センサの名目上の範囲内に、重なる検出の円錐形を作り出さない２つ以上の発光部を備えてもよい。第１の円錐形の光は第１の感知領域を定め、第２の円錐形の光は第２の感知領域を定める。使用者が第１の感知領域のみ、または、第２の感知領域のみにおいて検出される場合、センサ組立体は制御装置に信号を送り、これは光源からの第１のレベルの光を作動させる。特定の変形では、使用者が第１の感知領域および第２の感知領域で同時に検出される場合、センサ組立体は、光源からの第２のレベルの光を作動させるために制御装置に信号を送る。一部の実施形態では、第１のレベルの光は第２のレベルの光より明るい。他の実施形態では、第２のレベルの光は第１のレベルの光より明るい。
【０１０４】
光源の作動、または、光源から発せられる光の量の調節は、感知領域内の使用者の存在以外の要因に基づかれてもよい。例えば、光源から発せられる光の量は、センサの検出領域および名目上の領域内における動作に基づいて調節できる。特定の実施は、使用者が自身の手をあらかじめ設定された方向（例えば、上、下、左、右、斜めなど）に移動する場合、制御装置が光源から発せられる光の態様（例えば、色温度変化、色、または光の強度）を変えるように構成される。使用者が自身の手を反対方向に移動する場合、逆の光の効果が成し遂げられる。
【０１０５】
光源３０ａ、３０ｂ、１３０ａ’、１３０ａ”、１３０ｂ’、１３０ｂ”が作動すると、光源は、センサ組立体２８、１２８が感知領域において物体を検出する限り、作動されたままとなり得る。代替で、光源は、所定の時間の期間にわたって作動されたままとなる。例えば、光源を作動させることは、タイマを初期化し得る。タイマが切れる前にセンサ組立体が物体を検出しない場合、光源は作動停止される。タイマが切れる前にセンサ組立体が物体を検出した場合、制御装置は、即時に、または、時間が切れた後に、タイマを再び初期化する。
【０１０６】
一部の実施形態では、センサ組立体は感知領域における物体の移動を検出できる。特定の実施では、物体の移動が事実上十分であるとき、鏡組立体は作動する。一部の変形では、物体の移動の十分さは、移動する物体が特定の最小の大きさのものであるかどうか（例えば、人の大人もしくは子供の最小の大きさについて）、物体の移動が特定の最小の速度のものであるかどうか（例えば、平均的な歩く速度、もしくは振る手の速度）、および／または、物体の移動が鏡組立体からの特定の最大距離のものであるかどうか（例えば、約１０フィート未満、約５フィート未満、約３フィート未満、約２フィート未満、または約１フィート未満）に基づかれる。
【０１０７】
作動されると、光源は、所定の時間の期間にわたって作動されたままとなり得る。例えば、前述したように、光源を作動させることは、タイマを初期化し得る。タイマが切れる前にセンサ組立体が十分な移動を物体から検出しない場合、光源は作動停止する。しかしながら、タイマが切れる前にセンサ組立体が本質的に十分な移動を検出する場合、制御装置はタイマを再び初期化し、鏡組立体を作動状態で維持する。一部の実施形態では、タイマを再び初期化するために必要とされる物体移動の量が、作動していない鏡組立体を最初に作動させるのに十分な移動の量より、種類、速度、もしくは頻度において同じもしくはより小さくされ得る、または、鏡組立体への物体の近接距離が、作動していない鏡システムを最初に作動させるのに十分な鏡組立体への物体の近接距離と同じもしくはより大きくされ得る。例えば、特定の実施形態では、第１の場所で鏡組立体を作動させるのには不十分である移動が、ひとたび作動状態になった鏡組立体を作動させたままにするのには十分である可能性がある。タイミングおよび増加した感度の特徴が、鏡組立体が、時期尚早に、不用意に、または、まだ使用しているときに作動停止しないことを確実にするために使用され得る。
【０１０８】
１つまたは複数の感知領域は、使用者に鏡組立体２、１０２の動作の態様を制御させることができる任意の種類の構成で使用され得る。例えば、１つまたは複数の感知領域は、異なるレベルの光を発するために、時間の期間を変えるために動作させるために、鏡を旋回するために、または任意の他の適切なパラメータのために、鏡組立体２、１０２を始動させるのに使用され得る。
【０１０９】
いくつかの実施形態では、鏡組立体２、１０２は、例えばオンモードおよびオフモードといった、１つまたは複数の動作のモードを有する。制御装置は、異なる感知領域、動作、または任意の他のパラメータから受信される信号に基づいて、異なるモードを作動させることができる。以下に記載しているモードのいずれも、別々に、または、互いと組み合わせて使用され得る。
【０１１０】
鏡組立体２、１０２はタスクモードを備え得る。タスクモードが作動されるとき、鏡組立体２、１０２は、光源を始動して、作動させたままにすることができる、または、センサを所定の時間の期間にわたってハイパーモード（例えば、その間、センサは、領域内の移動に対して増加した感度を有するように、より大きいまたはより広い感度領域を有するように、または、ある他の増加した感度信号検出を有するように構成される）に入らせることができる。例えば、一部の実施形態では、タスクモードは、使用者が鏡をなおも見ている間に照明が間欠的に失われるのを回避するために、延長された時間の期間にわたって鏡組立体２、１０２を使用するつもりであるとき、特に、使用者の身体の位置が実質的になおも延長された期間にわたってある場合、特に有用である。タスクモードは、使用者が感知領域内で検出されない場合であっても、光源を始動して、所定の長さの時間にわたって作動させたままにできる。所定の時間の長さは、約３分間以下、５分間以下、１０分間以下、または任意の他の適切な時間の期間以下であり得る。タイマが切れる前にセンサ組立体２８が使用者を検出しない場合、鏡組立体２、１０２はタスクモードを作動停止する。特定の実施形態では、鏡組立体２、１０２は、使用者が作動停止するために光源に信号を送るまで、タスクモードのままである。
【０１１１】
鏡組立体２、１０２は省電力モードを備え得る。省電力モードが作動されるとき、光源は、省電力モードにないときの鏡組立体２、１０２より弱い光を発する。省電力モードは、使用者によって作動でき、使用者が鏡を比較的に長い時間の期間にわたって使用するつもりであるときに使用され得る。代替で、鏡組立体２、１０２は、オンモードとオフモードとの間の移行として、省電力モードに自動的に入る。例えば、制御装置は、光源が作動するときにタイマを初期化できる。タイマが切れる前にセンサ組立体が使用者を検出しない場合、制御装置は省電力モードに入り、第２のタイマを初期化する。第２のタイマが切れる前にセンサ組立体が使用者を検出しない場合、制御装置は光源を作動停止する。
【０１１２】
鏡組立体２、１０２はハイパーモードを備え得る。前述したように、一部の実施形態では、鏡組立体２、１０２は、円錐形の光を各々発する２つの光送信機を有する。特定の実施では、制御装置は、２つの円錐形の光が交差する領域（例えば、一次感知領域）でセンサ組立体が物体を検出するとき、作動させるために光源を始動するだけである。一部の実施形態では、光源が作動された後、鏡組立体２、１０２はハイパーモードに入る。制御装置は、センサ組立体が円錐形の光の一方または両方（二次感知領域または一次感知領域）のいずれかで使用者を検出する限り、光源を作動させたままにできる。二次感知領域は一次感知領域と異なり得る。例えば、二次感知領域は一次感知領域より大きくてもよい。一部の実施形態では、これは、使用者が動き回ることを可能にし、光源をなおも作動させたままにする。ハイパーモードは、使用者が鏡組立体２、１０２の周辺の近くにいるとき、意図していない作動を防止することで電力を節約するのを助けることができる。
【０１１３】
鏡組立体２、１０２は周囲光感知能力も備え得る。例えば、周囲光が比較的低いとき、光源から発する光は、周囲光が比較的明るい場合よりも明るくなる。反対に、周囲光が比較的低いとき、光源から発する光は、周囲光が比較的明るい場合よりも薄暗くてもよい。一部の実施形態では、薄暗い周囲条件において発せられる光を薄暗くすることは、鏡組立体によって使用される電力および／または電池の寿命を有利に節約する。受信機３８、１３８は、周囲光と、送信機から発せられる光との両方を検出できる、または、鏡組立体２、１０２は、周囲光を検出するための第２のセンサ組立体を備え得る。
【０１１４】
制御装置は、検出された周囲光の量に基づいて、光源を始動させるのに必要な信号の量を調節できる。例えば、光源を作動させるために必要とされる検出される光の量は、周囲光と比例であり得る。このような構成は、周囲光のレベルが適度である（例えば、薄暗くされた浴室照明）ときでさえ、光源を作動させてしまう可能性がある。周囲光が第１のレベル以下である場合、第１のレベルの反射された信号が検出されるときに制御装置は光源を作動させる。周囲光が第１のレベルより大きい場合、第２のレベル（例えば、第１のレベルより大きい）の反射された信号が検出されるときに制御装置は光源を作動させる。
【０１１５】
制御装置は、周囲光に基づいて、光源によって発せられる光の量を調節することもできる。このような構成は、例えば、周囲環境が薄暗いときなど、特に使用者の目が低い光のレベルに以前調節されていたとき、使用者の目にとって不快となる非常に明るい光の最初の放出を発することを回避できる。例えば、光源によって発せられる光の量は、周囲の検出された光の量と比例であり得る。
【０１１６】
制御装置は、光源が作動されるときに光源から発せられる光のレベルを徐々に増加させることもでき、および／または、光源が作動停止されるときに光源から発せられる光の量を徐々に低減させることもできる。このような構成は、光源が電源オンするとき、使用者の目に対する不快感を抑制できる。
【０１１７】
鏡組立体２、１０２は修正モードも備え得る。例えば、修正モードは、異なる感知領域を、使用者によって望まれるように異なる出力特性で修正できる。アルゴリズムは、異なる機能を実施するために、複数の感知領域を利用するように構成され得る。例えば、使用者は、第１のレベルの光（例えば、より小さい強度の光）に対応するように第１の感知領域を構成でき、第２のレベルの光（例えば、より大きい強度の光）に対応するように第２の感知領域を構成できる。別の例では、使用者は、感知領域の大きさ（例えば、幅または高さ）を調節できる。使用者は、第１のレベルの光に対応するように第１の感知領域を指定でき、第２のレベルの光に対応するように第２の感知領域を指定できる。この修正モードは、ボタンを押すこと、センサを作動させること、または任意の他の適切な機構など、使用者の指示によって始動され得る。
【０１１８】
一部の実施形態では、感知領域は、使用者が使用者の顔を鏡の外側周辺内に概してうまく合わせることができるように、使用者の顔の中心が鏡部分のおおよそ中心において鏡から適切な垂直の距離で離れて概して位置決めされるように、設計される。例えば、一部の実施形態では、領域は、鏡の前面から少なくとも約１０インチおよび／または約１２インチ以下（例えば、約１１インチ）の範囲内とすることができ、別の領域は、鏡の前面から少なくとも約７インチおよび／または約９インチ以下（例えば、約８インチ）の範囲内とすることができる。
【０１１９】
アルゴリズムは、検出された信号に基づいて光源を作動させるために、命令を送るように構成され得る。アルゴリズムは、異なるレベルの光を発する、または、時間の期間を変えるように構成されてもよい。アルゴリズムは、前述されたモードのいずれかを含む１つまたは複数のモードをもたらすために命令を送るように構成されてもよい。命令は、受信される信号に基づいて変わってもよい。例えば、信号は、物体とセンサ組立体２８、１２８との間の距離、および／または、動作の期間もしくは経路などの他のパラメータに依存してもよい。
【０１２０】
アルゴリズムは、光源が作動されるときにタイマを初期化できる。タイマは、少なくとも３０秒間および／もしくは６０秒間以下、または、任意の他の時間の長さにわたって作動できる。一部の実施形態では、タイマは３０秒間未満にわたって作動できる。一部の実施形態では、タイマは約５秒間にわたって作動できる。一部の実施形態では、光源は、時間切れになるとき、すぐに消える。一部の実施形態では、光は、時間切れになる前にセンサ組立体２８、１２８が物体を検出する限り作動されたままとなる。センサ組立体が物体を検出する場合、タイマはすぐに再始動する、または、時間切れとなったときに再始動する。時間切れになる前にセンサ組立体が物体を検出しない場合、光源は消える。
【０１２１】
アルゴリズムは、センサを作動停止する、または、光源が作動停止した直後に光源が光を発するのを防止する遅れを取入れてもよい。遅れは、１秒間、５秒間、または任意の他の時間の長さにわたり得る。遅れは、使用者が光源を無意識に始動させるのを防止するのを助ける。物体が遅れ期間の間に感知領域にあったとしても、遅れの期間の間、光源は光を発しない。センサ組立体は、遅れ期間の後に物体を検出し、光源は再び光を発することができる。
【０１２２】
光源から発せられる光のレベルは、使用者が感知領域に留まっている時間の長さだけに依存しない、または、その時間の長さにまったく依存しない。光源から発せられる光のレベルは、特定の他のパラメータが同じであるとしても（使用者が領域において感知される時間の長さなど）、異なる感知領域における使用者の場所に依存して異なってもよい。
【０１２３】
一部の実施形態では、鏡組立体２、１０２は、誤った始動で、または、無生物の存在によってなど、鏡が不注意で作動されたかどうかを検出するように構成されたアルゴリズムを含み得る。例えば、センサが物体を検出するとき、制御装置はタイマを初期化できる。時間切れになる前に鏡組立体が何も動きを検出しない場合、光源は消える。鏡組立体が動きを検出した場合、タイマは再び初期化され得る。
【０１２４】
照度レベルは、鏡の面により近い距離においてより大きくなり得る。特定の変形では、センサ（および／または、鏡４、１０４、１０４’、１０４”）から６インチの距離におけるルクスが約６００ルクスである。特定の変形では、センサ（および／または鏡）から６インチの距離におけるルクスが、少なくとも約１ルクスおよび／もしくは約１４００ルクス未満、少なくとも約１００ルクスおよび／もしくは約１１００ルクス未満、少なくとも約２００ルクスおよび／もしくは約１０００ルクス未満、少なくとも約３００ルクスおよび／もしくは約９００ルクス未満、少なくとも約４００ルクスおよび／もしくは約８００ルクス未満、少なくとも約５００ルクスおよび／もしくは約７００ルクス未満、前述の範囲を含む値同士の間の範囲、または他の値である。一部の実施形態では、感知領域の外側周辺における照度は約７００ルクスである。一部の実施形態では、感知領域の外側周辺における照度は約６００ルクスである。一部の実施形態では、感知領域の外側周辺における照度は、少なくとも約５×１０−５ルクス（おおよそ星の光の照度）および／または約１×１０５ルクス（おおよそ直射日光の照度）未満である。特定の変形では、感知領域の外側周辺における照度は、少なくとも約１×１０−４ルクスおよび／もしくは約１×１０４ルクス未満、少なくとも約１×１０−３ルクスおよび／もしくは約１×１０３ルクス未満、少なくとも約１×１０−２ルクスおよび／もしくは約１×１０３ルクス未満、少なくとも約１×１０−１ルクスおよび／もしくは約１×１０４ルクス未満、前述の値の間の範囲、または他の値である。多くの他の感知領域も利用でき、そのうちの一部が以下に記載されている。特定の変形では、鏡組立体２、１０２は、光の強度を調節するために調光器を備え得る。
【０１２５】
一部の実施形態では、感知領域は、鏡の顔から離れる方に約８インチ以下、約１２インチ以下、約１６インチ以下、または約２４インチ以下で延びる。多くの他の感知領域も利用でき、そのうちの一部が本明細書に記載されている。特定の変形では、鏡組立体２、１０２は、光の強度を調節するために調光器を備え得る。
【０１２６】
図６に示しているように、光源は、鏡組立体の最も上方の領域の近くに位置決めされ得る。図１６に示しているように、光源は、鏡組立体の最も下の領域の近くに位置決めされ得る。他の実施形態では、光源は、鏡の支持部の周辺の周りで離間された間隔で、および／または、鏡の側部に沿って、ライトパイプ１０、１１０内など、鏡組立体２、１０２の他の部分に位置決めされる。一部の実施形態では、本明細書における他の部分に記載されているように、ならびに、図６および図１６に示しているように、発光器は、外面４２、１４２の後面に向けられていない。代わりに、発光器は、鏡組立体２、１０２の通路４１、１４１に位置するライトパイプ１０、１１０へと光を投射する。光源は、鏡組立体２、１０２の見る面に対して実質的に直交に光を発するように位置決めされ得る。図１６に示した発光器１３０ａ’、１３０ａ”、１３０ｂ’、１３０ｂ”は、それらから発せられる光が見る面に対して実質的に直交に（例えば、使用者を向かない方向に）方向付けられるように、位置決めされる、および／または、向けられる。一部の実施形態では、発光器は、鏡１０４によって形成される平面に実質的にある方向、および／または、鏡１０４によって形成される平面に平行である平面に実質的にある方向で、光を発するように位置決めされる。一部の実施形態では、使用者に向けて光を発しないように位置決めされるが、鏡組立体からの光は、使用者を照らすために、その光を外面４２、１４２から出すことができる手法で投射される。
【０１２７】
鏡組立体２は、ファン、通気孔、および／または、１つまたは複数の受動的な熱の消散もしくは放射の構造３４、１３４など、熱エネルギーを光源から離すように能動的または受動的に消散、輸送、または放射させるために機構を備えてもよい。図７に示しているように、支持部２０は、熱消散構造３４ａ、３４ｂを受け入れるために、鏡組立体２の上方領域の近くに受入部を備え得る。熱消散構造３４ａ、３４ｂは、光源によって発生させられる熱を鏡組立体から除去するのを助けるために、アルミニウムまたは鋼など、熱伝導の率の高い材料から形成され得る。銅または真鍮など、多くの他の熱消散材料が使用され得る。同様の熱消散構造が、図９に示した実施形態に存在してもよい（例えば、支持部１２０において）。
【０１２８】
熱消散構造は、光源によって作り出された熱を消散でき、および／または、電気を光源に伝導でき、必要な構成部品の全体の数を減らせる。一部の実施形態では、熱消散構造３４ａ、３４ｂは、熱消散構造を通じて効率的に熱を伝導し、そのような熱を鏡組立体における熱に敏感な電子部品から離すように周囲空気へと容易に伝達するのに、薄い表面にわたって大きな表面積を提供するために、１つの寸法において概して比較的長く、別の寸法において概して比較的幅広で、別の寸法において概して比較的狭い１つまたは複数の構成部品を備え得る。例えば、熱消散構造３４ａ、３４ｂの長さは熱消散構造の幅より実質的に大きくでき、熱消散構造の幅は厚さより実質的に大きくできる。
【０１２９】
図７に示しているように、熱消散構造３４ａ、３４ｂは、別々の構成部品であり得る。熱消散構造３４ａ、３４ｂは、構造の各々の第１の端３４ａ’、３４ｂ’がフィンの第２の端３４ａ”、３４ｂ”よりくっついてより近くなるように（例えば、概してＶ字形に）位置決めされ得る。構造３４ａ、３４ｂは光源に直接的または間接的に連結され得る。例えば、構造３４ａ、３４ｂの各々は光源を受け入れることができる。
【０１３０】
図７は、後カバー部１８なしでの鏡組立体の後側を示している。熱消散構造の各々の第２の端３４ａ”、３４ｂ”は、ライトパイプの第１の端４０ａと第２の端４０ｂとの間およびセンサ組立体２８のどちらかの側に位置決めされ得る。熱消散構造３４ａ、３４ｂは、支持構造２０、１２０の後または内部に位置決めされ得る。例えば、熱消散構造３４ａ、３４ｂは、回路基板と後カバー部（図示されていない）との間に位置決めされ得る。支持部２０、１２０は、例えば回路基板を係合するために、１つまたは複数の留め具または他の構造を備えてもよい。
【０１３１】
本明細書における他の部分に記載されているように、支持部２０、１２０は、鏡４、１０４、１０４’、１０４”と、鏡４、１０４、１０４’、１０４”の周辺の少なくとも一部分の周りに位置決めされるライトパイプ１０、１１０などの光搬送構造とを支持できる。一部の実施形態では、ライトパイプ１０、１１０は、鏡４、１０４、１０４’、１０４”の上方部または鏡４、１０４、１０４’、１０４”の側部のみに沿って位置決めされる。他の実施形態では、ライトパイプ１０、１１０は、鏡４、１０４、１０４’、１０４”の周辺の少なくとも大部分の周りで、鏡４、１０４、１０４’、１０４”の実質的に全体周囲で、または、鏡４、１０４、１０４’、１０４”の全体周辺の周りで延びる。一部の実施形態では、支持部２０、１２０は、ライトパイプ１０、１１０を支持できる隆条部１２１などの構造を備え得る（例えば、ライトパイプ１１０の一部分は隆条部１２１に沿って配置され得る）。
【０１３２】
光源からの光の一部または全部は、（例えば、ライトパイプの周囲長さに沿って）概してライトパイプ１０、１１０に向かってまたはライトパイプ１０、１１０の中へと伝送され得る。例えば、図１８に示しているように、ライトパイプ１１０は、端１４０ａ、１４０ｂを備えることができ、光源は、ライトパイプ１１０の端１４０ａ、１４０ｂの一方または両方へと光を発することができる。光源は、鏡組立体１０２の見る面を向く使用者に概して向けて光が発せられるように位置決めされ得る。例えば、光源および／またはライトパイプ１１０からの光の一部または全部は、使用者に当たる前に、別の構成部品に向かって発せられ、別の構成部品から反射され得る。
【０１３３】
支持部材２０、１２０に設置されるとき、ライトパイプ１０、１１０は径方向の幅と軸方向の深さとを有する。一部の変形は、軸方向の深さ以上である径方向の幅を有する。特定の実施では、ライトパイプ１０、１１０は、後でより詳細に記載しているように、適切な面積を鏡４、１０４、１０４’、１０４”の反射面に提供するように、および、十分な面積を、ライトパイプ１０、１１０から発せられる光に提供するように構成される。例えば、鏡４、１０４、１０４’、１０４”の半径に対するライトパイプ１０、１１０の径方向の幅の割合は、約１／５以下、約１／１５以下、約１／３０以下、約１／５０以下、それらの間の値、または他の値であり得る。
【０１３４】
図１８に示しているように、ライトパイプ１１０は実質的に円で成形され得る。ライトパイプ１１０は隙間１４４を備えてもよく、センサ組立体１２８および／または光源は隙間１４４に位置決めされ得る。一部の実施形態では、ライトパイプは、実質的に直線的に成形され得る、または、ライトパイプは非線形または非円形を有し得る。ライトパイプ１０、１１０は、アクリル、ポリカーボネート、または任意の他の透明もしくは高度に透過性の材料を備え得る。ライトパイプ１０、１１０は少なくとも若干不透明であり得る。
【０１３５】
光は、ライトパイプ１０、１１０の一部分に沿って通過し得る、および／または、ライトパイプ１０、１１０の外面４２、１４２を介してライトパイプ１０、１１０から発し得る。一部の実施形態では、ライトパイプは、光源から発せられる光の少なくとも約９５％を伝送するように構成され得る。光源は、ライトパイプとの組み合わせで、概して鏡４、１０４、１０４’、１０４”の周辺の周りで光を発するように構成され得る。ライトパイプ１０、１１０は、光を光源からライトパイプ１０、１１０を通じて分散するように構成され得る。光源およびライトパイプ１０、１１０は、外面４２，１４２から発せられる光の量がライトパイプ１０、１１０の長さに沿って実質的に一定となるように構成され得る。ライトパイプ１０、１１０の周りで搬送される光の実質的に一定の強度を達成する多くの異なる方法が、用いられ得る。
【０１３６】
支持部２０、１２０および／またはライトパイプ１０、１１０は、鏡の周辺の周りで光源によって発せられる光の概して均一または一様の拡散、散乱、および／または反射を容易にするための特徴を含み得る。例えば、支持部２０、１２０および／またはライトパイプ１０、１１０は、非平坦および／もしくは非平面の方法で成型された、エッチングされた、粗面化された、塗装された、および／または他の表面改質された不均一な前および／または後の表面を備え得る。光散乱要素は、鏡４、１０４、１０４’、１０４”の周辺に沿って実質的に一定の量の光を分散するように構成され得る。これらの特徴は、高いエネルギー効率を達成するのを助けることができ、鏡の実質的に周辺全体を明るくするために必要な光源の全体の数を減らし、鏡組立体２、１０２の作動温度を低減する。
【０１３７】
ライトパイプ１０、１１０は、散乱の度合いの変化する概して半透明の材料を備え得る。一部の実施形態では、散乱のより小さい量および／または最小の量は、光源の近くの領域にあり、より大きい量および／または最大の散乱は、光源から最も遠くに位置付けられるライトパイプ１０、１１０の領域にある。ライトパイプ１０、１１０は、変化する手法で光を散乱するように構成される領域を備え得る。一部の実施形態では、光搬送経路またはライトパイプ１０、１１０は、成型、エッチング（例えば、化学的なエッチングなど）、粗面化（例えば、サンドブラスト、研磨など）、塗装、被覆、および／または他の方法など、任意の適切な工程から形成された変化する非一定で滑らかでない前、後、および／または内部の表面を備え得る。一部の実施形態では、１つまたは複数の表面凹凸は、非常に小さい隆起、突起、および／または刻み目であり得る。
【０１３８】
一部の実施形態では、ライトパイプ１０、１１０を通過する光は、ライトパイプ１０、１１０内の光の場所に依存して、複数の異なる強度レベルで散乱され得る。例えば、ライトパイプ１０、１１０における第１の場所での光は第１の強度レベルにおいて散乱され、ライトパイプ１０、１１０における第２の場所での光は第２の強度レベルにおいて散乱され、ライトパイプ１０、１１０における第３の場所での光は第３の強度レベルにおいて散乱されてもよく、第３の強度レベルは第２の強度レベルより大きく、第２の強度レベルは第１の強度レベルより大きい。ライトパイプ１０、１１０の材料内の着色のレベルもしくは艶消し効果を空間的に変化させること、材料内に埋め込まれる散乱粒子を空間的に変化させること、または、材料の１つまたは複数の外側面における表面のパターンを空間的に変化させることでなど、散乱の多くの他のレベルおよび空間的に増加または低下する散乱の多くの方法が、マクロの散乱要素を提供することの代替または追加で用いられ得る。一部の実施形態では、散乱要素の滑らかな階調が、所望の光の効果を達成するために用いられ得る（例えば、一定の光の強度を発する、または、階調の光の強度を発する）。
【０１３９】
ライトパイプ１０、１１０は、図８Ａ〜図８Ｃに示しているように、光散乱要素７４などの表面パターン（例えば、ドットパターン）を備え得る。光散乱要素７４は、ライトパイプ１０、１１０を通過する光の一部を、ライトパイプ１０、１１０の外面４２、１４２から出るように仕向けるように構成され、それによって、使用者を概して均一の手法または概して一様の手法で概して照らすことができる。光散乱要素は、ライトパイプ１０、１１０の外面４２、１４２から発せられる光の強度が、ライトパイプ１０、１１０の長さの実質的に一部または事実上全体に沿って実質的に一定となるように構成され得る。したがって、使用者は、鏡４、１０４の周辺の周りで概して一定の光量または強度を受けることができる。例えば、光散乱要素は、１つまたは複数の様々な密度、不均一なパターン、または様々な大きさを備え得る。
【０１４０】
図８Ａ〜図８Ｃに示しているように、光散乱要素７４は、光源の近くでより小さい密度とすることができ（図８Ｃ）、光源からの増加する距離の関数として徐々に密度が大きくなる（図８ｂ）。このような構成は、例えば、光源の近くにあるライトパイプ１０、１１０の一部分など、概して増加した光量または光の強度を有する領域において、散乱または反射される（したがって、外面４２、１４２を出て行く）光の量を低減できる。さらに、このような構成は、光源から離間されているライトパイプ１０、１１０の部分など、概して低減された光量または強度を有する領域において、追加の散乱または反射を促す（したがって、外面４２、１４２を出て行く量を増加させる）。したがって、鏡組立体２、１０２は、鏡４、１０４の周辺のある部分における明るい領域と、他の部分における暗い領域とを回避できる。鏡組立体２、１０２は、鏡４、１０４の周辺の一部、実質的に全部、または全部に沿って発せられる実質的に一定の量の光を有し得る。
【０１４１】
光散乱要素は、第１の領域における光散乱パターンが第２の領域における光散乱パターンと異なるように、不均一なパターンで分散され得る。第１の光散乱要素と第２の光散乱要素との間の距離は、第１の光散乱要素と第３の光散乱要素との間の距離と異なり得る。
【０１４２】
光散乱要素の大きさ（例えば、直径）は変えられてもよい。一部の変形では、光源の近くでの光散乱要素は、光源からより離れている光散乱要素と比較するとき、より小さい大きさを有し得る。例えば、光散乱要素は、光源の近くでより小さい直径を有してもよく、光源からの距離の関数として徐々に大きくなる。このような構成は、外面４２、１４２への光の実質的に均一な反射を可能にする。特定の実施形態では、各々の光散乱要素は、約１ミリメートル以下の直径を有する。一部の実施形態では、光散乱要素は、約１ミリメートル以上の直径を各々有する。
【０１４３】
一部の実施形態では、光散乱要素は概して円形であり得る。一部の実施形態では、光散乱要素は、概して正方形、概して長方形、概して五角形、概して六角形、概して八角形、概して楕円、および他の形など、他の形を有する。特定の実施形態では、ライトパイプ１０、１１０におけるパターンは、一連の線、曲線、螺旋、または任意の他のパターンである。特定の実施形態では、光散乱要素は白色である。光散乱要素は、ライトパイプ１０、１１０が艶消しで見えるように分散され得る。一部の実施形態では、光散乱要素は使用者に容易には見えない。例えば、ライトパイプ１０、１１０は、表面パターンの見えるのを隠すために若干不透明であり得る。一部の実施形態では、光散乱要素は使用者に見られ、ライトパイプ１０、１１０は、表面要素の概略的な色およびパターンを示すのに明確であり得る。
【０１４４】
一部の実施形態では、光路は、鏡とされた表面によって隠され、光源１３０ａ’、１３０ａ”、１３０ｂ’、１３０ｂ”が作動されるときに見えるだけである。例えば、一部の実施形態では、支持部２０、１２０は、光の帯の概略的な方向において、または、その方向に沿って、部分的に透明なある部分を少なくとも有する。一部の実施形態では、光源は、見えないように、鏡とされた表面の一部分の後に隠され得る。例えば、部分的に透明な鏡とされた表面（例えば、マジックミラー）は、中心の鏡とされた表面の側方部を形成できる。鏡の前から見られるとき、これらの部分的に透明な表面は反射性であり、鏡とされた表面の通常の部分として現れる。発光器または光源が作動されるため、光はマジックミラーを通じて伝送でき、使用者を照らすことができる。一部の実施形態では、照らされるときのみ、光源は鏡システムから見ることができる。一部の変形では、光の帯は見る面によって隠されない。例えば、特定の実施では、作動していないときであっても、使用者が鏡の前に位置決めされるとき、光源は見られる。
【０１４５】
一部の実施形態では、光源は鏡ヘッド内で鏡の一部分の後に位置決めされる（例えば、鏡のバックライト効果を作り出す）。一部の実施形態では、光源は、光源から発せられる光が鋭角などのある角度で鏡組立体２、１０２の見る面に接するように、（例えば、傾くことで）位置決めされる。一部の実施形態では、光源は、光源から発せられる光が鈍角で鏡組立体２、１０２の見る面に接するように位置決めされる。
【０１４６】
支持部２０、１２０に設置されるとき、ライトパイプ１１０は、長さ（例えば周方向といった、発光器から発せられる光の概略的な方向に沿って測定される）、幅（長さに対して横断し、見る面の同じ概略的な平面に沿う概略的な方向で測定される）、および深さ（長さに対して概して横断し、見る表面に対して概して直交する方向で測定される）を有する。一部の変形は、深さ以上である幅を有する。一部の実施形態では、幅は深さより小さい。特定の実施では、ライトパイプは、本明細書における他の部分で詳述されているように、適切な面積を鏡の反射面に提供するように、および、十分な面積を、ライトパイプから発せられる光に提供するように構成される。例えば、一部の実施形態では、鏡（例えば、中心の鏡とされた表面４、１０４）の直径に対する光の柱の幅の割合は、約１／５以下、約１／１５以下、約１／３０以下、約１／５０以下、それらの値の間の値、それらの値の間の範囲、または他の値であり得る。
【０１４７】
ライトパイプ１０、１１０は、高い反射性を達成するために反射性材料を備え得る。例えば、ライトパイプ１０、１１０は、ライトパイプの後側に沿って反射性の裏地材料を備え得る。一部の実施形態では、反射性材料は、光の少なくとも約９５％を反射できる。一部の実施形態では、反射性材料は、光の約９８％を反射できる。反射性材料は、光学的に反射性の紙であり得る。
【０１４８】
図１８に示しているように、鏡組立体１０２は拡散器１５６を備えてもよい。拡散器１５６は、ライトパイプ１１０の表面に、および／または、鏡１０４の周辺の周りに、位置決めされ得る。例えば、拡散器１５６は、使用者の目にとって心地よくない集中した鋭い光源ではなく、拡散して散乱した光源を提供するために、ライトパイプ１１０と使用者との間に位置決めされ得る。一部の実施形態では、拡散器の透過率は、その周辺または周囲の周りで実質的に一定である。一部の実施形態では、拡散器１５６は、鏡１０４の周辺の大部分、鏡の実質的に周辺全体、または鏡の周辺全体を包囲できる。図１８に示しているように、拡散器１５６は、ライトパイプ１１０と概して同じ鏡１０４の周辺の部分を包囲できる。拡散器１５６は、センサ組立体１２８のための開口１６０、および／または、鏡１０４を受け入れるための受入部１５７も備え得る。拡散器１５６は、少なくとも部分的に不透明な材料を備え得る。例えば、拡散器１５６は光学等級のアクリルを備え得る。
【０１４９】
拡散器１５６は、エッチング、粗面化、塗装、および／または、表面改質の他の方法から形成された不均一な前および／または後の表面を備え得る。例えば、拡散器１５６は、本明細書に詳述された方法のいずれかを用いて作り出された光散乱要素（図示されていない）のパターンを備え得る。光散乱要素は、ライトパイプ１１０との関連で詳述される形および／または大きさのいずれかを備えるように変更され得る。
【０１５０】
光散乱要素は、光をさらに散乱させることで柔らかい光を作り出すように構成され得る。例えば、光散乱要素は、同じ直径または異なる直径を有する複数のドットを備え得る。一部の実施形態では、光散乱要素は、拡散器１５６にわたって均一に分散され得る。
【０１５１】
別の実施形態では、光散乱要素は、拡散器にわたって無作為に分散され得る。光源が鏡ヘッド１０３に設けられる特定の実施では、鏡は、光の拡散または散乱を提供するために、成型、きさげ仕上げ、熱処理、粒子衝突（例えば、「サンドブラスト」）、および／または、エッチングなどの化学処理によってなど、任意の適切な手法で形成され得る半不透明で滑らかでない（ミクロレベルまたはマクロレベルで）表面および／または一様でない表面を備え得る。一部の変形では、鏡とされた表面のこれらの光散乱要素および／または拡散部は、光源にわたって、光源に隣接して、または、光源と光連通して、位置決めされ得る。特定の実施では、これらの光の散乱要素および／または拡散表面は、本明細書における他の部分で詳述されているように、光源からの光の特性を調節する。一部の実施形態では、これらの表面は、透過性の光カバーの追加または代替で使用され得る。一部の実施形態では、これらの拡散部または光散乱部は、光散乱領域を作成するために、鏡とされた表面の一部分を変更または処理することなどで、鏡とされた表面と一体に形成され得る。
【０１５２】
鏡組立体２、１０２の高さを調節するために、シャフト部１２、１１２は、鏡組立体２、１０２が基礎１４、１１４に位置決めされるとき、地面に概して垂直に並進するように構成され得る。一部の実施形態では、シャフト部１２、１１２の高さは、少なくとも約３インチの範囲内で、および／または、４インチ未満の範囲内で調節され得る。一部の実施形態では、シャフト部１２、１１２の高さは、約４インチの範囲内で調節され得る。一部の実施形態では、シャフト部１２、１１２の高さは、約３インチの範囲内で調節され得る。一部の実施形態では、高さは、伸縮式の継手を用いてなど、シャフト部１２、１１２を介して調節可能である。
【０１５３】
図２１に示しているように、シャフト部１１２は第１のシャフト部１１２ａと第２のシャフト部１１２ｂとを備えることができる。シャフト部１１２ａ、１１２ｂは、互いと調節可能に係合するように構成でき、それによって、使用者は鏡組立体１０２を所望の高さに選択および維持することができる。例えば、第１のシャフト部１１２ａは、バネ荷重の掛けられた引き込み可能な杭（図示されていない）など、１つまたは複数の付勢された調整構造を備えることができ、第２のシャフト部１１２ｂは、切込み（図示されていない）など、１つまたは複数の対応する調節構造を備えることができる。第１のシャフト部１１２ａの杭は、鏡組立体１０２の高さの関節調節を提供するのを制御するために、第２のシャフト部１１２ｂの切込みと係合できる（例えば、嵌まり込むことができる）。
【０１５４】
一部の実施形態では、第１のシャフト部１１２ａおよび第２のシャフト部１１２ｂは締まり嵌めを形成できる。この加えられる圧力は、第１のシャフト部１１２ａと第２のシャフト部１１２ｂとを、外部からの力が加えられることなく、互いに対して不動とさせることができる（例えば、所望の高さで支持部１２０を保持できる）。しかしながら、シャフト部１１２ａと１１２ｂとの間に加えられる圧力は、使用者が支持部１２０の高さを調節したいとき、圧力に打ち勝つことができ、シャフト部１１２ａおよび１１２ｂが互いに対して移動できるように制御され得る。例えば、シャフト部１１２の高さまたは有効長さを下向きまたは上向きに調節するために必要とされる力の大きさは、鏡組立体と上側のシャフト部の質量によって引き起こされる重力の下向きの力より大きいが、約３ポンド以下または約４ポンド以下など、概して電気製品についての普通の人の調節力以下であり得る。シャフト構成部品の高さまたは有効長さのスライドまたは調節は、高さまたは長さにおけるさらなる意図されていない移動または変化に対して、スライドを停止するために、または、シャフト部の構成部品を固定するために、さらなる調節または固定構造を必要とすることなく、使用者の調節力が停止するときに、事実上すぐに止まるように構成できる。加えられる圧力は、シャフト部１１２ａおよび１１２ｂの移動の間、抑制効果をシミュレーションしてもよい。
【０１５５】
シャフト部１１２は、第１のシャフト部１１２ａが第２のシャフト部１１２ｂに対して移動するのを抑制または防止する環部材などの制約部材を備えてもよい。例えば、環部材の特定の変形は第２のシャフト部１１２ｂと螺合し、それによって第２のシャフト部１１２ｂを第１のシャフト部１１２ａに対して径方向で押し付け、これは、第１のシャフト部１１２ａが第２のシャフト部１１２ｂに対して並進するのを妨げる。特定の実施では、環部材を緩めることで、使用者がシャフト部１１２の高さを調節するのを可能にし、一方、環部材を締め付けることで、第１のシャフト部１１２ａを第２のシャフト部１１２ｂに対して固定する。
【０１５６】
一部の実施形態では、シャフト部１１２は、第１のシャフト部１１２ａに対して概して垂直に位置決めされ得る止めネジ（図示していない）などの連結器を備える。第２のシャフト部１１２ｂは、ネジ部材が延び得るのに通る開口（図示していない）を備え得る。特定の実施では、止めネジが緩められるとき、第１のシャフト部１１２ａは第２のシャフト部１１２ｂに対して調節できる。ネジ部材をそれが第１のシャフト部１１２ａに接するまで締めると、第１のシャフト部１１２ａが第２のシャフト部１１２ｂに対して移動するのを抑制または防止できる。
【０１５７】
図２１に示しているように、シャフト部１１２は、バネ（例えば、螺旋コイルバネ、波形バネ、円錐バネ、または他のバネ）などの１つまたは複数の付勢部材１５４を備え得る。特定の変形では、１つまたは複数の付勢部材１５４は、シャフト部１１２の高さの調節を容易にするように構成される。例えば、１つまたは複数の付勢部材１５４は、基礎１１４に対して鏡ヘッド１０３の高さを持ち上げるために使用者が発揮しなければならない鉛直方向の力の大きさを低減できる。付勢部材は、シャフト部１１２の内空に位置決めされ得る。
【０１５８】
シャフト部１１２は、プラスチック、ステンレス鋼、アルミニウム、もしくは他の適切な材料を含み得る。第１のシャフト部１１２ａは、ゴム、ナイロン、およびプラスチックなどの圧縮可能材料を、第１のシャフト部１１２ａが第２のシャフト部１１２ｂに挿入されるときに第２のシャフト部１１２ｂの内面に押し当る外面の少なくとも一部分において含み得る。
【０１５９】
支持部２０、１２０の一部分は、シャフト部１２、１１２の長手方向軸から外向きに片持ち梁のようにされ得る。このような構成は鏡組立体２、１０２に力のモーメントを付与でき、これは、相殺されない場合、傾くことになる可能性がある。基礎部１４、１１４は、このようなモーメントに反作用するように構成されてもよい。例えば、基礎部１４、１１４は、鏡組立体２、１０２の傾く可能性を実質的に軽減するのに十分な重量を備え得る。
【０１６０】
基礎１４、１１４および／または鏡組立体２、１０２の他の部分は、鏡組立体２、１０２の質量の中心が、シャフト１２、１１２の近く、および／または、基礎１４、１１４の近くに概して位置決めされるように、質量分布において概して平衡させられ得る。基礎部１４、１１４は、少なくとも約２ポンド、約４ポンド、約６ポンド、約８ポンド、約１０ポンド、それらの間の値、または他の値の重量であり得る。基礎部１４、１１４は、１つもしくは複数の支持足部を備えてもよく、または、（例えば、１つまたは複数の留め具でカウンタに備え付けられるように）半永久的に備え付け可能となるように構成されてもよい。
【０１６１】
一部の実施形態では、図示しているように、基礎部１４、１１４は、概して湾曲した外面を有し得る。例えば、その高さに沿う複数の点における基礎の水平方向の断面は、概して円形であり得る、または、概して楕円形であり得る。図示した実施形態では、基礎部１４、１１４は、概して円錐台形など、概して円錐形である。基礎の外面は、図示しているように、概して滑らかであり、概して先細りとされ、および／もしくは概して傾斜しており、ならびに／または、基礎１４、１１４の周辺を概して取り囲む事実上全体で連続する表面を呈する。基礎１４、１１４の上部の水平方向の断面積または直径は、シャフト部１２、１１２の下部の水平方向の断面積または直径と概しておおよそ同じであり得る。基礎１４、１１４の水平方向の断面積は、基礎１４、１１４の上部領域から基礎１４、１１４の下部領域まで概して連続的に増加できる。例えば、基礎１４、１１４の下部領域における水平方向の断面積または直径は、基礎１４、１１４の上部領域における水平方向の断面積または直径より実質的に大きくてもよく（例えば、少なくとも約２倍または少なくとも３倍大きい）、これは、鏡の傾くのに抗するのを助けることができる基礎１４、１１４の例である。一部の実施形態では、例示しているように、鏡部の下部から基礎部の上部までシャフト部１２、１１２に沿う距離は、概して基礎部１４、１１４の高さとおおよそ同じであり得る。図示しているように、図２２では、基礎１１４は、図２３に示した基礎開口１７１（例えば、ポート１２４に差し込まれ得る）を通じて挿入され得るコードまたは電線と電子的に連通している電線を受け入れるように構成された出口開口１７１’を備え得る。一部の実施形態では、基礎開口１７１（例えば、トンネル、孔など）は、コードを受け入れるように構成される。一部の実施形態では、基礎開口１７１は、コードおよび／または電線が、例えばポート１２４に挿入されている間であっても、鏡組立体１０２を傾けることなく、基礎１１４を表面において面一および／または均一に位置させることができる。
【０１６２】
後でさらに詳述でされているように、基礎部１１４は電池（例えば、再充電可能な電池）を備え得る。電池の重量および位置決めは鏡組立体１０２の傾く可能性を小さくもする（例えば、安定性を増加させる）。一部の実施形態では、電池は、約３０日間にわたって１日当たり少なくとも１０分間、電力を光源へと送ることができる。電池１２６は、図２２〜図２３に示しているように、ポート１２４（例えば、ユニバーサルシリアルバス（ＵＳＢ）ポートまたは他のポート）を介して再充電可能であり得る。ポート１２４は、電線またはケーブル（図示されていない）と結合されたコネクタを永久的または取り外し可能に受け入れるように構成され得る。ポート１２４は、コネクタを介して電源によって電池１２６同士の間に電位を通させるように構成されてもよい。ポート１２４は、コンピュータに連結するとき、鏡の照明または物体の感知の異なる動作をプログラムまたは修正するために用いられてもよい。コンセントに差し込まれる従来の電気アダプタを介してなど、他の充電方法が用いられてもよい。一部の実施形態では、図２３に示しているように、電源ボタン１７６は、鏡組立体１０２への電源を作動させるために鏡組立体１０２に位置付けられている。
【０１６３】
鏡組立体２、１０２は、電気コンジット（例えば、コード）を用いて電力供給され得る、および／または、（例えば、鏡組立体がコードレスもしくは無線である実施形態において）内部電源を用いて電力供給され得る。ヘッド部（または、鏡組立体の他の部分）は、電源（例えば、電池、再充電可能な電池、または、コンセントに差し込まれるコード）を備え得る。一部の実施形態では、コードは、鏡組立体の内部電源（例えば、再充電可能な電池）を充電するために外部エネルギー源および鏡組立体に直接差し込まれる。特定の実施では、外部エネルギー源は、標準的な壁コンセント、コンピュータ、または携帯式電池である。特定の変形では、電気コンジットは、複数の多ピン電気プラグ、ＵＳＢポート、携帯電話アダプタ、または、電荷を受けるように、および、電荷を装置へと送るように構成される一部の他のポートを介して（例えば、ポート１２４を介して）、外部エネルギー源または鏡組立体と係合する。一部の実施形態では、コードおよび／または外部エネルギー源は、コードおよび外部エネルギー源を係合へと案内する案内特徴部（例えば、磁石）を有する。一部の実施形態では、電気コンジットは、取り外し可能または格納可能である（例えば、電気コンジットは鏡組立体へと引き込み、見えなくなる）。一部の実施形態では、コードおよび／または鏡組立体は、コードおよび鏡組立体を係合へと案内する案内特徴部（例えば、磁石）を有する。一部の実施形態では、鏡組立体は、鏡組立体を、充電するパッドもしくはマットの上に置くことで、または、充電するパッドもしくはマットに接触するように置くことで、再充電させられ得る。一部の実施形態では、パッドまたはマットは、それ自体が無線／コードレスであり得る。
【０１６４】
一部の変形では、コードレス鏡組立体は、再充電可能な電池（例えば、リチウムイオン、ニッケルカドミウム、ニッケル、金属水素化物、またはリチウムイオンポリマ）によって電力供給される。一部の実施では、鏡組立体の電池は、鏡組立体から取り外しでき、置き換えされ得る（または、充電ステーションで再充電され得る）。
【０１６５】
電池１２６は、図１０に示しているように、ポート１２４（例えば、ユニバーサルシリアルバス（ＵＳＢ）ポートまたは他のポート）を介して再充電可能であり得る。ポート１２４は、電線またはケーブル（図示されていない）と結合されたコネクタを永久的または取り外し可能に受け入れるように構成され得る。ポート１２４は、コネクタを介して電源によって電池１２６同士の間に電位を通させるように構成されてもよい。ポート１２４は、コンピュータに連結するとき、鏡の照明または物体の感知の異なる動作をプログラムまたは修正するために用いられてもよい。コンセントに差し込まれる従来の電気アダプタを介してなど、他の充電方法が用いられてもよい。
【０１６６】
鏡組立体２、１０２は、鏡組立体２、１０２の特性、使用者、および／または鏡組立体２、１０２と使用者との間の関係に関して、視覚的、聴覚的、または他の種類の指示を鏡組立体２、１０２の使用者に出すように構成される指示装置を備え得る。例えば、指示装置は、オン／オフ状態、電池レベル、作動停止が近いこと、および／または動作の特定のモードを指示できる。指示装置は、同じく他の目的のために使用され得る。
【０１６７】
特定の実施形態では、指示ライトの色は、指示に応じて変わってもよい。例えば、指示装置は、鏡組立体が電源オンされるときに緑色の光を発することができ、および／または、電池の残量が少なくなっているときに赤色の光を発することができる。指示装置は、全体の電池寿命を指示する光の棒（電池寿命の低減と共に長さが縮小する）を備えてもよい。一部の実施形態では、指示装置は、環形状とされ、シャフト部１２、１１２の一部分の周りに位置決めされ得る。指示装置は、任意の他の形を取ることができ、基礎部１１４に沿って、または、鏡組立体１０２における任意の他の場所で、鏡ヘッド１０３または支持部１２０の周りに（例えば、マジックミラーの領域の一部分の後に）位置決めされ得る。図１〜図９に示しているように、指示装置５８、１５８は、環形状とされ、基礎部１４、１１４の上方部の周りに位置決めされ得る。指示装置５８、１５８は、任意の他の形を取ることができ、基礎部１４、１１４に沿って、または、鏡組立体２、１０２における任意の他の場所で、支持部２０、１２０の周りに位置決めされ得る。
【０１６８】
指示ライトの色は、指示に応じて変わってもよい。例えば、指示装置は、鏡組立体が電源オンされるときに緑色の光を発することができ、および／または、電池の残量が少なくなっているときに赤色の光を発することができる。
【０１６９】
特定の変形では、ボタンなどのアクチュエータ（例えば、ハンドル）、または、センサ（例えば、図９〜図１０に示しているような容量式タッチセンサ１７９）が、鏡とされた表面の一部分の後の場所、および／または、（図９〜図１０に示しているような鏡面の側における円弧に沿ってなど）鏡面の側になど、鏡組立体２、１０２に位置決めされ、指示された場所において鏡とされた表面の近くで触れることおよび／または手振りすることで作動され得る。一部の実施形態では、容量式タッチセンサ１７９は、１つまたは複数の信号を制御装置モジュールへと送り、使用者に、方向性の指の動きを通じて、または、容量式タッチセンサの特定の領域に触れることで、使用者に光の柱から発せられる光の１つまたは複数の態様を制御させることができる。例えば、一部の実施形態では、使用者は、色温度を増加させるために、容量式タッチセンサ１７９の上で指をある方向（つまり、左、右、下、上、または他の方向）にスワイプ（または、ドラッグ）できる。そして、使用者は、色温度を低下させるために、指を反対方向でスワイプできる。一部の変形では、使用者は、光の柱から発せられる光の輝度を増加させるために、容量式タッチセンサ１７９の上で指を異なる方向にドラッグでき、光を薄暗くするために反対方向でドラッグできる。一部の実施形態では、発せられる光の色は調節され得る。一部の実施形態では、使用者は、光の設定を適用するために、容量式タッチセンサの一部分をタップできる。一部の実施形態では、容量式タッチセンサは存在しない。
【０１７０】
一部の実施形態では、容量式タッチセンサは、制御ルーチンを記憶および実施するための有線のフィードバック制御回路、処理装置、およびメモリ装置、または任意の他の種類の制御装置を提供できる制御装置および／または１つもしくは複数のプリント回路基板（ＰＣＢ）に動作可能に接続される（電線またはコンジットを介して）。
【０１７１】
鏡組立体１０２は、１つまたは複数のスキームおよびアルゴリズムによって、鏡組立体１０２の入力および出力の特性および機能を制御できる処理装置を備え得る。一部の実施形態では、処理装置は、センサ組立体１２８および／または容量式タッチセンサ１７９（例えば、図９〜図１０に示されている）によって受信される１つまたは複数の信号に応答する。特定の実施形態では、処理装置は、センサ組立体８０または容量式タッチセンサ１７９に、鏡組立体２のアルゴリズムのうちの任意の１つまたは複数（例えば、センサ領域、光源の輝度、光源の暖かみ、光の色、ＣＲＩ、選択する光の環境などに関するアルゴリズム）を作動または制御させることができる。鏡組立体２は、様々な使用者の設定、制御スキーム、およびアルゴリズムに加えて、鏡組立体２の様々な特性に関する特定の命令および／または設定を記憶するために、ファームウェアなどのメモリを備えてもよい。例えば、メモリは、感知領域の大きさ、センサの感度、出力する光のレベル、様々なタイマの長さ、および他のことに関して、命令および／または設定を含むことができる。
【０１７２】
鏡組立体１０２は、使用者が、本明細書に記載および／または例示されている機能、タスク、および／またはステップのいずれかをコンピュータおよび／または鏡組立体に実施させることができるように構成されたソフトウェアまたは「アプリ」の搭載されたコンピュータ（例えば、スマートフォン、ラップトップなど）に鏡組立体１０２を接続することなどによって、メモリを変更（例えば、更新、プログラム、または他のこと）することができるように構成され得る。例えば、鏡１０２は、ポート１２４を介してコンピュータと通信して連結され得る（例えば、ＵＳＢケーブルを用いる）。データは、ポート１２４を介して、コンピュータと鏡組立体１０２との間で転送され得る。鏡組立体１０２は、代替で、セルラーネットワーク、Ｗｉ−Ｆｉネットワーク、Ｂｌｕｅｔｏｏｔｈ（登録商標）ネットワーク、赤外線、または他の方法によってなど、コンピュータと無線で通信するように構成されてもよい。
【０１７３】
鏡組立体１０２がコンピュータと通信しているとき、制御パネルはコンピュータにおいて表示されてもよい。制御パネルは、使用者に、鏡組立体１０２についての様々な入力および出力の特性を調節させることができる。例えば、使用者は、送信機１３６の発信部の出力および／または感度を調節するために制御パネルを使用できる。一部の実施形態では、特定の環境についての光情報を含むデータベースが、集められ（例えば、使用者または第三者によって）、鏡組立体１０２および／またはコンピュータにおいてメモリに記憶され得る。このデータベースは、例えば、個別の環境（例えば、レストラン、一日のうちの異なる時間、季節、異なる天候状態における屋外の場所、スポーツアリーナ、オペラハウス、ダンス場、クラブ、講堂、オフィス、バーなど）についての具体的な光のパラメータ（例えば、色温度、光の強度、色相など）を含み得る。特定の実施形態では、個別の屋外の光の環境には、例えば、晴れ、どんよりとした曇り、曇り、雨、夜明け、夕暮れ、黄昏時などがあり得る。一部の実施形態では、使用者は、光に合った個人的な身づくろいおよびメーキャップの適用を実施するために（例えば、データベースに列記された場所または同様の場所に行くための準備において）、鏡組立体１０２の光のパラメータを設定するときにこのデータベースにアクセスできる。例えば、特定の変形では、使用者は、場所の光のパラメータを装置（例えば、携帯用装置、タブレット、コンピュータ、サムドライブ、スマートフォン）にダウンロードでき、その情報を鏡組立体１０２に転送できる（例えば、コンジットおよびポートを用いて、または、Ｂｌｕｅｔｏｏｔｈ（登録商標）もしくはＷｉ−Ｆｉを用いて無線で、装置を鏡組立体に接続することで）。ダウンロードされると（例えば、処理装置またはメモリ記憶装置に）、鏡組立体は、データベースにおける提案された設定に合うように、光のパラメータを自動的に設定できる。一部の実施形態では、これらの光の設定のいずれも、あらかじめ設定され得る、および／または、鏡組立体のメモリに含まれ得る（例えば、データベースからのダウンロードの必要がない）。一部の実施形態では、使用者は、これらのあらかじめ設定された設定のいずれかを手動で選択できる（例えば、タッチスクリーン、容量式タッチセンサ、ボタン、無線装置などを用いて）、または、使用者は、使用者の自身の個人的な調節から１つまたは複数の異なる設定を手動で作り出して保存できる。個人的な（例えば、手動の）調節は、光組立体から発せられる光の色合い、色、色温度、輝度、および光の強度のうちの１つまたは複数を、（例えば、タッチスクリーン、容量式タッチセンサ、ボタン、無線装置などを用いて）操作することで実施できる。
【０１７４】
一部の実施形態では、鏡組立体１０２は、情報源（例えば、インターネット、ホームシステムなど）から環境情報（日付、時間、季節、天候など）にアクセスするように構成され得る。一部の実施形態では、この情報は、無線で、または、有線接続を通じて、鏡組立体に転送され得る。一部の実施形態では、鏡組立体１０２は、それらの条件に最も合うように、環境情報に基づいて具体的な光のパラメータを自動的に選択するアルゴリズムを伴うソフトウェアまたはハードウェアのモジュールを含み得る。一部の実施形態では、鏡組立体は学習装置を備える、および／またはこのような装置（例えば、ＮＥＳＴ（登録商標）装置）と通信するように内蔵され得る。一部の実施形態では、この特徴は、鏡組立体に、使用者の活動（例えば、使用者が家にいる、ベッドにいる、浴室にいるなど）に基づいて、および／または、内蔵された装置（例えば、ＮＥＳＴ（登録商標）装置）によって集められた情報に基づいて、機能および／もしくはプログラムさせる、または、それ自体を調節させることができる。一部の実施形態では、情報が受信された後、鏡組立体は、例えば、屋外の天気（例えば、屋外のライティング条件）、周囲のライティング、家における誰かの存在（例えば、電力節約など）、一日のうちの時間（例えば、点滅ライト、ナイトライトなどによって警報として作用する）、または他のことに基づいて、ライティング設定を自動的に選択してもよい。一部の実施形態では、上記の特徴のいずれも、使用者からの入力に基づいて、オフにされ得る、または、上書きされ得る。
【０１７５】
一部の実施形態では、鏡組立体は、使用者に対して１つまたは複数の種類の情報の警報、リマインダ、または伝達物として作用できる。例えば、一部の実施形態では、鏡組立体は、イベントの時間であること、特定の長さの時間が経過したこと、または、一日のうちの特定の時間になったことを指示できる。特定の実施では、鏡組立体の警報の特徴は、時間（例えば、起きる時間、シャワーの時間、メーキャップを施す時間、学校、仕事、または何らかの他のイベントに行く時間）になったときに使用者に合図を提供することで動作する。一部の実施形態では、警報は、使用者によって手動で設定され得る、および／または、自動で設定され得る。例えば、使用者は、平日における特定の繰り返しの時間と、週末における異なる時間とで作動（または作動停止）させるために、警報の特徴を設定できる。自動的に作動および作動停止するように設定されるとき、鏡組立体は、例えば、使用者の個人的な電子的なカレンダーにおける特定のエントリなど、使用者に関する特定の情報に基づいて警報を設定できる。特定の実施では、自動的な警報設定は、使用者の過去の振る舞いに、または、公共の情報源（例えば、インターネット）から集められた情報に基づかれ得る。
【０１７６】
一部の実施形態では、鏡組立体は、例えば、イベントのタイミングが遅らされたとき、または、イベントへの交通条件が変わったとき、警報のタイミングを自動的に調節できる。鏡組立体は、警報変更を行う前に警報変更を提案することを表示してもよく、提案された変更についての理由を（ＬＣＤスクリーンなどに）表示してもよい。同様に、一部の実施形態では、鏡組立体は、変わった天候または他の光の特性に基づいて異なる光の設定を調節または提案してもよい。
【０１７７】
一部の実施形態では、使用者に提供される警報の合図は視覚的である。視覚的な合図は、光源を点滅させる、光源を薄暗くする、鏡組立体（および光源）の電源を切る、光源を明るくする、光源の色を変える（使用者への警報の色を間欠的に点滅させる）などを含み得る。一部の変形では、鏡組立体の他の特徴または追加の特徴が視覚的な合図を提供する。例えば、一部の実施形態では、ＬＥＤ（電球、色付きパネルなど）が、鏡面または鏡フレームの１つまたは複数の周辺に設けられる。一部の実施形態では、警報ＬＥＤは、使用者への他の視覚的な合図を点灯、点滅、または提供する。特定の実施形態では、警報は、視覚的な合図および警報システムが点灯されたときに鏡とされた表面を通じて視認可能なだけとなるように、マジックミラーとして機能する鏡とされた表面の一部分の後に隠されてもよい。一部の実施形態では、鏡組立体は、警報として作用できる特徴を含む表示装置（本明細書における他の部分に説明されているように）を備える。例えば、表示装置は、イベントの時間（例えば、出発する時間）であることを指示するために、タイマ、時計、小さくなる棒目盛、色付きとされた指示装置（例えば、緑色から黄色、赤色へと変わる）などを示すことができる。
【０１７８】
特定の変形では、合図は聴覚的である。聴覚の合図は、ベルの音、ビープ、ビープ音、ブザー、音楽もしくはラジオ放送を鳴らす、音楽もしくはラジオ放送を静かにするまたは消す、声によって作られた発言（例えば、「おはようございます」、「出発する時間」、または「おやすみなさい」などを指示する）などのうちの１つまたは複数を含む。聴覚的な合図が声である一部の実施形態では、声は、記録される（例えば、使用者によって）、あらかじめ記録される（例えば、製造の間に導入されたあらかじめの設定）、電子化される、または、アプリを用いてダウンロードされる。特定の実施では、使用者に提供される合図は、何らかの他の感覚的に知覚される指示装置である（例えば、振動または他の物理的な合図）。一部の実施形態では、２つ以上の合図（または合図の種類）が組み合わせで用いられてもよい。
【０１７９】
一部の実施形態では、警報を提供する装置（視覚的、聴覚的、物理的、または他の方法）は、鏡組立体の基礎、シャフト、またはヘッドに位置付けられる。一部の実施形態では、例えば、合図は、鏡組立体の後、前、横、上、もしくは下、シャフト、基礎、または他の場所に位置付けられ得るスピーカによって提供される。
【０１８０】
一部の実施形態では、鏡組立体またはコンピュータにおけるソフトウェアまたはハードウェアのモジュールは、鏡組立体から特定の所望の設定（例えば、好ましい色温度、光の強度、色相など）をダウンロードするために、計算装置（例えば、コンピュータ、スマートフォンなど）を用いて、使用者に鏡組立体２、１０２の特定のデフォルト設定を設定させることができるように構成され得る。特定の変形では、鏡組立体またはコンピュータにおけるソフトウェアまたはハードウェアのモジュールは、それらの望ましい設定を計算装置からアップロードすることで（例えば、無線、有線、または他の方法で）、使用者が鏡組立体をそれらの望ましい設定に後で再設定できることを可能にするように構成され得る。特定の実施形態では、使用者は、特定の鏡組立体設定（例えば、ライティング設定、鏡位置、など）を設定でき、それらの設定を保存／記憶できる。
【０１８１】
一部の実施形態では、具体的な場所に出席するとき、使用者は、環境の特定の光のパラメータを検出するために、感知装置を使用できる（例えば、スマートフォン、他のモバイル電子通信装置、または他のデータ回収装置において）。特定の実施では、使用者は、感知装置を使用する場所で光の情報を獲得できる。使用者は、その特定の環境に合うように（または、鏡組立体のメモリに記憶され得る新たなあらかじめ設定された光の環境を作り出すように）、鏡組立体２、１０２を修正するためにこの光のパラメータ情報を後で使用できる。一部の実施形態では、アプリケーション（ソフトウェアなど）が、使用者に特定の場所で光の情報を獲得させることができるように、感知装置に読み込まれ得る。一部の変形では、例えば、光の環境獲得アプリケーション（アプリストアまたはオンラインで利用可能である）は、モバイル通信装置にダウンロードされ、アプリが開かれるとき、光情報は、装置におけるボタンの作動によって、または、タッチスクリーンに係合する接触によって、自動的に獲得され得る。一部の実施形態では、使用者は、感知装置を用いて、画像（例えば、デジタル像または写真）または「セルフィー」を取ることなどで、ライティング情報を集めることができる。次に、特定の実施では、ライティング情報、画像、または「セルフィー」は、そこから光の環境情報を獲得するために、ソフトウェアまたはアプリケーションによって分析され得る。
【０１８２】
一部の実施形態では、修正の実施は、環境の特定の光のパラメータを検出するために使用され得る。例えば、特定の実施では、修正カードが使用され得る。一部の変形では、修正カードは、様々な色または色の濃淡を伴う様々な形または像を含む。一部の実施形態では、感知装置が修正カードを見るとき（例えば、カードに反射される周囲光が感知装置によって感知されるとき）、環境の光のパラメータが獲得される。
【０１８３】
鏡システムとモバイル装置と使用者との間での（追加または代替の）他の種類の相互作用が、前述したものに加えて可能である。例えば、使用者は、キーボード、マウス、または遠隔制御などの他の装置を通じて、データを入力すること、または、鏡システムを制御することが可能であり得る。一部の実施形態では、鏡システム設定は、いくつかの相互接続された装置など、１つまたは複数の計算装置で実施され得る。したがって、鏡システムに描写された構成部品の各々は、様々な特徴を実施するためのハードウェアおよび／またはソフトウェアを備え得る。
【０１８４】
一部の実施形態では、鏡システムおよび／または計算装置は、鏡システムまたは組立体のためのコンピュータ実行可能な命令を記憶する非一時的コンピュータ読取可能な媒体を備える。特定の実施形態では、コンピュータ実行可能な命令を記憶するコンピュータ読取可能な媒体は、１つまたは複数の処理装置によって実行されるとき、１つまたは複数の処理装置に、以下のこと、すなわち、感知装置から光の環境情報を受信すること、感知装置によって受信された光の環境を鏡組立体における光の設定と比較すること、鏡組立体における光の環境と光の設定との比較に少なくとも一部基づいて光の環境からの逸脱または光の環境への近接を指示すること、光の環境情報に合致または近似するように鏡組立体の光の設定を調節することの１つまたは複数を実施させる。
【０１８５】
特定の実施形態では、１つまたは複数の処理装置は、表示装置に光の環境および／または光の設定の１つまたは複数の態様の指示を表示させるように構成される。例えば、一部の実施形態では、表示装置は、光の環境と光の設定との間の逸脱、光の環境についての情報（獲得されたときの日付、時間、季節、温度など）、およびプロンプト（使用者が光の環境情報に合うように光の設定のうちの１つまたは複数を変えたいかどうかを尋ねる）などを表示する。
【０１８６】
一部の実施形態では、コンピュータ実行可能な命令を記憶する非一時的コンピュータ読取可能な媒体が、モバイル装置に位置付けられる、または、モバイル装置にダウンロードされる（インターネットを介してなど）ように構成される媒体に位置付けられる。一部の実施形態では、コンピュータ実行可能な命令を記憶する非一時的コンピュータ読取可能な媒体は鏡組立体に位置付けられる。
【０１８７】
本明細書における他の部分に記載されているように、一部の実施形態では、鏡組立体およびその構成部品は、１つもしくは複数の計算装置によって作動される、または、１つもしくは複数の計算装置を備える。例えば、一部の実施形態では、中央処理装置（ＣＰＵ）、入力／出力（Ｉ／Ｏ）構成部品、記憶装置、および／またはメモリを含む構成部品を有する計算装置（鏡システムの一部として、または、鏡システムからの遠隔のいずれかで）が、鏡システムの処理のいずれか、一部、または全部を実行するために使用され得る。Ｉ／Ｏ構成部品は、表示装置（例えば、タッチスクリーン）、ネットワークへのネットワーク接続、コンピュータ読取可能な媒体駆動部、および他のＩ／Ｏ装置（例えば、キーボード、マウス、スピーカ、タッチスクリーンなど）を含み得る。ソフトウェアおよび他のモジュールは、サーバ、ワークステーション、パーソナルコンピュータ、コンピュータ化されたタブレット、ＰＤＡ、および、本明細書に記載した目的に適した他の計算装置に位置して実行できる。ソフトウェアおよび他のモジュールは、ローカルメモリを介して、ネットワークを介して、ブラウザを介して、または、本明細書に記載した目的に適した他の手段を介してアクセス可能であり得る。本明細書に記載したデータ構造は、本明細書に記載した目的に適したコンピュータファイル、変数、プログラム配列、プログラム構造、任意の電子情報記憶スキームもしくは方法、またはそれらの任意の組み合わせを備え得る。本明細書に記載したユーザーインターフェース要素は、グラフィカルユーザーインターフェース、双方向音声応答、コマンドラインインターフェース、および他の適切なインターフェースからの要素を含み得る。一部の実施形態では、鏡システムは、前述したのと異なるように構成され得る。
【０１８８】
鏡組立体の設定のうちの１つもしくは複数、または、本明細書における他の部分に記載されているような他の情報は、計算装置のメモリにおいて、および／または、他の種類の非一時的コンピュータ読取可能な記憶媒体において、１つまたは複数の実行可能なプログラムモジュールとして記憶でき、鏡システムはネットワークまたは他の通信リンクを介して計算資産と相互作用できる。一部の実施形態では、鏡システムは、追加の構成部品、または、前述したのよりも少ない構成部品を有し得る。
【０１８９】
特定の実施では、本明細書のいずれの場所に記載した工程、方法、およびアルゴリズムの各々は、１つもしくは複数のコンピュータ、コンピュータ処理装置、または、コンピュータ命令を実行するように構成された機械によって実行されるコードモジュールにおいて具現化され、そのコードモジュールによって完全もしくは部分的に自動化され得る。コードモジュールは、ハードドライブ、ソリッドステートメモリ、光学ディスク、および／または同様のものなど、任意の種類の非一時的コンピュータ読取可能な記憶媒体または有形のコンピュータ記憶装置に記憶され得る。工程およびアルゴリズムは、特定用途向け回路において部分的または全体的に実施され得る。開示した工程および工程ステップの結果は、例えば揮発性または不揮発性の記憶装置など、任意の種類の非一時的コンピュータ記憶装置に、持続的または他の方法で記憶され得る。
【０１９０】
実施形態に依存して、本明細書に記載した工程またはアルゴリズムのいずれかの特定の行為、イベント、または機能は、異なる順序で実施されてもよく、追加、結合、または完全に除外されてもよい（例えば、必ずしもすべての記載した演算またはイベントがアルゴリズムの実施について必要ではない）。さらに、特定の実施形態では、演算またはイベントは、連続してではなく、例えば、マルチスレッド工程、割込み工程、または複数の処理装置もしくは処理装置コア、または、他の並列なアーキテクチャを通じて、同時に実施され得る。
【０１９１】
鏡組立体２、１０２は、検出された信号に基づいて作動させるように光源を始動させるための命令を送るように構成されたアルゴリズム２００も含み得る。例えば、アルゴリズム２００は、図２５に描写した流れ図のようなものである。開始ブロック２０２で始まって、制御装置は、演算ブロック２０４において鏡組立体ハードウェアと変数とを初期化する。決定ブロック２０６に移動して、信号が第１の感知領域で検出される場合、制御装置は演算ブロック２０８において第１のレベルの光を作動させる。信号が第１の感知領域で検出されない場合、アルゴリズムは決定ブロック２１０に移動する。信号が第２の感知領域で検出される場合、制御装置は演算ブロック２１２において第２のレベルの光を作動させる。信号が第２の感知領域で検出されない場合、アルゴリズムは決定ブロック２１４に移動する。信号がタスクモードについて検出される場合、制御装置は演算ブロック２１６において第３のレベルの光を作動させる。
【０１９２】
本明細書で開示された実施形態との関連で記載されている様々な例示の論理ブロック、モジュール、ルーチン、アルゴリズム、およびステップは、電子ハードウェアとして、または、電子ハードウェアと実行可能なソフトウェアとの組み合わせとして実施され得る。この互換性を明確に例示するために、様々な例示の構成部品、ブロック、モジュール、およびステップは、概してそれらの機能性の意味において先に記載されている。このような機能性がハードウェアとして実施されるか、ハードウェアで作動するソフトウェアとして実施されるかは、全体のシステムに課される特定のアプリケーションおよび設計の制約に依存する。記載した機能は、各々の具体的なアプリケーションについての様々な方法で実施され得るが、このような実施の決定は、本開示の範囲からの逸脱を引き起こすとして解釈されるべきではない。
【０１９３】
さらに、本明細書に開示した実施形態との関連で記載した様々な例示の論理的ブロックおよびモジュールは、処理装置、デジタル信号処理装置（ＤＳＰ）、特定用途向け集積回路（ＡＳＩＣ）、フィールドプログラマブルゲートアレイ（ＦＰＧＡ）、または他のプログラム可能な論理装置などの機械、離散ゲートもしくはトランジスタ論理、離散したハードウェア構成部品、または、本明細書に記載した機能を実施するように設計されたそれらの任意の組み合わせによって実行または実施され得る。処理装置はマイクロプロセッサであり得るが、代替では、処理装置は、制御装置、マイクロ制御装置、状態機械、または本明細書に記載した機能を実施するように設計されたそれらの組み合わせなどであり得る。処理装置は、コンピュータ実行可能な命令を処理するように構成される電気回路を備え得る。別の実施形態では、処理装置は、コンピュータ実行可能な命令を処理することなく論理演算を実施するＦＰＧＡまたは他のプログラム可能な装置を備える。処理装置は、例えばＤＳＰとマイクロプロセッサとの組み合わせといった計算装置の組み合わせ、複数のマイクロプロセッサ、ＤＳＰコアとの組み合わせでの１つもしくは複数のマイクロプロセッサ、または任意の他のこのような構成として実施されてもよい。デジタル技術に関して本明細書に主に記載されているにも拘らず、処理装置はアナログ構成部品を主に備えてもよい。例えば、本明細書に記載した信号処理アルゴリズムの一部または全部は、アナログ回路で実施されてもよい、または、混合のアナログおよびデジタル回路で実施されてもよい。計算環境は、限定されることはないが、２〜３例を挙げれば、マイクロプロセッサに基づくコンピュータシステム、主フレームコンピュータ、デジタル信号処理装置、携帯式計算装置、装置制御装置、または、電化製品内の計算エンジンを含むコンピュータシステムの任意の種類を含み得る。
【０１９４】
本明細書に開示した実施形態との関連で記載した方法、処理、ルーチン、またはアルゴリズムの要素は、ハードウェアに、処理装置によって実行されるソフトウェアモジュールに、または、２つの組み合わせで、直接的に具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または非一時的コンピュータ読取可能な記憶媒体の任意の他の形態に存在できる。例示の記憶媒体は、処理装置が情報を記憶媒体から読み取り、および、情報を記憶媒体に書き込めるように処理装置に結合され得る。代替では、記憶媒体は処理装置と一体であり得る。処理装置および記憶媒体はＡＳＩＣに存在できる。ＡＳＩＣは使用者端末に存在してもよい。代替では、処理装置および記憶媒体は、使用者の端末において離散した構成部品として存在してもよい。
【０１９５】
鏡組立体２、１０２はコンピュータと電子通信しているとき、ソフトウェアまたはハードウェアモジュール（例えば、「アプリ」）は、コンピュータに制御パネルを表示するように、および／または、本明細書に例示および／または記載されているタスク、ステップ、または機能のいずれかまたはすべてを実施するように構成され得る。制御パネルは、使用者に、鏡組立体２、１０２についての様々な入力および出力の特性を調節させることができる。例えば、使用者は、送信機の発信部の出力および／または感度を調節するために制御パネルを使用できる。
【０１９６】
使用者は、第１および第２の感知領域と関連付けられる光のレベルを構成してもよい。別の例では、使用者は、感知領域の１つまたは複数の大きさ（例えば、深さ、幅、および／または高さ）を調節できる。一部の実施では、使用者は、一日のうちの時間、周囲光のレベル、残っている電池の電力の量、および他のものなど、特定の条件に基づいて光源の動作および出力（例えば、光の強度および／または色）を変更するために制御パネルを使用できる。特定の変形では、鏡組立体２、１０２の動作パラメータを制御パネルで変更する能力は、鏡組立体における１つまたは複数の調節装置（例えば、ボタン、ノブ、スイッチなど）についての必要性を低減または未然に防ぐことができ、それによって、鏡組立体の概して一様な外面を提供し（これは、掃除を容易にすることができる）、動作パラメータの意図していない調節の可能性を低減する（鏡組立体を運ぶときなど）。
【０１９７】
様々な実施形態において、制御パネル（および／または、本明細書における他の部分に記載される容量式タッチセンサ）の代替または追加で、１つまたは複数の物理的ダイヤル（または、ノブ、スイッチ、スライドキー、ボタンなど）は、本明細書に記載および／または例示した任意の機能を実施または作動させるために鏡組立体に設けられてもよい。制御パネル（または、容量式タッチセンサ）などのこれらの物理的構造は、本明細書に記載した鏡組立体の様々な設定（例えば、発せられる光の質、発せられる音の音量、警報のタイミング、表示装置の輝度など）のうちのいずれかを変えるために使用され得る。
【０１９８】
特定の実施では、本明細書に記載した他の制御機構の代替または追加で、表示装置（例えば、仮想表示装置、タッチスクリーン、ＬＣＤ、ＯＬＥＤ、ＬＥＤなど）は鏡組立体に設けられ得る。一部の実施形態では、表示装置は視界から（例えば、鏡の後に）隠される。一部の変形では、表示装置は、鏡とされた組立体１０２の鏡とされた表面の１つまたは複数の部分の後にある（および／または、中にある）。例えば、一部の実施形態では、表示装置は、鏡組立体の表面のマジックミラー部の後にある位置にある。照明において、表示装置は使用者に視認可能となる。一部の変形では、作動停止のとき、表示装置はもはや見ることができなく、鏡の別の部分に現れる。特定の実施では、表示装置は、使用者からの入力によって（例えば、鏡または表示装置の一部分に触れることによって、音声命令を述べることによって、鏡が認識するようにプログラムされる移動を行うことによって、または、本明細書における他の部分に記載される他の作動方法のいずれかによって）作動される。一部の実施形態では、表示装置は、センサ１７９を作動させることで（例えば、触れること、指を横切ってスワイプさせること、手振りすることなどで）作動され得る。
【０１９９】
一部の実施形態では、表示装置は、本明細書に例示および／または記載したタスク、ステップ、機能のいずれかまたはすべてを実施するように構成され得る。例えば、特定の実施では、表示装置は、容量式タッチセンサ（例えば、タッチスクリーン）と電子通信している。作動しているとき、表示装置は、あるレベルのライティング変数（例えば、輝度、色温度など）を指示できる。容量式タッチセンサは、指の所定のスライド、タップ、または回転を通じてその変数を変えるために、使用者からの入力を受け入れることができる。例えば、一部の実施形態では、表示装置は、光の柱から発せられる光の質（例えば、光の輝度、色、または温度）を変えるために使用され得る１つまたは複数の仮想的なダイヤル、ノブ、またはスイッチを示す。
【０２００】
一部の変形では、表示装置は、情報を使用者に提供するために、同様に（または代替で）使用され得る。例えば、一部の実施形態では、表示装置は、時計、宣伝ブロック、文字メッセージパネル（使用者のスマートフォンによって受信される文字メッセージを表示する）、電子メールパネル（使用者の電子メールアドレスによって受信される電子メールメッセージを表示する）などとして作動できる。一部の実施では、表示装置は、情報源（例えば、インターネット、家庭用コンピュータなど）から情報を受信し、使用者の過去の行動（例えば、購入、訪問したウェブサイトなど）に基づいて、関連する情報を使用者に伝送する。例示しているように、過去のメーキャップの購入に基づいて、表示装置は、同様のメーキャップ、販売、販売促進などについての情報を提供してもよい。使用者が出席した過去の場所に基づいて、鏡は他の同様の催しを提案できる。表示装置は、交通条件に関する更新、または、集合時間の変更で、近づいてきているイベントについての情報（例えば、警報）を提供してもよい。
【０２０１】
特定の変形では、鏡組立体は顔認証の特徴を備えてもよい。一部の例では、数人の異なる被験者が同じ鏡組立体を利用できる。顔認証は、鏡組立体に、特定の使用者を認識させることができ、その使用者に基づいて特定の基準パラメータを選択させることができる。例えば、「使用者１」が平日に蛍光灯の下で仕事する場合、鏡組立体は、その「使用者１」が認識される平日の朝に、対応する光のプロフィールを読み込む。「使用者２」が週末に白熱球によって照らされる環境で主に仕事する場合、その使用者が認識されるとき、それらの光のパラメータが選択され得る。一部の実施形態では、個々の電子メール、文字、または提案された販売促進は、その人の鏡への近接に基づいて表示される。
【０２０２】
特定の実施では、顔認証の特徴は、表示装置に、あつらえられた販売促進／標的とされた販売促進（例えば、メーキャップについてなど）を特定の使用者に示させることができる。例示について、一部の実施形態では、鏡は、使用者の顔色、肌の色合い、または髪の色を評価できる。一部の変形では、表示装置は、使用者が購入するための製品を提案できる。一部の実施形態では、製品または販売促進が表示されるとき、使用者は、特定の領域における容量式タッチセンサ（例えば、「購入」または「ブックマーク」ボタン）に触れることで、品物を購入または品物にブックマークを付けることができる。
【０２０３】
一部の実施では、鏡組立体２、１０２がコンピュータと通信しているとき、データが鏡組立体からコンピュータへと転送され得る。例えば、鏡組立体は、電力消費、推定される残っている電池の電力、光源の作動および／または作動停止の数、（例えば、個別の場合での、および／または、全体での）光源の使用の期間、ならびにその他などのデータを転送できる。ソフトウェアが、平均を計算するために、（例えば、特定の期間の間の）使用の統計を再考するために、普通ではない作動を認識する、および／または、普通ではない作動への関心を引くために、ならびに、使用統計をグラフで表示するためになど、転送されたデータを分析するために使用され得る。鏡組立体からコンピュータへと使用統計を転送することは、使用者に使用を監視させることができ、使用者に鏡組立体の異なる特性を修正させることができる（例えば、以前の使用およびパラメータに基づいて）。鏡組立体からコンピュータへとデータを転送することで、鏡組立体自体への１つまたは複数の調節装置または表示装置の必要性を低減または回避することもできる。
【０２０４】
鏡組立体２、１０２がコンピュータと通信しているとき、鏡とコンピュータとはデータを鏡組立体へと転送することもできる。さらに、鏡組立体がコンピュータと通信しているとき、このような双方向データ転送の前、最中、または後に、電位が電池２６、１２６に提供され得る。
【０２０５】
本開示の特定の態様は、本明細書で開示されている鏡組立体のいずれかなどの鏡組立体を製造する方法に向けられている。方法は、鏡と筐体部とを結合すること、ハンドルを支持部または鏡ヘッドに挿入すること、鏡ヘッドを支持部に取り付けること、支持部を腕部に取り付けること、腕部をシャフトに取り付けること、シャフトを基礎に取り付けることなどのいずれか１つを含み得る。方法は、光源を鏡の周辺に配置するステップを含み得る。方法は、ライトパイプを鏡の周辺の少なくとも一部分の周りに位置決めするステップを含み得る。方法は、複数の光散乱要素をライトパイプの長さに沿って配置するステップを含み得る。特定の実施形態では、複数の光散乱要素はパターン密度を有してもよい。光散乱要素は、光散乱要素に影響を与える光の一部分がライトパイプから発せられるように仕向けるように構成されてもよい。パターン密度は、光源に概して隣接する領域ではより小さい密度とすることができ、鏡の周辺に沿って、光源と概して反対の領域、光源から離された領域、または、光源から最も遠い領域ではより大きい密度とすることができ、それによって、ライトパイプの長さに沿って発せられる実質的に一定の量の光を促進する。特定の実施形態では、方法は、鏡の上方部分の近くで光源を位置決めするステップを含み得る。特定の実施形態では、方法は、鏡の基本的な見る方向に対して概して直交する方向で光を発するように光源を位置決めするステップを含み得る。特定の実施形態では、方法は、光をライトパイプの第１の端へと発するために光源を位置決めし、光をライトパイプの第２の端へと発するために別の光源を位置決めするステップを含み得る。特定の実施形態では、方法は、光散乱要素をライトパイプの少なくとも一部分に沿う概して一様のパターンで配置するステップを含み得る。方法は、鏡を筐体部と結合するステップを含み得る。方法は、１つまたは複数の光源を鏡の周辺に配置するステップを含み得る。方法は、物体と近接センサとの間の距離を指し示す信号を生成するように近接センサを構成するステップを含み得る。方法は、物体とセンサとの間の距離に応じて変わるレベルの光を発するための１つまたは複数の光源に電子信号を生成するように電子処理装置を構成するステップを含み得る。
【０２０６】
一部の方法は、近接センサを概して鏡の上領域の近くに位置決めするステップを含み得る。方法は、近接センサがある期間の時間にわたって物体を検出しない場合に作動停止するために、１つまたは複数の光源への電子信号を生成するように電子処理装置を構成するステップを含み得る。方法は、近接センサが物体を検出した後に感度を増加させるように近接センサを構成するステップを含み得る。方法は、周囲光のレベルを検出するように周囲光センサを構成するステップを含み得る。方法は、近接センサから延びる軸に対して約０度から約４５度までで下向きに延びる感知領域内で物体を検出するように近接センサを構成するステップを含み得る。方法は、近接センサを鏡の見る面に対してある角度で搭載するステップを含み得る。方法は、レンズカバーを近接センサの近くに位置決めするステップを含み得る。特定の実施形態では、方法は、レンズカバーの前面を近接センサに対してある角度で位置決めするステップを含み得る。方法は、ライトパイプを鏡の周辺の実質的にすべてに沿って配置するステップを含み得る。ライトパイプは、１つまたは複数の光源から光を受け、長さに沿って概して一貫して光を分配するように構成でき、それによって、実質的に一定のレベルの照明を鏡の周辺に提供する。
【０２０７】
本開示の特定の態様は、筐体部と、鏡と、１つまたは複数の光源と、近接センサと、電子処理装置とを有する鏡組立体に向けられている。鏡は筐体部と結合されてもよい。１つまたは複数の光源は鏡の周辺に配置されてもよい。近接センサは感知領域内で物体を検出するように構成され得る。近接センサは、物体と近接センサとの間の距離を指し示す信号を生成するように構成され得る。電子処理装置は、物体とセンサとの間の距離に応じて変わるレベルの光を発するための１つまたは複数の光源に電子信号を生成するように構成され得る。
【０２０８】
まとめ
鏡組立体および製造する方法のいくつかの例示の実施形態が開示されている。本開示は特定の例示の実施形態および使用の意味において記載されているが、他の実施形態および他の使用が、本明細書で前述した特徴および利点のすべてを提供しない実施形態および使用を含めて、本開示の範囲内に同じくある。構成部品、要素、特徴、行為、またはステップは、記載したものと異なって配置または実施されてもよく、構成部品、要素、特徴、行為、またはステップは、様々な実施形態において、組み合わせ、結合、追加、または除外され得る。本明細書で記載した要素および構成部品のすべての可能な組み合わせおよび部分的な組み合わせは、本開示に含まれるように意図されている。単一の特徴または特徴の集まりは、必要ではない、または、不可欠ではない。
【０２０９】
別々の実施の文脈において本開示で記載されている特定の特徴は、単一の実施において組み合わせで実施されてもよい。反対に、単一の実施の文脈において記載されている様々な特徴は、別々に、または、任意の適切な部分的な組み合わせで、複数の実施で実施されてもよい。さらに、特徴が特定の組み合わせで作用するとして上記で記載されてもよいが、請求された組み合わせからの１つまたは複数の特徴は、ある場合には、組み合わせから切り離されてもよく、組み合わせは、部分的な組み合わせとして、または、部分的な組み合わせの変形として請求されてもよい。
【０２１０】
本開示におけるある実施形態、流れ図、または例に開示または例示されているステップ、工程、構造、および／または装置のいずれかの任意の部分は、異なる実施形態、流れ図、または例の開示または例示されているステップ、工程、構造、および／または装置のいずれかの任意の他の部分と共に（または、その部分の代わりに）、組み合わせられ得る、または、使用され得る。本明細書に記載した実施形態および例は、互いに離散して別々となるように意図されていない。開示した特徴の組み合わせ、変形、および他の実施は、本開示の範囲内である。
【０２１１】
一部の実施形態は、添付の図面との関連で記載されている。さらに、動作が、特定の順番で、図面に描写され得る、または、明細書に記載され得るが、このような動作は、所望の結果を達成するために、示した具体的な順番で、もしくは、順次的な順番で実施される必要はなく、または、そのすべての動作が実施される必要はない。描写または記載されていない他の動作が、例の方法および工程に組み込まれてもよい。例えば、１つまたは複数の追加の動作が、記載した動作のうちのいずれかの前、後、同時、または間で実施され得る。追加で、動作は、他の実施において、再び配置または再び順序付けられてもよい。また、前述した実施における様々な構成部品の分離は、すべての実施においてこのような分離を必要とするとして理解されるべきではなく、記載した構成要素およびシステムは、単一の製品で概して一緒に組み込まれ得る、または、複数の製品へと包装され得るとして理解されるべきである。また、他の実施は本開示の範囲内にある。
【０２１２】
さらに、例示の実施形態が記載されているが、均等の要素、変更、省略、および／または組み合わせを有する任意の実施形態も本開示の範囲内である。さらに、特定の態様、利点、および新規の特徴が本明細書に記載されているが、必ずしもすべてのこのような利点が任意の特定の実施形態に従って達成されなくてもよい。例えば、本開示の範囲内のある実施形態は、ある利点、または、利点の集まりを、本明細書に教示または提案されている他の利点を必ずしも達成することなく本明細書に教示されているように達成する。さらに、一部の実施形態は、本明細書で教示または提示されているのと異なる利点を達成できる。
【０２１３】
本明細書で開示されているバニティミラーの特徴、構造、ステップ、または工程のいずれも、任意の実施形態に含まれ得る。例えば、近接センサは概して鏡の上領域または下領域の近くに位置決めされ得る。電子処理装置は、近接センサが所定の期間の時間にわたって物体の存在および／または移動を検出しない場合に作動停止するために、１つまたは複数の光源への電子信号を生成するように構成され得る。近接センサは、物体を検出した後に感度を増加させるように構成され得る（例えば、始動領域距離を増加させることで、始動領域内の移動への感度を増加させることで、および／または、作動停止までの時間間隔を増加させることで）。鏡組立体は、周囲光のレベルを検出するように構成される周囲光センサを備えてもよい。一部の実施形態では、感知領域は、近接センサから延びる軸に対して約０度から約４５度までで下向きに延び得る。近接センサは、鏡の見る面に対してある角度で搭載されてもよい。鏡組立体は、近接センサの近くに位置決めされるレンズカバーを備えてもよい。特定の実施形態では、レンズカバーの前面は近接センサに対してある角度で位置決めされてもよい。鏡組立体は、長さを有し、鏡の周辺の実質的にすべてに沿って配置されるライトパイプを備えてもよい。ライトパイプは、１つまたは複数の光源から光を受け、長さに沿って概して一貫して光を分配するように構成でき、それによって、実質的に一定のレベルの照明を鏡の周辺に提供する。
【０２１４】
本開示を手短に述べる目的のために、本発明の特定の態様、利点、および特徴が本明細書に記載されている。このような利点のいずれもまたはすべてが、本明細書に開示されている本発明の任意の具体的な実施形態によって必ずしも達成されないことは、理解されるものである。本開示の態様は、必須のものまたは不可欠のものではない。多くの実施形態では、鏡システムは、本明細書の図または記載に例示されているものと異なるように構成されてもよい。例えば、例示したモジュールによって提供される様々な機能性は、組み合わされ得る、再配置され得る、追加され得る、または削除され得る。一部の実施形態では、追加または異なる処理装置またはモジュールが、図に記載および例示した例の実施形態に関連して記載された機能の一部または全部を実施できる。多くの実施の変形が可能である。
【０２１５】
要するに、バニティミラーおよびバニティミラーを製造する方法の様々な実施形態および例が開示されている。本開示は、具体的に開示された実施形態を越えて、他の代替の実施形態および／または実施形態の他の使用の例へと、さらには、その特定の変形および均等へと拡がっている。さらに、本開示は、開示した実施形態の様々な特徴および態様が、互いと組み合わせられ得る、または、互いの代わりになり得ると明確に考える。したがって、本開示の範囲は、前述した特定の開示した実施形態によって限定されるべきではなく、請求項を公正に読むことのみによって決定されるべきである。
【符号の説明】
【０２１６】
２  鏡組立体
４  鏡
６  カバー部材
８  筐体部
１０  ライトパイプ
１２  シャフト部
１４  基礎部
１６  旋回部
１８  後カバー部
２０  支持部、支持構造
２６  電池
２８  センサ組立体
２８’  筐体
３０ａ  第１の光源
３０ｂ  第２の光源
３４  熱の消散もしくは放射の機構
３４ａ、３４ｂ  熱消散構造
３４ａ’、３４ｂ’  第１の端
３４ａ”、３４ｂ”  第２の端
３６ａ、３６ｂ  送信機
３８  受信機、受信部、発光部
４０ａ  第１の端
４０ｂ  第２の端
４１  通路
４２  外面
４８  通路
５８  指示装置
６４  発光器
７４  光散乱要素
８０  センサ組立体
１０２  鏡組立体
１０３  鏡ヘッド
１０３’  前面、前鏡面
１０３”  鏡面
１０４  第１の鏡
１０４’  第２の鏡、鏡とされた表面
１０４”  第３の鏡、凹面鏡
１０４ａ  継ぎ目
１０４ｂ  境界面、移行領域
１０４ｃ  境界面の始まりの近くの点
１０４ｄ、１０４ｅ  反射像
１０４ｆ  段差
１０６  カバー部材
１０８  筐体部
１１０  ライトパイプ
１１１  ヒンジ組立体
１１２  シャフト部
１１２ａ  第１のシャフト部
１１２ｂ  第２のシャフト部
１１３  腕部
１１３’  ヒンジ
１１４  基礎部、基礎
１１６  旋回部
１２０  支持部、支持部材、支持構造
１２４  ポート
１２６  電池
１２８  センサ組立体
１３０ａ’、１３０ａ”  第１の光源、発光器
１３０ｂ’、１３０ｂ”  第２の光源、発光器
１３４  熱の消散もしくは放射の機構
１３６  送信機
１３８  受信機、受信部
１４１  通路
１４２  外面
１４４  隙間
１４８  通路
１５４  付勢部材
１５６  拡散器
１５７  受入部
１５８  指示装置
１６０  開口
１６０  ハンドル
１６０’  把持部
１６０”  柄部
１６１’  第１の区画部、上の区画部
１６１”  第２の区画部、下の区画部
１６２’、１６２”  磁石
１７１  基礎開口
１７１’  出口開口
１７３  捕獲機構
１７６  電源ボタン
１７９  容量式タッチセンサ
１８１  接平面
１８２、１８３  視線
１９０  凹面鏡
１９０ａ’  入射光線
１９０ａ”  光線
１９０ｂ’  入射光線
１９０ｂ”  光線
１９１  主軸、光学軸
１９２  焦点
１９５  面一
２００  アルゴリズム
２０２  開始ブロック
２０４  動作ブロック、演算ブロック
２０４”  凹面鏡
２０６  決定ブロック
２０８  演算ブロック
２１２  演算ブロック
２１６  演算ブロック
２８１  接平面
【図１】
2018167022.tif 000003
【図２】
2018167022.tif 000004
【図３】
2018167022.tif 000005
【図４】
2018167022.tif 000006
【図５】
2018167022.tif 000007
【図６】
2018167022.tif 000008
【図７】
2018167022.tif 000009
【図８Ａ】
2018167022.tif 000010
【図８Ｂ】
2018167022.tif 000011
【図８Ｃ】
2018167022.tif 000012
【図９】
2018167022.tif 000013
【図１０】
2018167022.tif 000014
【図１１】
2018167022.tif 000015
【図１２】
2018167022.tif 000016
【図１３】
2018167022.tif 000017
【図１４】
2018167022.tif 000018
【図１５】
2018167022.tif 000019
【図１６】
2018167022.tif 000020
【図１７】
2018167022.tif 000021
【図１８】
2018167022.tif 000022
【図１９】
2018167022.tif 000023
【図２０】
2018167022.tif 000024
【図２１】
2018167022.tif 000025
【図２２】
2018167022.tif 000026
【図２３】
2018167022.tif 000027
【図２４Ａ】
2018167022.tif 000028
【図２４Ｂ】
2018167022.tif 000029
【図２４Ｃ】
2018167022.tif 000030
【図２４Ｄ】
2018167022.tif 000031
【図２５】
2018167022.tif 000032
【外国語明細書】
2018167022000001.pdf